(57)【要約】  組成物および方法は、植物病原体に対して活性を有するバチルス・アミロリケファシエンスの新しい株を含む。組成物は、植物の葉、花、果実、樹皮、根、種子、カルス組織、移植片、切断片、周囲の土壌または成長培地、ならびに種子を播種しかつカルス組織、移植片、および切断片を植え付ける際に付随する土壌または成長培地に適用する場合、植物の成長に利益を与えおよび／または病原体感染に対する保護を与えるために有用である。バチルス・アミロリケファシエンスＲＴＩ４７２株を含有する組成物は、単独で、または他の微生物学的、生物学的もしくは化学的殺虫剤、殺真菌剤、殺線虫剤、殺細菌剤、除草剤、植物抽出物、植物成長調整剤または肥料と組み合わせて適用され得る。一例では、バチルス・アミロリケファシエンスＲＴＩ４７２株は、他の微生物学的または化学殺虫剤、殺真菌剤、殺線虫剤、殺細菌剤、除草剤、植物抽出物、および植物成長調整剤との統合害虫管理プログラムの一部として植物に送達され得る。【選択図】なし【特許請求の範囲】
【請求項１】
植物成長に利益を与え、または感受性植物において病原体感染に対する保護を与えることの１つまたは両方を植物に適用するための、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物を含む組成物。
【請求項２】
前記植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示される、請求項１の組成物。
【請求項３】
前記組成物は、液体、粉剤、乾燥水和性粉末剤、展延性顆粒剤、または乾燥水和性顆粒剤の形態である、請求項１の組成物。
【請求項４】
前記組成物は液体の形態であり、バチルス・アミロリケファシエンスＲＴＩ４７２は、約１．０×１０８ＣＦＵ／ｍｌ〜約１．０×１０１２ＣＦＵ／ｍｌの濃度で存在する、請求項１の組成物。
【請求項５】
前記組成物は、粉剤、乾燥水和性粉末剤、展延性顆粒剤、または乾燥水和性顆粒剤の形態であり、バチルス・アミロリケファシエンスＲＴＩ４７２は、約１．０×１０８ＣＦＵ／ｇ〜約１．０×１０１２ＣＦＵ／ｇの量で存在する、請求項１の組成物。
【請求項６】
前記組成物は、油分散体の形態であり、バチルス・アミロリケファシエンスＲＴＩ４７２は、約１．０×１０８ＣＦＵ／ｍｌ〜約１．０×１０１２ＣＦＵ／ｍｌの濃度で存在する、請求項１の組成物。
【請求項７】
前記バチルス・アミロリケファシエンスＲＴＩ４７２は、胞子または栄養細胞の形態である、請求項１の組成物。
【請求項８】
植物成長に利益を与え、および／または感受性植物において病原体感染に対する保護を与えるのに適した量で存在する、微生物学的、生物学的もしくは化学的な、殺虫剤、殺真菌剤、殺線虫剤、殺細菌剤、除草剤、植物抽出物、植物成長調整剤または肥料の１つまたは組み合わせをさらに含む、請求項１の組成物。
【請求項９】
担体、界面活性剤、分散剤、または酵母抽出物の１つまたは組合せをさらに含む、請求項１の組成物。
【請求項１０】
前記組成物は、植付用の基盤（ｍａｔｒｉｘ）の形態である、請求項１の組成物。
【請求項１１】
前記植付用の基盤は、鉢植え用の土の形態である、請求項１０の組成物。
【請求項１２】
植物成長に利益を与え、および／または感受性植物において病原体感染に対する保護を与えるのに適した量で存在する、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物の胞子、を含む組成物で被覆された植物種子。
【請求項１３】
前記植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示される、請求項１２の植物種子。
【請求項１４】
前記組成物は、約１．０×１０２ＣＦＵ／種子〜約１．０×１０９ＣＦＵ／種子の量のバチルス・アミロリケファシエンス胞子を含む、請求項１２の植物種子。
【請求項１５】
前記種子は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、または芝草（Ｔｕｒｆ  ｇｒａｓｓ）の種子を含む、請求項１２の植物種子。
【請求項１６】
前記植物は、ドライビーン、コーン、小麦、大豆、キャノーラ、米、キュウリ、ペッパー、トマト、スカッシュ、綿、草、または芝草を含む、請求項１４の植物種子。
【請求項１７】
前記組成物は、植物成長に利益を与え、および／または感受性植物において病原体感染に対する保護を与えるのに適した量で存在する、微生物学的、生物学的もしくは化学的な、殺虫剤、殺真菌剤、殺線虫剤、殺細菌剤、または植物成長調整剤の１つまたは組み合わせをさらに含む、請求項１２の植物種子。
【請求項１８】
前記植物成長に利益を与え、および／または感受性植物において病原体感染に対する保護を与えるのに適した量で、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物、ならびに、
前記植物成長に利益を与え、および／または感受性植物において病原体感染に対する保護を与えるのに適した量で、微生物学的、生物学的もしくは化学的な、殺虫剤、殺真菌剤、殺線虫剤、殺細菌剤、除草剤、植物抽出物、植物成長調整剤または肥料の１つまたは組み合わせを含む、
植物成長に利益を与えること、または感受性植物において病原体感染に対する保護を与えることの１つまたは両方のための組成物。
【請求項１９】
前記植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示される、請求項１８の組成物。
【請求項２０】
前記組成物は液体の形態であり、バチルス・アミロリケファシエンスＲＴＩ４７２は、約１．０×１０８ＣＦＵ／ｍｌ〜約１．０×１０１２ＣＦＵ／ｍｌの濃度で存在する、請求項１８の組成物。
【請求項２１】
前記組成物は、粉剤、乾燥水和性粉末剤、展延性顆粒剤、または乾燥水和性顆粒剤の形態であり、バチルス・アミロリケファシエンスＲＴＩ４７２は、約１．０×１０８ＣＦＵ／ｇ〜約１．０×１０１２ＣＦＵ／ｇの量で存在する、請求項１８の組成物。
【請求項２２】
前記組成物は、油分散体の形態であり、バチルス・アミロリケファシエンスＲＴＩ４７２は、約１．０×１０８ＣＦＵ／ｍｌ〜約１．０×１０１２ＣＦＵ／ｍｌの濃度で存在する、請求項１８の組成物。
【請求項２３】
前記バチルス・アミロリケファシエンスＲＴＩ４７２は、胞子または栄養細胞の形態である、請求項１８の組成物。
【請求項２４】
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビ、またはテンサイを含む、請求項１８の組成物。
【請求項２５】
ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物の胞子を含む組成物を、植物成長に利益を与え、および／または感受性植物において病原体感染に対する保護を与えるのに適した量で、植物の葉、植物の樹皮、植物の果実、植物の花、植物の種子、植物の根、植物の切断片、植物の移植片、植物のカルス組織、植物の周囲の土壌または成長培地、植物の種子を播種する前の土壌もしくは成長培地、または植物、植物切断片、植物移植片、植物カルス組織を植える前の土壌もしくは成長培地に送達することを含む、植物成長に利益を与えることまたは感受性植物において病原体感染に対する保護を与えることの１つまたは両方のための方法。
【請求項２６】
前記組成物が前記植物の葉に送達される、請求項２５の方法。
【請求項２７】
前記植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示される、請求項２５の方法。
【請求項２８】
前記バチルス・アミロリケファシエンスＲＴＩ４７２は、約１．０×１０１０ＣＦＵ／ｈａ〜約１．０×１０１４ＣＦＵ／ｈａの割合で送達される、請求項２５の方法。
【請求項２９】
前記バチルス・アミロリケファシエンスＲＴＩ４７２は、胞子または栄養細胞の形態である、請求項２５の方法。
【請求項３０】
前記組成物は、液体、粉剤、乾燥水和性粉末剤、展延性顆粒剤、乾燥水和性顆粒剤、または油分散体の形態である、請求項２５の方法。
【請求項３１】
前記組成物は、前記植物成長に利益を与え、および／または感受性植物において病原体感染に対する保護を与えるのに適した量で存在する、微生物学的、生物学的もしくは化学的な、殺虫剤、殺真菌剤、殺線虫剤、殺細菌剤、除草剤、植物抽出物、植物成長調整剤または肥料の１つまたは組み合わせをさらに含む、請求項２５の方法。
【請求項３２】
前記組成物は、担体、界面活性剤、分散剤、または酵母抽出物の１つまたは組合せをさらに含む、請求項２５の方法。
【請求項３３】
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビ、またはテンサイを含む、請求項２５の方法。
【請求項３４】
前記植物は、大豆、豆、スナップ豆、小麦、綿、コーン、ペッパー、トマト、ジャガイモ、キャッサバ、ブドウ、イチゴ、バナナ、ピーナッツ、スカッシュ、カボチャ、ナス、またはキュウリを含む、請求項３３の方法。
【請求項３５】
前記病原体感染は、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属種（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、���ンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・マイディス（Helminthosporium maydis）、ヘルミントスポリウム・ソラニ（Helminthosporium solai）またはヘルミントスポリウム・トリチシ−レペンチス（Helminthosporium tritici-repentis）、またはこれらの組み合わせによって引き起こされる、請求項２５の方法。
【請求項３６】
前記病原体感染は、
大豆さび菌（ファコプソラ・パキリジ、ファコプソラ・メイボミエ）によって引き起こされ、前記植物は大豆を含む、
ボトリチス・シネレア（ボトリチス病害）によって引き起こされ、前記植物はブドウを含む、
ボトリチス・シネレア（ボトリチス病害）によって引き起こされ、前記植物はイチゴを含む、
アルテルナリア属種（例えば、Ａ．ソラニ）によって引き起こされ、前記植物はトマトを含む、
アルテルナリア属種（例えば、Ａ．ソラニ）によって引き起こされ、前記植物はジャガイモを含む、
豆さび（ウロマイセス・アペンディキュラタス）によって引き起こされ、前記植物は一般的な豆を含む、
ミクロスファエラ・ディフサ（大豆うどんこ病）によって引き起こされ、前記植物は大豆を含む、
マイコスフェレラ・フィジエンシス（ブラックシガトガ（Ｂｌａｃｋ  ｓｉｇａｔｏｇａ））またはフザリウム・オキシスポラムｆ属種キューベンセ（パナマ病）によって引き起こされ、前記植物はバナナを含む、
キサントモナス属種またはキサントモナス・オリゼ・パソバー・オリゼによって引き起こされ、前記植物は米を含む、
キサントモナス・アクソノポディスによって引き起こされ、前記植物はキャッサバを含む、
キサントモナス・カンペストリスによって引き起こされ、前記植物はトマトを含む、
ボトリチス・シネレア（ペッパー・ボトリチス病害）によって引き起こされ、前記植物はペッパーを含む、
うどんこ病によって引き起こされ、前記植物はククルビットを含む、
スクレロチニア・スクレロチオラム（白かび）によって引き起こされ、前記植物はスナップ豆を含む、
スクレロチニア・スクレロチオラム（白かび）によって引き起こされ、前記植物はジャガイモを含む、
スクレロチニア・ホメオカルパ（ドラースポット）によって引き起こされ、前記植物は芝草を含む、
サザン白かびによって引き起こされ、前記植物はピーナツを含む、
リーフ・スポット（セルコスポラ／セルコスポリディウム）によって引き起こされ、前記植物はピーナツを含む、
フザリウム・グラミネアラム（小麦頭部腐敗病）によって引き起こされ、前記植物は小麦を含む、
マイコスフェレラ・グラミノコラ（セプトリア・トリチシ・ブロッチ（Ｓｅｐｔｏｒｉａ  ｔｒｉｔｉｃｉ  ｂｌｏｔｃｈ））によって引き起こされ、前記植物は小麦を含む、
スタゴノスポラ・ノドラム（グルメ・ブロッチ（ｇｌｕｍｅ  ｂｌｏｔｃｈ）およびセプトリア・ノドラム・ブロッチ（ｓｅｐｔｏｒｉａ  ｎｏｄｏｒｕｍ  ｂｌｏｔｃｈ））によって引き起こされ、前記植物は小麦を含む、
エルウィニア・アミロボラによって引き起こされ、前記植物は、リンゴ、ナシおよび他のナシ果実を含む、
ベンチュリア・イネキュアリスによって引き起こされ、前記植物はリンゴ、ナシおよび他のナシ果実を含む、または、
リゾクトニア・ソラニによって引き起こされ、前記植物は、小麦、米、芝草、大豆、コーン、マメ科植物および野菜作物を含む、
場合の１つまたは組み合わせにより引き起こされる、請求項３５の方法。
【請求項３７】
前記植物の種子を植えること、または前記植物の植物性切断片／組織を適切な成長培地に再生することを含み、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物を含む組成物で、前記種子が被覆されているまたは前記植物性切断片／組織が接種され、前記種子または前記植物性切断片／組織から植物の成長に利益が与えられ、および／または病原体感染に対する保護が与えられる、植物成長に利益を与えることまたは感受性植物において病原体感染に対する保護を与えることの１つまたは両方のための方法。
【請求項３８】
前記植物の成長利益は、改善された苗の活力、改善された根の発達、改善された植物成長、改善された植物の健康、増加した収量、改善された外観、植物病原体に対する改善された耐性、病原体感染の減少、またはそれらの組み合わせにより示される、請求項３７の方法。
【請求項３９】
前記バチルス・アミロリケファシエンスＲＴＩ４７２は、約１．０×１０２ＣＦＵ／種子〜約１．０×１０９ＣＦＵ／種子の量で胞子の形態に存在する、請求項３７の方法。  
【請求項４０】
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビ、またはテンサイを含む、請求項３７の方法。
【請求項４１】
前記植物は、大豆、豆、スナップ豆、小麦、綿、コーン、ペッパー、トマト、ジャガイモ、キャッサバ、ブドウ、イチゴ、バナナ、ピーナッツ、スカッシュ、カボチャ、ナス、またはキュウリを含む、請求項３９の方法。
【請求項４２】
前記病原体感染は、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属種（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、���ンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・マイディス（Helminthosporium maydis）、ヘルミントスポリウム・ソラニ（Helminthosporium solai）またはヘルミントスポリウム・トリチシ−レペンチス（Helminthosporium tritici-repentis）、またはこれらの組み合わせによって引き起こされる、請求項３７の方法。
【請求項４３】
前記組成物は、植物成長に利益を与え、および／または感受性植物において病原体感染に対する保護を与えるのに適した量で存在する、微生物学的、生物学的もしくは化学的な、殺虫剤、殺真菌剤、殺線虫剤、殺細菌剤、または植物成長調整剤の１つまたは組み合わせをさらに含む、請求項３７の方法。
【請求項４４】
前記植物成長に利益を与え、および／または感受性植物において病原体感染に対する保護を与えるのに適した量でＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物の胞子を含む第１組成物；ならびに、
前記植物成長に利益を与え、および／または感受性植物において病原体感染に対する保護を与えるのに適した量で微生物学的、生物学的もしくは化学的な、殺虫剤、殺真菌剤、殺線虫剤、殺細菌剤、除草剤、植物抽出物、植物成長調整剤または肥料の１つまたは組み合わせを含む第２組成物、
の組み合わせを、
植物の葉、植物の樹皮、植物の果実、植物の花、植物の種子、植物の根、植物の切断片、植物の移植片、植物のカルス組織、植物の周囲の土壌または成長培地、植物の種子を播種する前の土壌もしくは成長培地、または植物、植物切断片、植物移植片、植物カルス組織を植える前の土壌もしくは生育培地に送達することを含む、植物成長に利益を与えることまたは感受性植物において病原体感染に対する保護を与えることの１つまたは両方のための方法。
【請求項４５】
前記組み合わせが、前記植物の葉に送達される、請求項４４の方法。
【請求項４６】
前記第１組成物は、担体、界面活性剤、分散剤、または酵母抽出物の１つまたは組合せを含む、請求項４４の方法。
【請求項４７】
前記植物の成長利益および／または付与された保護は、改善された苗の活力、改善された根の発達、改善された植物健康、増加した植物質量、増加した収量、改善された外観、植物病原体に対する改善された耐性、病原体感染の減少、またはそれらの組み合わせにより示される、請求項４４の方法。
【請求項４８】
前記植物成長に利益を与え、および／または保護を与えるのに適した量は、約１．０×１０１０ＣＦＵ／ｈａ〜約１．０×１０１４ＣＦＵ／ｈａのバチルス・アミロリケファシエンスＲＴＩ４７２である、請求項４４の方法。
【請求項４９】
前記バチルス・アミロリケファシエンスＲＴＩ４７２は、胞子または栄養細胞の形態である、請求項４４の方法。
【請求項５０】
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビ、またはテンサイを含む、請求項４４の方法。
【請求項５１】
前記植物は、大豆、豆、スナップ豆、小麦、綿、コーン、ペッパー、トマト、ジャガイモ、キャッサバ、ブドウ、イチゴ、バナナ、ピーナッツ、スカッシュ、カボチャ、ナス、またはキュウリを含む、請求項５０の方法。
【請求項５２】
前記病原体感染は、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属種（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、���ンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・マイディス（Helminthosporium maydis）、ヘルミントスポリウム・ソラニ（Helminthosporium solai）またはヘルミントスポリウム・トリチシ−レペンチス（Helminthosporium tritici-repentis）、またはこれらの組み合わせによって引き起こされる、請求項５０の方法。
【請求項５３】
前記病原体感染は、
大豆さび菌（ファコプソラ・パキリジ、ファコプソラ・メイボミエ）によって引き起こされ、前記植物は大豆を含む、
ボトリチス・シネレア（ボトリチス病害）によって引き起こされ、前記植物はブドウを含む、
ボトリチス・シネレア（ボトリチス病害）によって引き起こされ、前記植物はイチゴを含む、
アルテルナリア属種（例えば、Ａ．ソラニ）によって引き起こされ、前記植物はトマトを含む、
アルテルナリア属種（例えば、Ａ．ソラニ）によって引き起こされ、前記植物はジャガイモを含む、
豆さび（ウロマイセス・アペンディキュラタス）によって引き起こされ、前記植物は一般的な豆を含む、
ミクロスファエラ・ディフサ（大豆うどんこ病）によって引き起こされ、前記植物は大豆を含む、
マイコスフェレラ・フィジエンシス（ブラックシガトガ（Ｂｌａｃｋ  ｓｉｇａｔｏｇａ））またはフザリウム・オキシスポラムｆ属種キューベンセ（パナマ病）によって引き起こされ、前記植物はバナナを含む、
キサントモナス属種またはキサントモナス・オリゼ・パソバー・オリゼによって引き起こされ、前記植物は米を含む、
キサントモナス・アクソノポディスによって引き起こされ、前記植物はキャッサバを含む、
キサントモナス・カンペストリスによって引き起こされ、前記植物はトマトを含む、
ボトリチス・シネレア（ペッパー・ボトリチス病害）によって引き起こされ、前記植物はペッパーを含む、
うどんこ病によって引き起こされ、前記植物はククルビットを含む、
スクレロチニア・スクレロチオラム（白かび）によって引き起こされ、前記植物はスナップ豆を含む、
スクレロチニア・スクレロチオラム（白かび）によって引き起こされ、前記植物はジャガイモを含む、
スクレロチニア・ホメオカルパ（ドラースポット）によって引き起こされ、前記植物は芝草を含む、
サザン白かびによって引き起こされ、前記植物はピーナツを含む、
リーフ・スポット（セルコスポラ／セルコスポリディウム）によって引き起こされ、前記植物はピーナツを含む、
フザリウム・グラミネアラム（小麦頭部腐敗病）によって引き起こされ、前記植物は小麦を含む、
マイコスフェレラ・グラミノコラ（セプトリア・トリチシ・ブロッチ（Ｓｅｐｔｏｒｉａ  ｔｒｉｔｉｃｉ  ｂｌｏｔｃｈ））によって引き起こされ、前記植物は小麦を含む、
スタゴノスポラ・ノドラム（グルメ・ブロッチ（ｇｌｕｍｅ  ｂｌｏｔｃｈ）およびセプトリア・ノドラム・ブロッチ（ｓｅｐｔｏｒｉａ  ｎｏｄｏｒｕｍ  ｂｌｏｔｃｈ））によって引き起こされ、前記植物は小麦を含む、
エルウィニア・アミロボラによって引き起こされ、前記植物は、リンゴ、ナシおよび他のナシ果実を含む、
ベンチュリア・イネキュアリスによって引き起こされ、前記植物はリンゴ、ナシおよび他のナシ果実を含む、または、
リゾクトニア・ソラニによって引き起こされ、前記植物は、小麦、米、芝草、大豆、コーン、マメ科植物および野菜作物を含む、
場合の１つまたは組み合わせにより引き起こされる、請求項５２の方法。
【請求項５４】
前記植物成長に利益を与え、および／または感受性植物において病原体感染に対する保護を与えるのに適した量で、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物、ならびに、
前記植物成長に利益を与え、および／または感受性植物において病原体感染に対する保護を与えるのに適した量で微生物学的、生物学的もしくは化学的な、殺虫剤、殺真菌剤、殺線虫剤、殺細菌剤、除草剤、植物抽出物、植物成長調整剤または肥料の１つまたは組み合わせ、
を含む組成物を、
植物の葉、植物の樹皮、植物の果実、植物の花、植物の種子、植物の根、植物の切断片、植物の移植片、植物のカルス組織、植物の周囲の土壌または成長培地、植物の種子を播種する前の土壌もしくは成長培地、または植物、植物切断片、植物移植片、植物カルス組織を植える前の土壌もしくは生育培地に送達することを含む、植物成長に利益を与えることまたは感受性植物において病原体感染に対する保護を与えることの１つまたは両方のための方法。
【請求項５５】
前記組成物が前記植物の葉に送達される、請求項５４の方法。
【請求項５６】
前記植物の成長利益および／または病原体感染に対する付与された保護は、改善された苗の活力、改善された根の発達、改善された植物健康、増加した植物質量、増加した収量、改善された外観、植物病原体に対する改善された耐性、病原体感染の減少、またはそれらの組み合わせにより示される、請求項５４の方法。
【請求項５７】
前記バチルス・アミロリケファシエンスＲＴＩ４７２は、胞子または栄養細胞の形態である、請求項５４の方法。
【請求項５８】
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビ、またはテンサイを含む、請求項５４の方法。
【請求項５９】
前記植物は、大豆、豆、スナップ豆、小麦、綿、コーン、ペッパー、トマト、ジャガイモ、キャッサバ、ブドウ、イチゴ、バナナ、ピーナッツ、スカッシュ、カボチャ、ナス、またはキュウリを含む、請求項５４の方法。
【請求項６０】
前記病原体感染は、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属種（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、���ンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・マイディス（Helminthosporium maydis）、ヘルミントスポリウム・ソラニ（Helminthosporium solai）またはヘルミントスポリウム・トリチシ−レペンチス（Helminthosporium tritici-repentis）、またはこれらの組み合わせによって引き起こされる、請求項５４の方法。
【請求項６１】
前記病原体感染は、
大豆さび菌（ファコプソラ・パキリジ、ファコプソラ・メイボミエ）によって引き起こされ、前記植物は大豆を含む、
ボトリチス・シネレア（ボトリチス病害）によって引き起こされ、前記植物はブドウを含む、
ボトリチス・シネレア（ボトリチス病害）によって引き起こされ、前記植物はイチゴを含む、
アルテルナリア属種（例えば、Ａ．ソラニ）によって引き起こされ、前記植物はトマトを含む、
アルテルナリア属種（例えば、Ａ．ソラニ）によって引き起こされ、前記植物はジャガイモを含む、
豆さび（ウロマイセス・アペンディキュラタス）によって引き起こされ、前記植物は一般的な豆を含む、
ミクロスファエラ・ディフサ（大豆うどんこ病）によって引き起こされ、前記植物は大豆を含む、
マイコスフェレラ・フィジエンシス（ブラックシガトガ（Ｂｌａｃｋ  ｓｉｇａｔｏｇａ））またはフザリウム・オキシスポラムｆ属種キューベンセ（パナマ病）によって引き起こされ、前記植物はバナナを含む、
キサントモナス属種またはキサントモナス・オリゼ・パソバー・オリゼによって引き起こされ、前記植物は米を含む、
キサントモナス・アクソノポディスによって引き起こされ、前記植物はキャッサバを含む、
キサントモナス・カンペストリスによって引き起こされ、前記植物はトマトを含む、
ボトリチス・シネレア（ペッパー・ボトリチス病害）によって引き起こされ、前記植物はペッパーを含む、
うどんこ病によって引き起こされ、前記植物はククルビットを含む、
スクレロチニア・スクレロチオラム（白かび）によって引き起こされ、前記植物はスナップ豆を含む、
スクレロチニア・スクレロチオラム（白かび）によって引き起こされ、前記植物はジャガイモを含む、
スクレロチニア・ホメオカルパ（ドラースポット）によって引き起こされ、前記植物は芝草を含む、
サザン白かびによって引き起こされ、前記植物はピーナツを含む、
リーフ・スポット（セルコスポラ／セルコスポリディウム）によって引き起こされ、前記植物はピーナツを含む、
フザリウム・グラミネアラム（小麦頭部腐敗病）によって引き起こされ、前記植物は小麦を含む、
マイコスフェレラ・グラミノコラ（セプトリア・トリチシ・ブロッチ（Ｓｅｐｔｏｒｉａ  ｔｒｉｔｉｃｉ  ｂｌｏｔｃｈ））によって引き起こされ、前記植物は小麦を含む、
スタゴノスポラ・ノドラム（グルメ・ブロッチ（ｇｌｕｍｅ  ｂｌｏｔｃｈ）およびセプトリア・ノドラム・ブロッチ（ｓｅｐｔｏｒｉａ  ｎｏｄｏｒｕｍ  ｂｌｏｔｃｈ））によって引き起こされ、前記植物は小麦を含む、
エルウィニア・アミロボラによって引き起こされ、前記植物は、リンゴ、ナシおよび他のナシ果実を含む、
ベンチュリア・イネキュアリスによって引き起こされ、前記植物はリンゴ、ナシおよび他のナシ果実を含む、または、
リゾクトニア・ソラニによって引き起こされ、前記植物は、小麦、米、芝草、大豆、コーン、マメ科植物および野菜作物を含む、
の場合の１つまたは組み合わせにより引き起こされる、請求項６０の方法。
【請求項６２】
植物成長に利益を与え、および／または病原体感染に対して保護を与えるのに適した量は、約１．０×１０１０ＣＦＵ／ｈａ〜約１．０×１０１４ＣＦＵ／ｈａのバチルス・アミロリケファシエンスＲＴＩ４７２である、請求項５４の方法。
【請求項６３】
感受性植物において病原体感染に対する保護を与える適切な量の単離されたフェンギシン−ＭＡ化合物、単離されたフェンギシンＭＢ化合物、単離されたフェンギシンＭＣ化合物、単離されたデヒドロキシフェンギシンＭＡ化合物、単離されたデヒドロキシフェンギシンＭＢ化合物、単離されたフェンギシンＨ化合物、単離されたフェンギシンＩ化合物、および単離されたデヒドロキシフェンギシンＩ化合物のうちの少なくとも１つを含む組成物であって、該組成物は以下の式を含み、
【化１】
2018508472.tif 000024
式中、ＲはＯＨであり、ｎは８から２０までの範囲であり、ＦＡは直鎖状、イソ、またはアンテイソであり、ならびにフェンギシンＭＡについてＸ１はＡｌａであり、Ｘ２はＴｈｒであり、およびＸ３はＭｅｔであり；フェンギシンＭＢについてＸ１はＶａｌであり、Ｘ２はＴｈｒであり、およびＸ３はＭｅｔであり；フェンギシンＭＣについてＸ１はＡｂａであり、Ｘ２はＴｈｒであり、およびＸ３はＭｅｔであり；フェンギシンＨについてＸ１はＶａｌであり、Ｘ２はＴｈｒであり、およびＸ３はＨｃｙであり；ならびにフェンギシンＩについてＸ１はＩｌｅであり、Ｘ２はＴｈｒであり、およびＸ３はＩｌｅであり；ならびに、
式中、ＲはＨであり、ｎは８から２０までの範囲であり、ＦＡは直鎖状、イソ、またはアンテイソであり、ならびにデヒドロキシフェンギシンＭＡについてＸ１はＡｌａであり、Ｘ２はＴｈｒであり、およびＸ３はＭｅｔであり；デヒドロキシフェンギシンＭＢについてＸ１はＶａｌであり、Ｘ２はＴｈｒであり、およびＸ３はＭｅｔであり；ならびにデヒドロキシフェンギシンＩについてＸ１はＩｌｅであり、Ｘ２はＴｈｒであり、およびＸ３はＩｌｅである、
組成物。
【請求項６４】
前記植物成長に利益を与え、および／または感受性植物において病原体感染に対する保護を与えるのに適した量で存在する、微生物学的、生物学的もしくは化学的な、殺虫剤、殺真菌剤、殺線虫剤、殺細菌剤、除草剤、植物抽出物、植物成長調整剤または肥料の１つまたは組み合わせをさらに含む、請求項６３の組成物。
【請求項６５】
前記殺真菌剤が、フルオピラム＋テブコナゾール、クロロタロニル、チオファネート−メチル、プロチオコナゾール、および水酸化銅からなる群から選択される、請求項６４の組成物。
【請求項６６】
前記組成物は、液体、粉剤、乾燥水和性粉末剤、展延性顆粒剤、または乾燥水和性顆粒剤の形態である、請求項６３の組成物。
【請求項６７】
感受性植物において病原体感染に対する保護を与えるのに適切な量で、３３４１．６Ｄａに等しい分子量を有する単離されたエリシンＳ化合物、および２９８５．４Ｄａに等しい分子量を有する単離されたエリシンＡ化合物の１つまたは両方を含む、組成物。
【請求項６８】
前記植物成長に利益を与え、および／または感受性植物において病原体感染に対する保護を与えるのに適した量で存在する、微生物学的、生物学的もしくは化学的な、殺虫剤、殺真菌剤、殺線虫剤、殺細菌剤、除草剤、植物抽出物、植物成長調整剤または肥料の１つまたは組み合わせをさらに含む、請求項６７の組成物。
【請求項６９】
前記殺真菌剤は、ベンゾビンジフルピル、アンチペロノスポリック（anitiperonosporic）、アメトクトラジン、アミスルブロム、水酸化銅、酸塩化銅、硫酸銅、過硫酸銅を含む銅塩、ボスカリド、チフルザミド（thiflumazide）、フルチアニル、フララキシル、チアベンダゾール、ベノダニル、メプロニル、イソフェタミド、フェンフラム、ビキサフェン（bixafen）、フルキサピロキサド、ペンフルフェン、セダキサン、クモキシストロビン、エノキサストロビン、フルフェノキシストロビン、ピラオキシストロビン、ピラメトストロビン、トリクロピリカルブ（triclopyricarb）、フェナミンストロビン、メトミノストロビン、ピリベンカルブ、メプチルジノカップ（meptyldinocap）、酢酸フェンチン、塩化フェンチン、水酸化フェンチン、オキシテトラシクリン、クロゾリネート（chlozolinate）、クロロネブ、テクナゼン、エトリジアゾール、ヨードカルブ、プロチオカルブ、バチルス・サブチリス・シノニム、ＱＳＴ  ７１３、ＦＺＢ２４、ＭＢＩ６００、Ｄ７４７株を含むバチルス・アミロリクエファシエンス、メラレウカ・アルテルニフォリア（Melaleuca alternifolia）抽出物、ピリソキサゾール（pyrisoxazole）、オキスポコナゾール、エタコナゾール（etaconazole）、フェンピラザミン、ナフチフィン、テルビナフィン、バリダマイシン、ピリモルフ、バリフェナレート、フタリド、プロベナゾール、イソチアニル、ラミナリン、レイノウトリア・サチャリネンシス（Reynoutria sachalinensis）抽出物、亜リン酸及び塩、テクロフタラム（teclofthalam）、トリアゾキシド（triazoxide）、ピリオフェノン、有機油、炭酸水素カリウム、クロロタロニル、フルオロイミド；ビテルタノール、ブロムコナゾール、シプロコナゾール、ジフェノコナゾール、ジニコナゾール、エニルコナゾール、エポキシコナゾール、フルキンコナゾール、フェンブコナゾール、フルシラゾール、フルトリアホール、ヘキサコナゾール、イミベンコナゾール、イプコナゾール、メトコナゾール、ミクロブタニル、ペンコナゾール、プロピコナゾール、プロチオコナゾール、シメコナゾール、トリアジメホン、トリアジメノール、テブコナゾール、テトラコナゾール、トリチコナゾール、プロクロラズ、ペフラゾエート、イマザリル、トリフルミゾール、シアゾファミド、ベノミル、カルベンダジム、チアベンダゾール、フベリダゾール、エタボキサム、エトリジアゾール、ヒメキサゾール、アザコナゾール、ジニコナゾール−Ｍ、オキスポコナゾール、パクロブトラゾール、ウニコナゾール、１−（４−クロロフェニル）−２−（［１，２，４］トリアゾール−１−イル）−シクロヘプタノール及びイマザリルスルフェートを含むアゾール；アゾキシストロビン、ジモキシストロビン、エネストロブリン、フルオキサストロビン、クレソキシム−メチル、メトミノストロビン、オリサストロビン、ピコキシストロビン、ピラクロストロビン、トリフロキシストロビン、エネストロブリン、メチル（２−クロロ−５−［１−（３−メチルベンジルオキシイミノ）エチル］ベンジル）カルバメート、メチル（２−クロロ−５−［１−（６−メチルピリジン−２−イルメトキシイミノ）エチル］ベンジル）カルバメート、メチル２−（オルト−（２，５−ジメチルフェニルオキシメチレン）−フェニル）−３−メトキシアクリレート、２−（２−（６−（３−クロロ−２−メチル−フェノキシ）−５−フルオロ−ピリミジン−４−イルオキシ）−フェニル）−２−メトキシイミノ−Ｎ−メチル−アセトアミド及び３−メトキシ−２−（２−（Ｎ−（４−メトキシ−フェニル）−シクロプロパンカルボキシイミドイルスルファニルメチル）−フェニル）−アクリル酸メチルエステルを含むストロビルリン；カルボキシン、ベナラキシル、ベナラキシル−Ｍ、フェンヘキサミド、フルトラニル、フラメトピル、メプロニル、メタラキシル、メフェノキサム、オフレース、オキサジキシル、オキシカルボキシン、ペンチオピラド、イソピラザム、チフルザミド、チアジニル、３，４−ジクロロ−Ｎ−（２−シアノフェニル）イソチアゾール−５−カルボキサミド、ジメトモルフ、フルモルフ、フルメトベル、フルオピコリド（ピコベンズアミド）、ゾキサミド、カルプロパミド、ジクロシメット、マンジプロパミド、Ｎ−（２−（４−［３−（４−クロロフェニル）プロパ−２−インイルオキシ］−３−メトキシフェニル）エチル）−２−メタンスルホニル−アミノ−３−メチルブチルアミド、Ｎ−（２−（４−［３−（４−クロロフェニル）プロパ−２−インイルオキシ］−３−メトキシ−フェニル）エチル）−２−エタンスルホニルアミノ−３−メチルブチルアミド、メチル３−（４−クロロフェニル）−３−（２−イソプロポキシカルボニル−アミノ−３−メチル−ブチリルアミノ）プロピオネート、Ｎ−（４’−ブロモビフェニル−２−イル）−４−ジフルオロメチル−メチルチアゾール−δ−カルボキサミド、Ｎ−（４’−トリフルオロメチル−ビフェニル−２−イル）−４−ジフルオロメチル−２−メチルチアゾール−５−カルボキサミド、Ｎ−（４’−クロロ−３’−フルオロビフェニル−２−イル）−４−ジフルオロメチル−２−メチル−チアゾール−５−カルボキサミド、Ｎ−（３，４’−ジクロロ−４−フルオロビフェニル−２−イル）−３−ジフルオロ−メチル−１−メチルピラゾール−４−カルボキサミド、Ｎ−（３’，４’−ジクロロ−５−フルオロビフェニル−２−イル）−３−ジフルオロメチル−１−メチルピラゾール−４−カルボキサミド、Ｎ−（２−シアノ−フェニル）−３，４−ジクロロイソチアゾール−５−カルボキサミド、２−アミノ−４−メチル−チアゾール−５−カルボキシアニリド、２−クロロ−Ｎ−（１，１，３−トリメチル−インダン−４−イル）−ニコチンアミド、Ｎ−（２−（１，３−ジメチルブチル）−フェニル）−１，３−ジメチル−５−フルオロ−１Ｈ−ピラゾール−４−カルボキサミド、Ｎ−（４’−クロロ−３’，５−ジフルオロ−ビフェニル−２−イル）−３−ジフルオロメチル−１−メチル−１Ｈ−ピラゾール−４−カルボキサミド、Ｎ−（４’−クロロ−３’，５−ジフルオロ−ビフェニル−２−イル）−３−トリフルオロメチル−１−メチル−１Ｈ−ピラゾール−４−カルボキサミド、Ｎ−（３’，４’−ジクロロ−５−フルオロ−ビフェニル−２−イル）−３−トリフルオロメチル−１−メチル−１Ｈ−ピラゾール−４−カルボキサミド、Ｎ−（３’，５−ジフルオロ−４’−メチル−ビフェニル−２−イル）−３−ジフルオロメチル−１−メチル−１Ｈ−���ラゾール−４−カルボキサミド、Ｎ−（３’，５−ジフルオロ−４’−メチル−ビフェニル−２−イル）−３−トリフルオロメチル−１−メチル−１Ｈ−ピラゾール−４−カルボキサミド、Ｎ−（シス−２−ビシクロプロピル−２−イル−フェニル）−３−ジフルオロメチル−１−メチル−１Ｈ−ピラゾール−４−カルボキサミド、Ｎ−（トランス−２−ビシクロプロピル−２−イル−フェニル）−３−ジフルオロ−メチル−１−メチル−１Ｈ−ピラゾール−４−カルボキサミド、フルオピラム、Ｎ−（３−エチル−３，５−５−トリメチル−シクロヘキシル）−３−ホルミルアミノ−２−ヒドロキシ−ベンズアミド、
オキシテトラサイクリン、シルチオファム、Ｎ−（６−メトキシ−ピリジン−３−イル）シクロプロパンカルボキサミド、２−ヨード−Ｎ−フェニル−ベンズアミド、Ｎ−（２−ビシクロ−プロピル−２−イル−フェニル）−３−ジフルオロメチル−１−メチルピラゾール−４−イルカルボキサミド、Ｎ−（３’，４’，５’−トリフルオロビフェニル−２−イル）−１，３−ジメチルピラゾール−４−イルカルボキサミド、Ｎ−（３’，４’，５’−トリフルオロビフェニル−２−イル）−１，３−ジメチル−５−フルオロピラゾール−４−イルカルボキサミド、Ｎ−（３’，４’，５’−トリフルオロビフェニル−２−イル）−５−クロロ−１，３−ジメチル−ピラゾール−４−イルカルボキサミド、Ｎ−（３’，４’，５’−トリフルオロビフェニル−２−イル）−３−フルオロメチル−１−メチルピラゾール−４−イルカルボキサミド、Ｎ−（３’，４’，５’−トリフルオロビフェニル−２−イル）−３−（クロロフルオロメチル）−１−メチルピラゾール−４−イルカルボキサミド、Ｎ−（３’，４’，５’−トリフルオロビフェニル−２−イル）−３−ジフルオロメチル−１−メチルピラゾール−４−イルカルボキサミド、Ｎ−（３’，４’，５’−トリフルオロビフェニル−２−イル）−３−ジフルオロメチル−５−フルオロ−１−メチルピラゾール−４−イルカルボキサミド、Ｎ−（３’，４’，５’−トリフルオロビフェニル−２−イル）−５−クロロ−３−ジフルオロメチル−１−メチルピラゾール−４−イルカルボキサミド、Ｎ−（３’，４’，５’−トリフルオロビフェニル−２−イル）−３−（クロロジフルオロメチル）−１−メチルピラゾール−４−イルカルボキサミド、Ｎ−（３’，４’，５’−トリフルオロビフェニル−２−イル）−１−メチル−３−トリフルオロメチルピラゾール−４−イルカルボキサミド、Ｎ−（３’，４’，５’−トリフルオロビフェニル−２−イル）−５−フルオロ−１−メチル−３−トリフルオロメチルピラゾール−４−イルカルボキサミド、Ｎ−（３’，４’，５’−トリフルオロビフェニル−２−イル）−５−クロロ−１−メチル−３−トリフルオロメチルピラゾール−４−イルカルボキサミド、Ｎ−（２’，４’，５’−トリフルオロビフェニル−２−イル）−１，３−ジメチルピラゾール−４−イルカルボキサミド、Ｎ−（２’，４’，５’−トリフルオロビフェニル−２−イル）−１，３−ジメチル−５−フルオロピラゾール−４−イルカルボキサミド、Ｎ−（２’，４’，５’−トリフルオロビフェニル−２−イル）−５−クロロ−１，３−ジメチルピラゾール−４−イルカルボキサミド、Ｎ−（２’，４’，５’−トリフルオロビフェニル−２−イル）−３−フルオロメチル−１−メチルピラゾール−４−イルカルボキサミド、Ｎ−（２’，４’，５’−トリフルオロビフェニル−２−イル）−３−（クロロフルオロメチル）−１−メチルピラゾール−４−イルカルボキサミド、Ｎ−（２’，４’，５’−トリフルオロビフェニル−２−イル）−３−ジフルオロメチル−１−メチルピラゾール−４−イルカルボキサミド、Ｎ−（２’，４’，５’−トリフルオロビフェニル−２−イル）−３−ジフルオロメチル−５−フルオロ−１−メチルピラゾール−４−イルカルボキサミド、Ｎ−（２’，４’，５’−トリフルオロビフェニル−２−イル）−５−クロロ−３−ジフルオロメチル−１−メチルピラゾール−４−イルカルボキサミド、Ｎ−（２’，４’，５’−トリフルオロビフェニル−２−イル）−３−（クロロジフルオロメチル）−１−メチルピラゾール−４−イルカルボキサミド、Ｎ−（２’，４’，５’−トリフルオロビフェニル−２−イル）−１−メチル−３−トリフルオロメチルピラゾール−４−イルカルボキサミド、Ｎ−（２’，４’，５’−トリフルオロビフェニル−２−イル）−５−フルオロ−１−メチル−３−トリフルオロメチルピラゾール−４−イルカルボキサミド、Ｎ−（２’，４’，５’−トリフルオロビフェニル−２−イル）−５−クロロ−１−メチル−３−トリフルオロメチルピラゾール−４−イルカルボキサミド、Ｎ−（３’，４’−ジクロロ−３−フルオロビフェニル−２−イル）−１−メチル−３−トリフルオロメチル−１Ｈ−ピラゾール−４−カルボキサミド、Ｎ−（３’，４’−ジクロロ−３−フルオロビフェニル−２−イル）−１−メチル−３−ジフルオロメチル−１Ｈ−ピラゾール−４−カルボキサミド、Ｎ−（３’，４’−ジフルオロ−３−フルオロビフェニル−２−イル）−１−メチル−３−トリフルオロメチル−１Ｈ−ピラゾール−４−カルボキサミド、Ｎ−（３’，４’−ジフルオロ−３−フルオロビフェニル−２−イル）−１−メチル−Ｓ−ジフルオロメチル−１Ｈ−ピラゾール−４−カルボキサミド、Ｎ−（３’−クロロ−４’−フルオロ−３−フルオロビフェニル−２−イル）−１−メチル−３−ジフルオロメチル−１Ｈ−ピラゾール−４−カルボキサミド、Ｎ−（３’，４’−ジクロロ−４−フルオロビフェニル−２−イル）−１−メチル−３−トリフルオロメチル−１Ｈ−ピラゾール−４−カルボキサミド、Ｎ−（３’，４’−ジフルオロ−４−フルオロビフェニル−２−イル）−１−メチル−Ｓ−トリフルオロメチル−１Ｈ−ピラゾール−４−カルボキサミド、Ｎ−（３’，４’−ジクロロ−４−フルオロビフェニル−２−イル）−１−メチル−３−ジフルオロメチル−１Ｈ−ピラゾール−４−カルボキサミド、Ｎ−（３’，４’−ジフルオロ−４−フルオロビフェニル−２−イル）−１−メチル−３−ジフルオロメチル−１Ｈ−ピラゾール−４−カルボキサミド、Ｎ−（３’−クロロ−４’−フルオロ−４−フルオロビフェニル−２−イル）−１−メチル−Ｓ−ジフルオロメチル−１Ｈ−ピラゾール−４−カルボキサミド、Ｎ−（３’，４’−ジクロロ−５−フルオロビフェニル−２−イル）−１−メチル−３−トリフルオロメチル−１Ｈ−ピラゾール−４−カルボキサミド、Ｎ−（３’，４’−ジフルオロ−５−フルオロビフェニル−２−イル）−１−メチル−３−トリフルオロメチル−１Ｈ−ピラゾール−４−カルボキサミド、Ｎ−（３’，４’−ジクロロ−５−フルオロビフェニル−２−イル）−１−メチル−Ｓ−ジフルオロメチル−１Ｈ−ピラゾール−４−カルボキサミド、Ｎ−（３’，４−ジフルオロ−５−フルオロビフェニル−２−イル）−１−メチル−３−ジフルオロメチル−１Ｈ−ピラゾール−４−カルボキサミド、Ｎ−（３’，４’−ジクロロ−５−フルオロビフェニル−２−イル）−１，３−ジメチル−１Ｈ−ピラゾール−４−カルボキサミド、Ｎ−（３’−クロロ−４’−フルオロ−５−フルオロビフェニル−２−イル）−１−メチル−３−ジフルオロメチル−１Ｈ−ピラゾール−４−カルボキサミド、Ｎ−（４’−フルオロ−４−フルオロビフェニル−２−イル）−１−メチル−３−トリフルオロメチル−１Ｈ−ピラゾール−４−カルボキサミド、Ｎ−（４’−フルオロ−５−フルオロビフェニル−２−イル）−１−メチル−３−トリフルオロメチル−１Ｈ−ピラゾール−４−カルボキサミド、Ｎ−（４’−クロロ−５−フルオロビフェニル−２−イル）−１−メチル−３−トリフルオロメチル−１Ｈ−ピラゾール−４−カルボキサミド、Ｎ−（４’−メチル−５−フルオロビフェニル−２−イル）−１−メチル−３−トリフルオロメチル−１Ｈ−ピラゾール−４−カルボキサミド、Ｎ−（４’−フルオロ−５−フルオロビフェニル−２−イル）−１，３−ジメチル−１Ｈ−ピラゾール−４−カルボキサミド、Ｎ−（４’−クロロ−５−フルオロビフェニル−２−イル）−１，３−ジメチル−１Ｈ−ピラゾール−４−カルボキサミド、Ｎ−（４’−メチル−５−フルオロビフェニル−２−イル）−１，３−ジメチル−１Ｈ−ピラゾール−４−カルボキサミド、Ｎ−（４’−フルオロ−６−フルオロビフェニル−２−イル）−１−メチル−３−トリフルオロメチル−１Ｈ−ピラゾール−４−カルボキサミド、Ｎ−（４’−クロロ−６−フルオロビフェニル−２−イル）−１−メチル−３−トリフルオロメチル−１Ｈ−ピラゾール−４−カルボキサミド、Ｎ−［２−（１，１，２，３，３，３−ヘキサフルオロプロポキシ）−フェニル］−３−ジフルオロメチル−１−メチル−１Ｈ−ピラゾール−４−カルボキサミド、Ｎ−［４’−（トリフルオロメチルチオ）−ビフェニル−２−イル］−３−ジフルオロメチル−１−メチル−１Ｈ−ピラゾール−４−カルボキサミド及びＮ−［４’−（トリフルオロメチルチオ）−ビフェニル−２−イル］−１−メチル−３−トリフルオロメチル−ｌ−メチル−１Ｈ−ピラゾール−４−カルボキサミドを含むカルボキサミド；フルアジナム、ピリフェノックス、ブピリメート、シプロジニル、フェナリモル、フェリムゾン、メパニピリム、ヌアリモル、ピリメタニル、トリフォリン、フェンピクロニル、フルジオキソニル、アルジモルフ、ドデモルフ、フェンプロピモルフ、トリデモルフ、フェンプロピジン、イプロジオン、プロシミドン、ビンクロゾリン、ファモキサドン、フェンアミドン、オクチリノン、プロベン（ｐｒｏｂｅｎ）−アゾール、５−クロロ−７−（４−メチルピペリジン−１−イル）−６−（２，４，６−トリフルオロフェニル）−［１，２，４］トリアゾロ［１，５−ａ］ピリミジン、アニラジン、ジクロメジン、ピロキロン、プロキナジド、トリシクラゾール、２−ブトキシ−６−ヨード−３−プロピルクロメン−４−オン、アシベンゾラル−Ｓ−メチル、カプタホール、キャプタン、ダゾメット、ホルペット、フェノキサニル、キノキシフェン、Ｎ，Ｎ−ジメチル−３−（３−ブロモ−６−フルオロ−２−メチルインドール−１−スルホニル）−［１，２，４］トリアゾール−１−スルホンアミド、５−エチル−６−オクチル−［１，２，４］トリアゾロ［１，５−ａ］ピリミジン−２，７−ジアミン、２，３，５，６−テトラクロロ−４−メタンスルホニル−ピリジン、３，４，５−トリクロロピリジン−２，６−ジ−カルボニトリル、Ｎ−（１−（５−ブロモ−３−クロロ−ピリジン−２−イル）−エチル）−２，４−ジクロロニコチンアミド、Ｎ−（（５−ブロモ−３−クロロピリジン−２−イル）−メチル）−２，４−ジクロロ−ニコチンアミド、ジフルメトリム、ニトラピリン、ドデモルフアセテート、フルオロイミド、ブラストサイジン−Ｓ、キノメチオネート、デバカルブ、ジフェンゾクワット、ジフェンゾクワット−メチルスルフェート、オキソリン酸及びピペラリンを含む複素環式化合物；マンコゼブ、マネブ、メタム、メタスルホカルブ、メチラム、フェルバム、プロピネブ、チラム、ジネブ、ジラム、ジエトフェンカルブ、イプロバリカルブ、ベンチアバリカルブ、プロパモカルブ、プロパモカルブヒドロクロリド、４−フルオロフェニル−Ｎ−（１−（１−（４−シアノフェニル）−エタンスルホニル）ブト−２−イル）カルバメート、メチル−３−（４−クロロ−フェニル）−３−（２−イソプロキシカルボニルアミノ−３−メチル−ブチリルアミノ）プロパノエートを含むカルバメート；及びグアニジン、ドジン、ドジン遊離塩基、イミノクタジン、グアザチン、抗生物質：カスガマイシン、ストレプトマイシン、ポリオキシン、バリダマイシンＡ、ニトロフェニル誘導体：ビナパクリル、ジノカップ、ジノブトン、硫黄含有複素環式化合物：ジチアノン、イソプロチオラン、有機金属化合物：フェンチン塩、有機リン化合物：エジフェンホス、イプロベンホス、ホセチル、ホセチル−アルミニウム、亜リン酸及びその塩、ピラゾホス、トルクロホス−メチル、有機塩素化合物：ジクロフルアニド、フルスルファミド、ヘキサクロロ−ベンゼン、フタリド、ペンシクロン、キントゼン、チオファネート−メチル、トリルフルアニド、その他：シフルフェナミド、
シモキサニル、ジメチリモール、エチリモール、フララキシル、メトラフェノン及びスピロキサミン、グアザチン−アセテート、イミノクタジン−トリアセテート、イミノクタジン−トリス（アルベシレート）、カスガマイシンヒドロクロリド水和物、ジクロロフェン、ペンタクロロフェノール及びその塩、Ｎ−（４−クロロ−２−ニトロ−フェニル）−Ｎ−エチル−４−メチル−ベンゼンスルホンアミド、ジクロラン、ニトロタール−イソプロピル、テクナゼン、ビフェニル、ブロノポール、ジフェニルアミン、ミルジオマイシン、オキシン銅、プロヘキサジオンカルシウム、Ｎ−（シクロプロピルメトキシイミノ−（６−ジフルオロメトキシ−２，３−ジフルオロ−フェニル）−メチル）−２−フェニルアセトアミド、Ｎ’−（４−（４−クロロ−３−トリフルオロメチル−フェノキシ）−２，５−ジメチル−フェニル）−Ｎ−エチル−Ｎ−メチルホルムアミジン、Ｎ’−（４−（４−フルオロ−３−トリフルオロメチル−フェノキシ）−２，５−ジメチル−フェニル）−Ｎ−エチル−Ｎ−メチルホルムアミジン、Ｎ’−（２−メチル−５−トリフルオロメチル−４−（３−トリメチルシラニル−プロポキシ）−フェニル）−Ｎ−エチル−Ｎ−メチルホルムアミジン、並びに、Ｎ’−（５−ジフルオロメチル−２−メチル−４−（３−トリメチルシラニル−プロポキシ）−フェニル）−Ｎ−エチル−Ｎ−メチルホルムアミジンを含む他の殺真菌剤うちの１つ以上である、請求項６８の組成物。
【請求項７０】
前記殺真菌剤が、フルオピラム＋テブコナゾール、クロロタロニル、チオファネート−メチル、プロチオコナゾール、および水酸化銅からなる群から選択される、請求項６７の組成物。
【請求項７１】
前記組成物は、液体、粉剤、乾燥水和性粉末剤、展延性顆粒剤、または乾燥水和性顆粒剤の形態である、請求項６７の組成物。
【請求項７２】
単離されたフェンギシンＭＡ化合物、単離されたフェンギシンＭＢ化合物、単離されたフェンギシンＭＣ化合物、単離されたデヒドロキシフェンギシンＭＡ化合物、単離されたデヒドロキシフェンギシンＭＢ化合物、単離されたフェンギシンＨ化合物、単離されたフェンギシンＩ化合物、および単離されたデヒドロキシフェンギシンＩ化合物のうちの少なくとも１つを含む、ＡＴＣＣ番号ＰＴＡ−１２１１６６として寄託されたバチルス・アミロリケファシエンスＲＴＩ４７２の生物学的に純粋な培養物の抽出物。
【請求項７３】
３３４１．６Ｄａに等しい分子量を有する単離されたエリシンＳ化合物、または２９８５．４Ｄａに等しい分子量を有する単離されたエリシンＡ化合物のうちの少なくとも１つを含む、バチルス・アミロリケファシエンスの生物学的に純粋な培養物の抽出物。
【請求項７４】
病原体感染から植物または果実を保護または処理するための方法であって、請求項６３〜７３のいずれか１項の組成物または抽出物の有効量を前記植物もしくは果実に、もしくは根に、または前記植物の根の周囲の土壌に適用することを含む、方法。
【請求項７５】
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビ、またはテンサイを含む、請求項７４の方法。
【請求項７６】
前記病原体感染は、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属種（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、���ンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・マイディス（Helminthosporium maydis）、ヘルミントスポリウム・ソラニ（Helminthosporium solai）またはヘルミントスポリウム・トリチシ−レペンチス（Helminthosporium tritici-repentis）、またはこれらの組み合わせによって引き起こされる、請求項７４の方法。
【請求項７７】
第１組成物および第２組成物を変更された時間間隔で別々の適用において感受性植物に送達することであって、前記第１組成物および第２組成物のそれぞれは、前記植物における病原体感染に対する保護を与えるまたは病原体感染を減少させるのに適した量で送達される、当該送達することを含み、
前記第１組成物は、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物を含み、
前記第２組成物は、殺真菌特性または殺菌特性を有する１つ以上の化学活性剤を含み、
前記第１および第２組成物は、時間間隔を変えながら、植物の葉、植物の樹皮、植物の果実、植物の花、植物の種子、植物の根、植物の切断片、植物の移植片、植物のカルス組織、または植物の周囲の土壌もしくは成長培地、の１つまたは組み合わせに送達され、
病原体感染に対する保護および／または病原体感染を軽減するために必要な化学活性剤（１または複数）の総量が低減され、処理に対する耐性の蓄積が最小限に抑えられる、
処理に対する耐性の蓄積を最小限に抑えながら、病原体感染に対する保護を与えるまたは感受性植物において病原体感染を低減することによって、植物成長に利益を与える方法。
【請求項７８】
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビ、またはテンサイを含む、請求項７７の方法。
【請求項７９】
前記病原体感染は、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属種（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、���ンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・マイディス（Helminthosporium maydis）、ヘルミントスポリウム・ソラニ（Helminthosporium solai）またはヘルミントスポリウム・トリチシ−レペンチス（Helminthosporium tritici-repentis）、またはこれらの組み合わせによって引き起こされる、請求項７７の方法。
【請求項８０】
前記変更された時間間隔は、５〜７日間隔である、請求項７７の方法。
【請求項８１】
前記第１組成物および第２組成物のそれぞれは、植物の葉、植物の果実、または植物の花に送達される、請求項７７の方法。
【請求項８２】
前記植物の病原体感染に対する保護を与え、または病原体感染を低減するのに適した量は、約１．０×１０１０ＣＦＵ／ｈａ〜約１．０×１０１４ＣＦＵ／ｈａのバチルス・アミロリケファシエンスＲＴＩ４７２である、請求項７７の方法。
【請求項８３】
前記化学活性剤は、ストロビルリン、トリアゾール、フルトリアフォロール、テブコナゾール、プロチアコナゾール、エクスポキシコナゾール、フルオピラム、クロロタロニル、チオファネート−メチル、水酸化銅殺真菌剤、ＥＤＢＣ系殺真菌剤、マンコゼブ、サクシナーゼデヒドロゲナーゼ（ＳＤＨＩ）殺真菌剤、ビキサフェン、イプロジオン、ジメトモルフ、またはバリフェナレートの１つまたは組み合わせを含む、請求項７７の方法。
【請求項８４】
前記化学活性剤は、フルオピラム＋テブコナゾールを含み、ＲＴＩ４７２を含む前記第１組成物の送達は、クロロタロニル殺真菌剤の送達を置き換える、請求項８３の方法。
【請求項８５】
前記植物はククルビットを含み、前記病原体感染はうどんこ病によって引き起こされる、請求項８３の方法。
【請求項８６】
前記化学活性剤は、チオファネート−メチル殺真菌剤を含み、ＲＴＩ４７２を含む前記第１組成物の送達は、プロチオコナゾール殺真菌剤の送達を置き換える、請求項８３の方法。
【請求項８７】
前記化学活性剤は、水酸化銅菌剤を含み、ＲＴＩ４７２を含む前記第１組成物の送達は、クロロタロニル殺真菌剤の送達を置き換える、請求項８３の方法。
【請求項８８】
前記第１組成物は、担体、界面活性剤、分散剤、または酵母抽出物の１つまたは組合せをさらに含む、請求項８３の方法。
【請求項８９】
ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物、およびビフェントリン殺虫剤を含む、植物成長に利益を与える組成物。
【請求項９０】
前記組成物は、液体肥料と相溶性を有する製剤中にある、請求項８９の組成物。
【請求項９１】
前記組成物は、水和ケイ酸アルミニウム−マグネシウムおよび少なくとも１つの分散剤をさらに含む、請求項８９の組成物。
【請求項９２】
前記ビフェントリン殺虫剤は、０．１ｇ／ｍｌ〜０．２ｇ／ｍｌの範囲の濃度で存在する、請求項８９の組成物。
【請求項９３】
前記ビフェントリン殺虫剤は、約０．１７１５ｇ／ｍｌの濃度で存在する、請求項８９の組成物。
【請求項９４】
ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物、およびルピナス・アルブス抽出物、ＢＬＡＤポリペプチド、またはＢＬＡＤポリペプチドの断片の１つまたは組合せを含む殺真菌剤を含む、植物成長に利益を与えるための組成物。
【請求項９５】
前記組成物は、約２０％のＢＬＡＤポリペプチドまたはＢＬＡＤポリペプチドの断片を含む、請求項９４の組成物。
【請求項９６】
ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物を含む第１成分、
微生物学的、生物学的もしくは化学的な、殺虫剤、殺真菌剤、殺線虫剤、殺細菌剤、除草剤、植物抽出物、植物成長調整剤または肥料の１つまたは組合せを含む第２成分、および、
植物の葉、植物の樹皮、植物の果実、植物の花、植物の種子、植物の根、植物の切断片、植物の移植片、植物のカルス組織、植物の周囲の土壌または成長培地、植物の種子を播種する前の土壌または成長培地、または植物、植物切断片、植物移植片、植物カルス組織を植える前の土壌もしくは生育培地に前記第１および第２組成物の組み合わせを、植物成長に利益を与える量で送達するための指示書を、
含み、
前記第１成分および第２成分は別々に包装され、各成分は、植物成長に利益を与えるまたは感受性植物において病原体感染に対する保護を与えることの１つまたは両方に適した量である、
製品。
【請求項９７】
前記殺虫剤は、ピレスロイド、ビフェントリン、テフルトリン、ゼータ−シペルメトリン、有機フォスフェート、クロレトキシフォス、クロルピリホス、テブピリムフォス、シフルトリン、フィプロール（ｆｉｐｒｏｌｅ）、フィプロニル、ニコチノイド、またはクロチアニジンの１つまたは組み合わせである、請求項９６の製品。
【請求項９８】
前記第１組成物は、担体、界面活性剤、分散剤、または酵母抽出物の１つまたは組合せをさらに含む、請求項９６の製品。
【請求項９９】
前記第１組成物および第２組成物のそれぞれは、液体、粉剤、展延性顆粒剤、乾燥水和性粉末剤または乾燥水和性顆粒剤の形態である、請求項９６の製品。
【請求項１００】
前記第１組成物は液体の形態であり、バチルス・アミロリケファシエンスＲＴＩ４７２は、約１．０×１０８ＣＦＵ／ｍｌ〜約１．０×１０１２ＣＦＵ／ｍｌの濃度で存在する、請求項９６の製品。
【請求項１０１】
前記第１組成物は、粉剤、乾燥水和性粉末剤、展延性顆粒剤、または乾燥水和性顆粒剤の形態であり、バチルス・アミロリケファシエンスＲＴＩ４７２は、約１．０×１０８ＣＦＵ／ｇ〜約１．０×１０１２ＣＦＵ／ｇの量で存在する、請求項９６の製品。
【請求項１０２】
前記第１組成物は、油分散体の形態であり、バチルス・アミロリケファシエンスＲＴＩ４７２は、約１．０×１０８ＣＦＵ／ｍｌ〜約１．０×１０１２ＣＦＵ／ｍｌの濃度で存在する、請求項９６の製品。
【請求項１０３】
植物の成長または植物の健康の１つまたは両方に有益な特性を有する１つ以上の微生物の生物学的に純粋な培養物、および植物成長に利益を与えるまたは感受性植物において病原体感染に対する保護を与えることの１つまたは両方のために植物に適用するための酵母抽出物、を含む組成物。
【請求項１０４】
担体、界面活性剤、または分散剤の１つまたは組合せをさらに含む、請求項１０３の組成物。
【請求項１０５】
微生物学的、生物学的もしくは化学的な、殺虫剤、殺真菌剤、殺線虫剤、殺細菌剤、除草剤、植物抽出物、植物成長調整剤または肥料の１つまたは組合せをさらに含む、請求項１０３の組成物。
【請求項１０６】
前記微生物は真菌種を含む、請求項１０３の組成物。
【請求項１０７】
前記微生物は細菌種を含む、請求項１０３の組成物。
【請求項１０８】
前記微生物は、バチルス属種微生物を含む、請求項１０３の組成物。
【請求項１０９】
前記微生物は、バチルス・アミロリケファシエンスを含む、請求項１０３の組成物。
【発明の詳細な説明】
【技術分野】
【０００１】
（関連出願の相互参照）
本願は、２０１４年１２月２９日に出願された米国仮出願第６２／０９７，２０７号の利益を主張し、その全体を参照をもって本願明細書に組み込む。
【０００２】
（技術分野）
本開示の主題は、植物成長に利益を与えかつ植物病害（複数可）を治療する、植物の葉、植物果実および花、植物の種子および根、ならびに植物の周りの土壌への適用のためのバチルス・アミロリケファシエンスＲＴＩ４７２の単離された株を含む組成物に関する。
【背景技術】
【０００３】
植物成長および健康に有益な効果を有するいくつかの微生物は、土壌中に存在し、根域（Ｐｌａｎｔ  Ｇｒｏｗｔｈ  Ｐｒｏｍｏｔｉｏｎ  Ｒｈｉｚｏｂａｃｔｅｒｉａ  「ＰＧＰＲ」）に特異的に生息する植物、または植物内のエンドファイト（ｅｎｄｏｐｈｙｔｅ）として存在することが知られている。それらの有益な植物成長促進特性には、窒素固定、鉄キレート化、リン酸可溶化、非有益な微生物の阻害、害虫抵抗性、誘発性全身抵抗性（ＩＳＲ）、全身獲得抵抗性（ＳＡＲ）、有用な土壌有機物の増加のための土壌中の植物材料の分解、および植物ホルモンの合成、例えば、植物の成長、発達、および干ばつなどの環境ストレスへの反応を刺激するインドール酢酸（ＩＡＡ）、アセトインおよび２，３−ブタネジオールを含む。さらに、これらの微生物は、前駆体分子である１−アミノシクロプロパン−１−カルボキシレート（ＡＣＣ）を分解することにより植物のエチレンストレス応答に干渉し得、それによって植物の成長を刺激し、果実の熟成を遅らせる。これらの有益な微生物は、土壌の品質、植物の生育、収量および作物の品質を改善することができる。種々の微生物は、植物病害を防除するのに有用であるような生物学的活性を示す。そのような生物農薬（生存生物およびこれらの生物によって天然に産生される化合物）は、合成肥料および農薬よりも安全で生分解性が高い。
【０００４】
限定されないが、ボトリチス属種（例えば、ボトリチス・シネレア）、フザリウム属種（Ｆｕｓａｒｉｕｍ  ｓｐｐ）（例えば、Ｆ．オキシスポラム（Ｆ．ｏｘｙｓｐｏｒｕｍ）およびＦ．グラミネアラム（Ｆ．ｇｒａｍｉｎｅａｒｕｍ））、リゾクトニア属種（Ｒｈｉｚｏｃｔｏｎｉａ  ｓｐｐ．）（例えばＲ．ソラニ（Ｒ．ｓｏｌａｎｉ））、マグナポルテ属種、マイコスフェレラ属種、プッチニア属種（例えばＰ．レコンディタ（Ｐ．ｒｅｃｏｎｄｉｔａ））、フィトプツロラ属種（Ｐｈｙｔｏｐｔｈｏｒａ  ｓｐｐ．）およびファコプソラ属種（Ｐｈａｋｏｐｓｏｒａ  ｓｐｐ．）（例えば、Ｐ．パキリジ（Ｐ．ｐａｃｈｙｒｈｉｚｉ））を含む真菌性植物病原体は、農業および園芸産業における経済的損失を引き起こす可能性のある植物病害虫の１つである。真菌の植物病原体を防除するために化学薬剤を使用することができるが、化学薬剤の使用は、高コスト、有効性の欠如、真菌の耐性株の出現および望ましくない環境への影響を含む欠点を有する。さらに、そのような化学的処理は無差別である傾向があり、処理が標的とされる植物病原体に加えて有益な細菌、真菌および節足動物に悪影響を及ぼし得る。第２のタイプの植物有害生物は、限定されないが、農業および園芸産業において経済的損失を与える原因となる、エルウィニア属種（Ｅｒｗｉｎｉａ  ｓｐｐ．）（エルウィニア・クリサンチミー（Ｅｒｗｉｎｉａ  ｃｈｒｙｓａｎｔｈｅｍｉ）など）、パントエア属種（Ｐａｎｔｏｅａ  ｓｐｐ．）（Ｐ．シトレア（Ｐ．ｃｉｔｒｅａ）など）、キサントモナス（例えば、キサントモナス・カンペストリス）、シュードモナス属種（Ｐｓｅｕｄｏｍｏｎａｓ  ｓｐｐ．）（Ｐ．シリンガエ（Ｐ．ｓｙｒｉｎｇａｅ）など）およびラルストニア属種（Ｒａｌｓｔｏｎｉａ  ｓｐｐ．）（Ｒ．ソラナセラム（Ｒ．ｓｏｌｅａｃｅａｒｕｍ）など）を含む細菌病原体である。病原性真菌と同様に、これらの細菌病原体を治療するための化学物質の使用には欠点がある。ウイルスおよびウイルス様生物は、制御が困難である第３のタイプの植物に病気を引き起こさせる物質を含み、細菌性微生物は、誘発性全身抵抗（ＩＳＲ）によってウイルスおよびウイルス様生物に対して植物の抵抗性を与えることができる。したがって、病原体、ウイルスおよび細菌を防除するために生物肥料および／または生物農薬として適用され得る微生物が望ましく、農業の持続可能性を改善することが強く求められている。最終的なタイプの植物病原体には、植物の病原性線虫および昆虫が含まれ、植物の重篤な損傷および喪失を引き起こし得る。
【０００５】
バチルス種のいくつかのメンバーは生物防除株として報告されており、一部は商業的な製品に適用されている（Ｊｏｓｅｐｈ  Ｗ．  Ｋｌｏｅｐｐｅｒ，  ｅｔ  ａｌ．  ２００４，  Ｐｈｙｔｏｐａｔｈｏｌｏｇｙ  Ｖｏｌ．  ９４，  Ｎｏ．  １１，  １２５９−１２６６）。例えば、現在市販されている生物防除製品に使用されている菌株は、ＳｏｎａｔａおよびＢａｌｌａｄ−ｐｌｕｓの有効成分としてＢａｙｅｒ  Ｃｒｏｐ  Ｓｃｉｅｎｃｅによって製造されたバチルス・プミルス（Ｂａｃｉｌｌｕｓ  ｐｕｍｉｌｕｓ）株ＱＳＴ２８０８；Ｂａｙｅｒ  Ｃｒｏｐ  Ｓｃｉｅｎｃｅによって製造されたＹｉｅｌｄＳｈｉｅｌｄの有効成分として使用されるバチルス・プミルス菌株ＧＢ３４；Ｂａｙｅｒ  Ｃｒｏｐ  Ｓｃｉｅｎｃｅによって製造されたＳＥＲＥＮＡＤＥの有効成分として使用されるバチルス・サブチリス株ＱＳＴ７１３；  Ｈｅｌｉ  Ｃｈｅｍｉｃａｌ  Ｃｏｍｐａｎｙによって製造されたＫｏｄｉａｋおよびＳｙｓｔｅｍ３の有効成分として使用される枯草菌ＧＢＯ３株、を含む。バチルス・チューリンゲンシスおよびバチルス・フィルムスの様々な株が、線虫およびベクター昆虫に対する生物防除剤として適用され、これらの株は、Ｂａｙｅｒ  Ｃｒｏｐ  Ｓｃｉｅｎｃｅによって製造されるＮＯＲＴＩＣＡおよびＰＯＮＣＨＯ−ＶＯＴＩＶＯを含む、商業的に入手可能な多数の生物防除製品の基礎として役立つ。さらに、現在市販されている生体刺激製品に使用されているバチルス株は、ＡＢｉＴＥＰ  ＧｍｂＨによって製造されるＲｈｉｚｏＶｉｔａｌ  ４２の有効成分として使用されるバチルス・アミロリケファシエンスＦＺＢ４２株、ならびにＪＨＢｉｏｔｅｃｈ  Ｉｎｃ．によって製造されるＦＵＬＺＹＭＥのような生物刺激製品中の発酵抽出物を含む全細胞として含まれる他の様々なバチルス・サブチリス、を含む。
【発明の概要】
【発明が解決しようとする課題】
【０００６】
本明細書に開示される主題は、微生物組成物ならびに植物成長および疾患の予防および防除に利益を与えるためのそれらの使用方法を提供する。
【課題を解決するための手段】
【０００７】
一実施形態では、植物成長へ利益を与えることまたは感受性植物において病原体感染に対する保護を与えることの１つまたは両方を植物に適用するための、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物を含む組成物が提供される。
【０００８】
一実施形態では、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物の胞子を含む組成物で被覆した植物種子が提供され、植物成長に利益を与え、および／または感受性植物において病原体感染に対する保護を与えるのに適した量で存在する。
【０００９】
一実施形態では、植物成長に利益を与えることまたは感受性植物において病原体感染に対する保護を与えることの１つまたは両方のための組成物が提供され、該組成物は、植物成長に利益を与え、および／または感受性植物において病原体感染に対する保護を与えるのに適した量でＡＴＣＣ番号ＰＴＡ−１２１１６６として寄託されたバチルス・アミロリケファシエンスＲＴＩ４７２、またはその全ての同定特徴を含むその突然変異体の生物学的に純粋な培養物、ならびに、植物成長に利益を与え、および／または感受性植物において病原体感染に対する保護を与えるのに適した量で微生物学的、生物学的または化学的殺虫剤、殺真菌剤、殺線虫剤、殺細菌剤、除草剤、植物抽出物、植物成長調整剤または肥料のうちの１つ以上の組み合わせを含む。
【００１０】
一実施形態では、植物成長に利益を与えることまたは感受性植物において病原体感染に対する保護を与えることの１つまたは両方のための方法が提供され、該方法は、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物の胞子を含む組成物を、植物成長に利益を与え、および／または感受性植物において病原体感染に対する保護を与えるのに適した量で、植物の葉、植物の樹皮、植物の果実、植物の花、植物の種子、植物の根、植物の切断片、植物の移植片、植物のカルス組織、植物の周囲の土壌または成長培地、植物の種子を播種する前の土壌または成長培地、または植物、植物切断片、植物移植片、植物カルス組織を植える前の土壌もしくは生育培地に送達することを含む。
【００１１】
一実施形態では、植物成長に利益を与えることまたは感受性植物において病原体感染に対する保護を与えることの１つまたは両方のための方法が提供され、該方法は、植物成長に利益を与え、および／または感受性植物において病原体感染に対する保護を与えるのに適した量でＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物の胞子、ならびに植物成長に利益を与え、および／または感受性植物において病原体感染に対する保護を与えるのに適した量で微生物学的、生物学的もしくは化学的殺虫剤、殺真菌剤、殺線虫剤、殺細菌剤、除草剤、植物抽出物、植物成長調整剤または肥料のうちの１つまたは組合せを含む組成物を、植物の葉、植物の樹皮、植物の果実、植物の花、植物の種子、植物の根、植物の切断片、植物の移植片、植物のカルス組織、植物の周囲の土壌または成長培地、植物の種子を播種する前の土壌または成長培地、または植物、植物切断片、植物移植片、植物カルス組織を植える前の土壌もしくは生育培地に送達することを含む。
【００１２】
一実施形態では、植物成長に利益を与えることまたは感受性植物において病原体感染に対する保護を与えることの１つまたは両方のための方法が提供され、該方法は、植物成長に利益を与え、および／または感受性植物において病原体感染に対する保護を与えるのに適した量でＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物の胞子を含む第１組成物、ならびに植物成長に利益を与え、および／または感受性植物において病原体感染に対する保護を与えるのに適した量で微生物学的、生物学的もしくは化学的殺虫剤、殺真菌剤、殺線虫剤、殺細菌剤、除草剤、植物抽出物、植物成長調整剤または肥料のうちの１つまたは組合せを含む第２組成物の組み合わせを、植物の葉、植物の樹皮、植物の果実、植物の花、植物の種子、植物の根、植物の切断片、植物の移植片、植物のカルス組織、植物の周囲の土壌または成長培地、植物の種子を播種する前の土壌または成長培地、または植物、植物切断片、植物移植片、植物カルス組織を植える前の土壌もしくは生育培地に送達することを含む。
【００１３】
一実施形態では、植物成長に利益を与えることまたは感受性植物において病原体感染に対する保護を与えることの１つまたは両方のための方法が提供され、この方法は、植物の種子を植え付けること、または植物性切断／組織を適切な成長培地に再生すること、ここで、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物を含む組成物で、種子が被覆されているまたは植物性切断／組織が接種され、種子または植物性切断／組織からの植物の成長には利益が与えられおよび／または病原体感染に対する保護が与えられることを、含む。
【００１４】
一実施形態では、処理に対する耐性の蓄積を最小化しながら、感受性植物に対する保護を与えるまたは病原体感染を減少させることによって植物成長に利益を与える方法が提供され、該方法は、第１組成物および第２組成物の時間間隔を変えながら別々の適用において感受性植物に送達することを含み、第１および第２組成物のそれぞれは、植物における病原体感染に対する保護を与えるか、または病原体感染を減少させるのに適した量で送達され、第１組成物は、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物を含み、第２組成物は、殺真菌特性または殺菌特性を有する１つ以上の化学活性剤を含み、第１組成物および第２組成物は、時間間隔を変えながら植物の葉、植物の樹皮、植物の果実、植物の花、植物の種子、植物の根、植物の切断片、植物の移植片、植物のカルス組織、または植物の周囲の土壌または成長培地の１つまたは組み合わせへ送達され、病原体感染に対する保護および／または病原体感染を低減するために必要な化学活性剤の総量が減少し、治療に対する耐性の蓄積が最小限に抑えられる。
【００１５】
本発明の一実施形態では、組成物が提供され、該組成物は、植物成長に利益または感受性植物において病原体感染に対する保護の１つまたは両方を与えるために、適切な量の単離されたフェンギシン−ＭＡ化合物、単離されたフェンギシンＭＢ化合物、単離されたフェンギシンＭＣ化合物、単離されたデヒドロキシフェンギシンＭＡ化合物、単離されたデヒドロキシフェンギシンＭＢ化合物、単離されたフェンギシンＨ化合物、単離されたフェンギシンＩ化合物、および単離されたデヒドロキシフェンギシンＩ化合物のうちの少なくとも１つを含み、該フェンギシンおよびデヒドロキシフェンギジン化合物は、以下の式を有する。
【化１】
2018508472.tif 000002
【００１６】
式中、ＲはＯＨであり、ｎは８から２０までの範囲であり、ＦＡは直鎖状、イソ、またはアンテイソであり、ならびにフェンギシンＭＡについてＸ１はＡｌａであり、Ｘ２はＴｈｒであり、およびＸ３はＭｅｔであり；フェンギシンＭＢについてＸ１はＶａｌであり、Ｘ２はＴｈｒであり、およびＸ３はＭｅｔであり；フェンギシンＭＣについてＸ１はＡｂａであり、Ｘ２はＴｈｒであり、およびＸ３はＭｅｔであり；フェンギシンＨについてＸ１はＶａｌであり、Ｘ２はＴｈｒであり、およびＸ３はＨｃｙであり；ならびにフェンギシンＩについてＸ１はＩｌｅであり、Ｘ２はＴｈｒであり、およびＸ３はＩｌｅであり；または、ＲはＨであり、ｎは８から２０の範囲であり、ＦＡは直鎖状、イソ、またはアンテイソであり、ならびにデヒドロキシフェンギシンＭＡについてＸ１はＡｌａであり、Ｘ２はＴｈｒであり、およびＸ３はＭｅｔであり；デヒドロキシフェンギシンＭＢについてＸ１はＶａｌであり、Ｘ２はＴｈｒであり、およびＸ３はＭｅｔであり；ならびにデヒドロキシフェンギシンＩについてＸ１はＩｌｅであり、Ｘ２はＴｈｒであり、およびＸ３はＩｌｅである。
【００１７】
一実施形態では、感受性植物において病原体感染に対する保護を与えるのに適切な量で、３３４１．６Ｄａに等しい分子量を有する単離されたエリシンＳ化合物、および２９８５．４Ｄａに等しい分子量を有する単離されたエリシンＡ化合物の１つまたは両方を含む組成物が提供される。
【００１８】
一実施形態では、ＡＴＣＣ番号ＰＴＡ−１２１１６６として寄託されているバチルス・アミロリケファシエンスＲＴＩ４７２の生物学的に純粋な培養物を含む抽出物が提供され、該抽出物は、表ＸＶＩＩに示されるフェンギシン−ＭＡ、−ＭＢ、−ＭＣ、−Ｈおよび−Ｉ化合物ならびにデヒドロキシフェンギシン−ＭＡ、−ＭＢおよび−Ｉ化合物ならびに追加のフェンギシン様およびデヒドロキシフェンギシン様化合物の１つまたは組み合わせを含む。
【００１９】
一実施形態では、バチルス・アミロリケファシエンスの生物学的に純粋な培養物を含む抽出物が提供され、該抽出物は、３３４１．６Ｄａに等しい分子量を有する単離されたエリシンＳ化合物、または２９８５．４Ｄａに等しい分子量を有する単離されたエリシンＡ化合物のうちの少なくとも１つを含む。
【００２０】
一実施形態では、植物成長に利益を与えるための組成物が提供され、該組成物は、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物、およびビフェントリン殺虫剤を含む。
【００２１】
一実施形態では、植物成長に利益を与えるための組成物が提供され、該組成物は、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物、ならびにルピナス・アルブス（Ｌｕｐｉｎｕｓ  ａｌｂｕｓ）抽出物、ＢＬＡＤポリペプチド、またはＢＬＡＤポリペプチドの断片の１つまたは組合せを含む殺真菌剤を含む。
【００２２】
一実施形態では、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物を含む第１成分、微生物学的、生物学的もしくは化学的殺虫剤、殺真菌剤、殺線虫剤、殺細菌剤、除草剤、植物抽出物、植物成長調整剤または肥料の１つまたは組合せを含む第２成分を含み、ここで第１および第２成分は別々に包装され、各成分は、植物成長への利益の付与または感受性植物において病原体感染に対する保護の付与の１つまたは両方に適した量であり、任意で、植物成長への利益を与えるのに適した量であり、第１および第２成分の組み合わせを：植物の葉、植物の樹皮、植物の果実、植物の花、植物の種子、植物の根、植物の切断片、植物の移植片、植物のカルス組織、植物の周囲の土壌もしくは成長培地、植物の種子を播種する前の土壌もしくは成長培地もしくは植物、植物切断片、植物移植片、植物カルス組織を植える前の土壌または成長培地に送達するための指示書を含む製品が提供される。
【００２３】
一実施形態では、植物の成長または植物の健康の１つまたは両方に有益な特性を有する１つ以上の微生物の生物学的に純粋な培養物、ならびに植物成長に利益を与えるまたは感受性植物において病原体感染に対する保護を与えることのいずれかまたは両方のために植物に適用するための酵母抽出物を含む組成物が提供される。
【００２４】
本明細書で開示された主題を一般的な用語で説明し、以下に示す添付図面を参照する。
【図面の簡単な説明】
【００２５】
【図１】本開示の１つ以上の実施形態による、各矢印の下に示されたＲＴＩ４７２への配列同一パーセンテージを有する、バチルス・アミロリケファシエンスＦＺＢ４２（中）およびバチルス・アミロリケファシエンスＴｒｉｇｏＣｏｒ１４４８（下）の２つのバチルス・アミロリケファシエンス参照株の対応する領域と比較した、バチルス・アミロリケファシエンス株ＲＴＩ４７２（上）に見出されるランチビオティック生合成オペロンを取り囲むおよび含むゲノム組織の概略図を示す。さらなる解析により、ＭＷ＝３３４１．６ＤａのエリシンＳ分子および２９８５．４ＤａのＭＷのエリシンＡ分子（これはバチルス・アミロリケファシエンス株に独特である）を産生するためのランチペプチド合成オペロンが明らかになった。
【図２Ａ】バチルス・アミロリケファシエンスＲＴＩ４７２株および「ＦＢ００５」と命名された未公表のバチルス・アミロリケファシエンス株の代謝産物プロファイルのグラフであり、ＲＴＩ４７２株が、エリシンＳ分子（ＭＷ＝３３４１．６Ｄａ）およびエリシンＡ分子（ＭＷ＝２９８５．４Ｄａ）を産生するが、ＦＢ００５株についてはエリシンＡもエリシンＳも検出されなかったことを示す。
【図２Ｂ】ＲＴＩ４７２株で同定されたランチペプチド生合成クラスターと７つの参照バチルス・アミロリケファシエンスゲノムとの比較を示す表であり、７つの参照バチルス・アミロリケファシエンスゲノムの領域におけるシンテニーの喪失を示す。このランチペプチド生合成クラスターはＲＴＩ４７２株のエリシンＳ生合成クラスターとして同定されたが、７つの参照株のいずれも機能的なエリシンＳ生合成クラスターを有さなかった。
【図２Ｃ】ＲＴＩ４７２株で同定されたランチペプチド生合成クラスターと７つの参照バチルス・アミロリケファシエンスゲノムとの比較を示す表であり、７つの参照バチルス・アミロリケファシエンスゲノムの領域におけるシンテニーの喪失を示す。このランチペプチド生合成クラスターはＲＴＩ４７２株のエリシンＳ生合成クラスターとして同定されたが、７つの参照株のいずれも機能的なエリシンＳ生合成クラスターを有さなかった。これらの図は、本発明の１つ以上の実施形態による他の参照バチルス・アミロリケファシエンス株には存在しないＲＴＩ４７２株におけるエリシンＳ生合成クラスターとして同定された代謝産物プロファイルとランチペプチド生合成クラスターとの比較を示す。
【図３】本発明の１つ以上の実施形態による、豆さび（ｂｅａｎ  ｒｕｓｔ）（ウロマイセス・アペンディキュラタス（Ｕｒｏｍｙｃｅｓ  ａｐｐｅｎｄｉｃｕｌａｔｕｓ））で感染させ、その後使用済み発酵ブロス（ＳＦＢ）（１×１０８ｃｆｕ／ｍｌで適用）、ＴＡＣＴＩＣ（全ての製剤に０．１８７５％で適用され、ブランク対照としても使用される）、テブコナゾール（５０ｇ  ａ．ｉ．／ｈａで適用）、クロロタロニル（５００ｇ  ａ．ｉ．／ｈａで適用）、ＳＥＲＥＮＡＤＥ  ＯＰＴＩＭＵＭ（１×１０８ｃｆｕ／ｍｌで適用）、およびＳＥＲＥＮＡＤＥ  ＯＰＴＩＭＵＭ（４×１０８ｃｆｕ／ｍｌで適用）中のそれぞれのＲＴＩ４７２胞子で処理した後１０日目のｙ軸における％病害防除（平均）を示す棒グラフである。非処理対照は２３％の病害をもたらした。同じ文字が後に続く値は、有意な差ではない（ｐ＝０．１０）。
【図４】本発明の１つ以上の実施形態による、ミクロスファエラ・ディフサ（Ｍｉｃｒｏｓｐｈａｅｒａ  ｄｉｆｆｕｓａ）で感染ささせた大豆植物の近くに置き使用済み発酵ブロス（ＳＦＢ）（１×１０８ｃｆｕ／ｍｌで適用）、ＳＥＲＥＮＡＤＥ  ＯＰＴＩＭＵＭ（１×１０８ｃｆｕ／ｍｌで適用）、およびＨＯＲＩＺＯＮ（５０ｇ  ａ．ｉ．／ｈａで適用されたテブコナゾール）中のそれぞれのＲＴＩ４７２で処理した後９日目の大豆植物のｙ軸における％病害防除（平均）を示す棒グラフである。さらに、各処理は、アジュバントとしてＴＡＣＴＩＣ（０．１８７５％で適用）を含んだ。非処理対照は７０％の病害重症度をもたらした。同じ文字が後に続く値は、有意な差ではない（ｐ＝０．１０）。
【図５】ペッパー・ボトリチス病害（Ｐｅｐｐｅｒ  Ｂｏｔｒｙｔｉｓ  Ｂｌｉｇｈｔ）（ボトリチス・シネレア）で感染させ、その後使用済み発酵ブロス（ＳＦＢ）（１×１０８ｃｆｕ／ｍｌで適用）、ＴＡＣＴＩＣ（全ての製剤に０．１８７５％で適用され、ブランク対照としても使用される）、テブコナゾール（５０ｇ  ａ．ｉ．／ｈａで適用）、クロロタロニル（５００ｇ  ａ．ｉ．／ｈａで適用）、ＳＥＲＥＮＡＤＥ  ＯＰＴＩＭＵＭ（１×７８ｃｆｕ／ｍｌで適用）、およびＳＥＲＥＮＡＤＥ  ＯＰＴＩＭＵＭ（４×１０８ｃｆｕ／ｍｌで適用）中のそれぞれのＲＴＩ４７２胞子で処理した後１０日目のｙ軸における％病害防除（平均）を示す棒グラフである。非処理対照は、本発明の１つ以上の実施形態による６％の病害をもたらした。同じ文字が後に続く値は、有意な差ではない（ｐ＝０．１０）。
【図６】本発明の１つ以上の実施形態による、ペッパー・ボトリチス病害（ボトリチス・シネレア）で感染させ、その後ＴＡＣＴＩＣ（０．１８７５％で全ての製剤へ適用およびまたブランク対照として使用）、ＳＥＲＥＮＡＤＥ  ＯＰＴＩＭＵＭ（４×１０８で適用）、およびテブコナゾール（５０ｇ  ａ．ｉ．／ｈａで適用）と比較して、使用済み発酵ブロス（ＳＦＢ）（２．５×１０６、１×１０７、２．５×１０７、１×１０８、および２．５×１０８ｃｆｕ／ｍｌで適用）およびＥＲＥＮＡＤＥ  ＯＰＴＩＭＵＭ（２．５×１０６、１×１０７、２．５×１０７、１×１０８、および２．５×１０８ｃｆｕ／ｍｌで適用）中のそれぞれのＲＴＩ４７２胞子で処理した後３日目のｙ軸における％病害防除（平均）を示す棒グラフである。非処理対照は３０％の病害をもたらした。同じ文字が後に続く値は、有意な差ではない（ｐ＝０．１０）。
【図７】本発明の１つ以上の実施形態による、ペッパー・ボトリチス病害（Ｐｅｐｐｅｒ  Ｂｏｔｒｙｔｉｓ  Ｂｌｉｇｈｔ）（ボトリチス・シネレア）の増大した量で感染させ、その後ＴＡＣＴＩＣ（０．１８７５％で全ての製剤へ適用およびまたブランク対照として使用）およびテブコナゾール（Ｈｏｒｉｚｏｎ：５０ｇ  ａ．ｉ．／ｈａで適用）と比較して、使用済み発酵ブロス（ＳＦＢ）（１．０×１０８ｃｆｕ／ｍｌで適用）およびＥＲＥＮＡＤＥ  ＯＰＴＩＭＵＭ（１×１０８および４×１０８ｃｆｕ／ｍｌで適用）中のそれぞれのＲＴＩ４７２胞子で処理した後４日目のｙ軸における％病害防除（平均）を示す棒グラフである。ボトリチス・シネレア（分生子／ｍｌ）の増加する量の感染の関数としての、非処理対照における病害のパーセントは、５０ｋ＝１５％、１００ｋ＝３０％、５００ｋ＝６５％、１Ｍ＝６５％および２Ｍ＝６５であった。同じ文字が後に続く値は、有意な差ではない（ｐ＝０．１０）。
【図８Ａ】本発明の１つ以上の実施形態によるＳＥＲＥＮＡＤＥ  ＯＰＴＩＭＵＭ（１×１０８ｃｆｕ／ｍｌで適用）で処理した後の５０ｋ分生子／ｍｌのペッパー・ボトリチス病害（ボトリチス・シネレア）による感染４日後のペッパー植物の画像である。
【図８Ｂ】本発明の１つ以上の実施形態による使用済み発酵ブロス（ＳＦＢ）（１×１０８ｃｆｕ／ｍｌで適用）中のＲＴＩ４７２胞子で処理した後の５０ｋ分生子／ｍｌのペッパー・ボトリチス病害（ボトリチス・シネレア）による感染４日後のペッパー植物の画像である。
【図８Ｃ】本発明の１つ以上の実施形態によるＴＡＣＴＩＣ（全ての製剤に対して０．１８７５％で適用しかつブランク対照として使用）で処理した後の５０ｋ分生子／ｍｌのペッパー・ボトリチス病害（ボトリチス・シネレア）による感染４日後のペッパー植物の画像である。
【図８Ｄ】本発明の１つ以上の実施形態による感染した対照で処理した後の５０ｋ分生子／ｍｌのペッパー・ボトリチス病害（ボトリチス・シネレア）による感染４日後のペッパー植物の画像である。
【図９Ａ】本発明の１つ以上の実施形態によるＳＥＲＥＮＡＤＥ  ＯＰＴＩＭＵＭ（１×１０８ｃｆｕ／ｍｌで適用）で処理した後の１００ｋ分生子／ｍｌのペッパー・ボトリチス病害（ボトリチス・シネレア）による感染４日後のペッパー植物の画像である。
【図９Ｂ】本発明の１つ以上の実施形態による使用済み発酵ブロス（ＳＦＢ）（１×１０８ｃｆｕ／ｍｌで適用）中のＲＴＩ４７２胞子で処理した後の１００ｋ分生子／ｍｌのペッパー・ボトリチス病害（ボトリチス・シネレア）による感染４日後のペッパー植物の画像である。
【図９Ｃ】本発明の１つ以上の実施形態によるＴＡＣＴＩＣ（全ての製剤に対して０．１８７５％で適用しかつブランク対照として使用）で処理した後の１００ｋ分生子／ｍｌのペッパー・ボトリチス病害（ボトリチス・シネレア）による感染４日後のペッパー植物の画像である。
【図９Ｄ】本発明の１つ以上の実施形態による感染した対照で処理した後の１００ｋ分生子／ｍｌのペッパー・ボトリチス病害（ボトリチス・シネレア）による感染４日後のペッパー植物の画像である。
【図１０Ａ】本発明の１つ以上の実施形態によるＳＥＲＥＮＡＤＥ  ＯＰＴＩＭＵＭ（１×１０８ｃｆｕ／ｍｌで適用）で処理した後の５００ｋ分生子／ｍｌのペッパー・ボトリチス病害（ボトリチス・シネレア）による感染４日後のペッパー植物の画像である。
【図１０Ｂ】本発明の１つ以上の実施形態による使用済み発酵ブロス（ＳＦＢ）（１×１０８ｃｆｕ／ｍｌで適用）中のＲＴＩ４７２胞子で処理した後の５００ｋ分生子／ｍｌのペッパー・ボトリチス病害（ボトリチス・シネレア）による感染４日後のペッパー植物の画像である。
【図１０Ｃ】本発明の１つ以上の実施形態によるＴＡＣＴＩＣ（全ての製剤に対して０．１８７５％で適用しかつブランク対照として使用）で処理した後の５００ｋ分生子／ｍｌのペッパー・ボトリチス病害（ボトリチス・シネレア）による感染４日後のペッパー植物の画像である。
【図１０Ｄ】本発明の１つ以上の実施形態による感染した対照で処理した後の５００ｋ分生子／ｍｌのペッパー・ボトリチス病害（ボトリチス・シネレア）による感染４日後のペッパー植物の画像である。
【図１１Ａ】本発明の１つ以上の実施形態によるＳＥＲＥＮＡＤＥ  ＯＰＴＩＭＵＭ（１×１０８ｃｆｕ／ｍｌで適用）で処理した後の１Ｍ分生子／ｍｌのペッパー・ボトリチス病害（ボトリチス・シネレア）による感染４日後のペッパー植物の画像である。
【図１１Ｂ】本発明の１つ以上の実施形態による使用済み発酵ブロス（ＳＦＢ）（１×１０８ｃｆｕ／ｍｌで適用）中のＲＴＩ４７２胞子で処理した後の１Ｍ分生子／ｍｌのペッパー・ボトリチス病害（ボトリチス・シネレア）による感染４日後のペッパー植物の画像である。
【図１１Ｃ】本発明の１つ以上の実施形態によるＴＡＣＴＩＣ（全ての製剤に対して０．１８７５％で適用しかつブランク対照として使用）で処理した後の１Ｍ分生子／ｍｌのペッパー・ボトリチス病害（ボトリチス・シネレア）による感染４日後のペッパー植物の画像である。
【図１１Ｄ】本発明の１つ以上の実施形態による感染した対照で処理した後の１Ｍ分生子／ｍｌのペッパー・ボトリチス病害（ボトリチス・シネレア）による感染４日後のペッパー植物の画像である。
【図１２Ａ】本発明の１つ以上の実施形態によるＳＥＲＥＮＡＤＥ  ＯＰＴＩＭＵＭ（１×１０８ｃｆｕ／ｍｌで適用）で処理した後の２Ｍ分生子／ｍｌのペッパー・ボトリチス病害（ボトリチス・シネレア）による感染４日後のペッパー植物の画像である。
【図１２Ｂ】本発明の１つ以上の実施形態による使用済み発酵ブロス（ＳＦＢ）（１×１０８ｃｆｕ／ｍｌで適用）中のＲＴＩ４７２胞子で処理した後の２Ｍ分生子／ｍｌのペッパー・ボトリチス病害（ボトリチス・シネレア）による感染４日後のペッパー植物の画像である。
【図１２Ｃ】本発明の１つ以上の実施形態によるＴＡＣＴＩＣ（全ての製剤に対して０．１８７５％で適用しかつブランク対照として使用）で処理した後の２Ｍ分生子／ｍｌのペッパー・ボトリチス病害（ボトリチス・シネレア）による感染４日後のペッパー植物の画像である。
【図１２Ｄ】本発明の１つ以上の実施形態による感染した対照で処理した後の２Ｍ分生子／ｍｌのペッパー・ボトリチス病害（ボトリチス・シネレア）による感染４日後のペッパー植物の画像である。
【図１３】本発明の１つ以上の実施形態によるこの病原体に対するＲＴＩ４７２株の拮抗活性を決定するための４つの独立したイチゴ野外試験のそれぞれにおける非処理対照（「ＵＴ」）におけるボトリチス・シネレア病原体に感染した果実のパーセントのグラフを示す。
【図１４】本発明の１つ以上の実施形態によるバチルス・アミロリケファシエンスおよびバチルス・アミロリケファシエンスＲＴＩ４７２単離物により産生された新しく同定された（太字のタイプで示される）フェンギシンおよびデヒドロキシフェンギシン型の分子を含む微生物種により産生された以前報告されたフェンギシンおよびデヒドロキシフェンギシン型環状リポペプチドの両方を示す概略図である。
【図１５】本発明の１つ以上の実施形態による酸沈殿後のＲＴＩ４７２使用済み発酵ブロス（ＳＦＢ）から回収されたリポペプチドのパーセンテージを示すグラフである。用語「４７２−ＡＰ−ペレット」および「４７２−ＡＰ−上清」は、遠心分離したＳＦＢの酸沈殿後に得られた再懸濁ペレットおよび上清をそれぞれ意味する。パーセンテージを、ＲＴＩ４７２使用済み発酵ブロス（４７２−ＳＦＢ）由来の各リポペプチドの積分イオン存在量に基づいて計算し、比較した。
【図１６Ａ】ＲＴＩ４７２消費発酵ブロス（４７２−ＳＦＢ）を用いて８６９寒天プレート上にスポットされたボトリチス・シネレアを示す。
【図１６Ｂ】酸沈殿＋遠心分離（４７２−ＡＰ−ペレット）の後に得られた再懸濁したペレット材料を有する８６９寒天プレート上にスポットされたボトリチス・シネレアを示す。
【図１６Ｃ】ＲＴＩ４７２使用済み発酵ブロス（４７２−ＳＦＢ）を用いて８６９寒天プレート上にスポットされたフザリウム・グラミネアラムを示す。
【図１６Ｄ】酸沈殿＋遠心分離（４７２−ＡＰ−ペレット）の後に得られた再懸濁したペレット材料を有する８６９寒天プレート上にスポットされたフザリウム・グラミネアラムを示す。図１６Ａ〜１６Ｄは、本発明の１つ以上の実施形態によるＢ．アミロリケファシエンス（Ｂ．ａｍｙｌｏｌｉｑｕｅｆａｃｉｅｎｓ）ＲＴＩ４７２の使用済み発酵ブロス（ＳＦＢ）の酸沈殿物中の単離代謝産物によるボトリチス・シネレアおよびフザリウム・グラミネアラムの防除を示すプレートアッセイの画像である。陽性対照については、１０μｌのＲＴＩ４７２の細胞培養物を真菌の隣の各プレートの左側にスポットした。
【発明を実施するための形態】
【００２６】
特許請求の範囲を含む本出願で使用される場合、用語「ａ」、「ａｎ」および「ｔｈｅ」は、「１つ以上」を指す。したがって、例えば、「植物（ａ  ｐｌａｎｔ）」への言及は、文脈が明らかに反対でない限り、複数の植物（ａ  ｐｌｕｒａｌｉｔｙ  ｏｆ  ｐｌａｎｔｓ）を含む。
【００２７】
明細書および特許請求の範囲を通じて、用語「含む（ｃｏｍｐｒｉｓｅ）」、「含む（ｃｏｍｐｒｉｓｅｓ）」、および「含む（ｃｏｍｐｒｉｓｅｉｎｇ）」は、文脈上別途必要な場合を除いて、非排他的な意味で使用される。同様に、「含む（ｉｎｃｌｕｄｅ）」という用語およびその文法上の変形は、リスト内の項目の列挙が、リストされた項目に置換または追加され得る他の同様の項目を除外しないような非限定を意図する。
【００２８】
明細書および特許請求の範囲では、用語「約」は、１つ以上の数値または数値範囲に関連して使用される場合、範囲内の全ての数値を含むそのような数値全てを指すと理解されるべきであり、設定された数値の上および下の境界を拡張することによってその範囲を変更する。終点による数値範囲の列挙は、その範囲内に包含される全ての数、例えば、全整数、その少数を含む（例えば、１〜５の記載は１、２、３、４および５、ならびに少数１．５、２．２５、３．７５、４．１などを含む）およびその範囲内の任意の範囲を含み得る。
【００２９】
本明細書および特許請求の範囲では、用語「代謝産物」および「化合物」は、ＲＴＩ４７２株または別のバチルス・アミロリケファシエンス株によって産生される抗菌活性を有する化合物に関連して使用される場合に互換的に使用される。 
【００３０】
本明細書で使用される場合、「細菌株の生物学的に純粋な培養物」という語句は、細菌株の生物学的に純粋な発酵培養物の胞子、細菌株の生物学的に純粋な発酵培養物の栄養細胞、細菌株の生物学的に純粋な発酵培養物の１つ以上の生成物、細菌株の生物学的に純粋な発酵培養物の培養固体、細菌株の生物学的に純粋な発酵培養物の培養上清、細菌株の生物学的に純粋な発酵培養物の抽出物、および細菌株の生物学的に純粋な発酵培養物の１つ以上の代謝産物の１つまたは組み合わせを指す。
【００３１】
本発明の特定の実施形態では、植物成長に利益を与えるまたは感受性植物において病原体感染に対する保護の１つまたは両方のために、植物への適用のための、新しく同定されたバチルス・アミロリケファシエンス株の生物学的に純粋な培養物を含む組成物および方法が提供される。本発明の組成物および方法において、植物の成長利益は、改善された苗の活力、改善された根の発達、改善された植物成長、改善された植物の健康、増加した収量、改善された外観、植物病原体に対する改善された耐性、病原体感染の減少、またはそれらの組み合わせによって表される。
【００３２】
バチルス・アミロリケファシエンス種に属すると同定された植物関連細菌は、ノースカロライナで栽培されたアメリカニンジンの根から単離され、続いて植物病原体の拮抗特性について試験された。より詳細には、単離された細菌株は、高度に保存された１６Ｓ  ｒＲＮＡおよびｒｐｏＢ遺伝子の配列分析（実施例１参照）を介してバチルス・アミロリケファシエンスの新しい株として同定された。新しい細菌分離株（「バチルス・アミロリケファシエンスＲＴＩ４７２」と命名）の１６Ｓ  ＲＮＡ配列は、バチルス・アミロリケファシエンス、バチルス・アミロリケファシエンス株ＮＳ６（ＫＦ１７７１７５）、バチルス・アミロリケファシエンス株ＦＺＢ４２（ＮＲ＿０７５００５）、およびバチルス・サブチリス亜種・サブチリスＤＳＭ１０株（ＮＲ＿０２７５５２）の３つの他の知られた株の１６Ｓ  ｒＲＮＡ配列と同一であると判明した。さらに、ＲＴＩ４７２のｒｐｏＢ配列は、既知のバチルス・アミロリケファシエンスＡＳ４３．３株（すなわち＞９９％配列同一性）と最も高いレベルの配列類似性を有することが判明した。しかし、ＤＮＡレベルに１０ヌクレオチドの差があり、これは、ＲＴＩ４７２がバチルス・アミロリケファシエンスＲＴＩ４７２の新しい株であることを示している。バチルス・アミロリケファシエンスＲＴＩ４７２株は、米国バージニア州マナッサスのアメリカンタイプカルチャーコレクション（ＡＴＣＣ）で特許手続きのための微生物寄託の国際的承認に関するブダペスト条約の条件の下、２０１４年４月１７日に寄託され、特許アクセッション番号ＰＴＡ−１２１１６６を有する。
【００３３】
バチルス・アミロリケファシエンスＲＴＩ４７２株のゲノムのさらなる配列分析は、この株が、ランチビオティック生合成に関連する遺伝子を有しており、該生合成のためのホモログが、密接に関連する他のバチルス・アミロリケファシエンスＲＴＩ４７２には欠けていることを明らかにした（実施例２参照）。これを図１に示し、図１は、ＲＴＩ４７２株の下に示される、バチルス・アミロリケファシエンスＲＴＩ４７２ならびに２つの既知のバチルス・アミロリケファシエンス参照株、ＦＺＢ４２（中央）およびＴｒｉｇｏＣｏｒ１４４８（底）についての対応する領域に見出されるランチビオティック生合成クラスターのゲノム構成の概略図を示す。ＦＺＢ４２およびＴｒｉｇｏＣｏｒ１４４８株は、このクラスターに存在する遺伝子の多くを欠いており、存在するいくつかの遺伝子内には低い程度の配列同一性があることが図１からわかり得る。ＲＴＩ４７２株におけるこのランチペプチド生合成クラスターは、エリシンＳ生合成クラスターとして同定された。新たに同定されたＲＴＩ４７２株がＭＷ＝３３４１．６ＤａのエリシンＳ分子および２９８５．４ＤａのＭＷのエリシンＡ分子を産生することを示すＨＰＬＣ／ＭＳ／ＭＳを用いてＲＴＩ４７２株の代謝産物プロファイルが分析された。図２Ａは、バチルス・アミロリケファシエンスＲＴＩ４７２株および「ＦＢ００５」と命名された未公表のバチルス・アミロリケファシエンス株の代謝産物プロファイルのグラフを示す。プロファイルは、ＲＴＩ４７２株がエリシンＡおよびエリシンＳペプチドを産生するが、エリシンＡまたはエリシンＳはＦＢ００５株において検出されないことを示す。本明細書および特許請求の範囲では、「エリシンＳ」、「エリシンＳ分子」、「エリシンＳ化合物」および「エリシンＳペプチド」という用語は、本明細書では交換可能に使用される。本明細書および特許請求の範囲では、「エリシンＡ」、「エリシンＡ分子」、「エリシンＡ化合物」および「エリシンＡペプチド」という用語は、本明細書では交換可能に使用される。
【００３４】
さらに、多くの追加のバチルス・アミロリケファシエンス参照株とのさらなる比較ゲノムは同様に、これらの株もランチビオティック生合成クラスターを欠いていることを示した。図２Ｂ〜２Ｃは、ＲＴＩ４７２株で同定されたランチペプチド生合成クラスターと７つの参照バチルス・アミロリケファシエンスゲノムとの比較を示す表であり、７つの参照バチルス・アミロリケファシエンスゲノムの領域におけるシンテニーの喪失を示す表である。このデータは、新たに同定されたＲＴＩ４７２が独特のランチビオティック生合成経路を有することを示している。このランチペプチド生合成クラスターはＲＴＩ４７２株のエリシンＳ生合成クラスターとして同定され、７つの参照株のいずれも機能的なエリシンＳ生合成クラスターを有さなかった。したがって、新たに同定されたＲＴＩ４７２株は、ＭＷ＝３３４１．６ＤａのエリシンＳ分子および２９８５．４ＤａのＭＷのエリシンＡ分子（これはバチルス・アミロリケファシエンス株に独特である）を産生するランチペプチド合成経路を有する。
【００３５】
さらに、種々の条件下でのｉｎ  ｖｉｔｒｏおよび種々の植物におけるバチルス・アミロリケファシエンスＲＴＩ４７２株の成長促進および拮抗活性を測定するために実験を行った。実験結果は、図３〜１６および本明細書の実施例３〜１６に記載されている。実験は、バチルス・サブチリス株ＱＳＴ７１３を有効成分として含む市販のＳＥＲＥＮＡＤＥ（ＢＡＹＥＲ  ＣＲＯＰ  ＳＣＩＥＮＣＥ、ＩＮＣ）と比較して、植物成長に利益を与え、植物病原体に対する保護または防除を与えるバチルス・アミロリケファシエンスＲＴＩ４７２の能力を示す。スタンドアローン適用としての使用に加えて、バチルス・アミロリケファシエンスＲＴＩ４７２株は、１つ以上の市販の化学殺真菌剤／殺細菌剤と共に時間間隔を変えて植物に適用された場合、植物の病原体感染を予防／処置するためのプログラムにおいても使用された。いくつかの場合には、化学殺真菌剤／殺細菌剤と同様に、バチルス・アミロリケファシエンスＲＴＩ４７２株のみの適用が実施された。いくつかの場合には、ＲＴＩ４７２株を用いて、プログラム中の化学的活性剤の１つを置き換えることができる。ＲＴＩ４７２株はまた、コーン種子処理として使用した場合、収量を増加させ、病害を軽減するのに有効であった。実験結果はＢＬＡＤポリペプチドを有効成分として含有する植物抽出物であるＦＲＡＣＴＵＲＥ（Ｃｏｎｓｕｍｏ  ｅｍ  Ｖｅｒｄｅ（ＣＥＶ）、Ｂｉｏｔｅｃｎｏｌｏｇｉａ  ｄａｓ  Ｐｌａｎｔａｓ  Ｓ．Ａ．，Ｐｏｒｔｕｇａｌ）の拮抗特性を増強するための新しいＲＴＩ４７２株の利益の一例を提供する。ＲＴＩ４７２株によって産生される新しい抗菌代謝産物の同定も記載されている。
【００３６】
本発明の一実施形態では、植物成長への利益の付与、または感受性植物において病原体感染に対する保護の付与の１つまたは両方を植物に適用するための、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物を含む組成物が提供される。
【００３７】
別の実施形態では、植物成長に利益を与えることまたは感受性植物において病原体感染に対する保護を与えることの１つまたは両方のための方法が提供され、該方法は、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物の胞子を含む組成物を、植物成長に利益を与え、および／または感受性植物において病原体感染に対する保護を与えるのに適した量で、植物の葉、植物の樹皮、植物の果実、植物の花、植物の種子、植物の根、植物の切断片、植物の移植片、植物のカルス組織、植物の周囲の土壌または成長培地、植物の種子を播種する前の土壌または成長培地、または植物、植物切断片、植物移植片、植物カルス組織を植える前の土壌もしくは生育培地に送達することを含む。
【００３８】
根圏および内寄生の有益な植物関連細菌は、耐病性および害虫耐性および寒冷性、塩分および干ばつストレスなどの環境ストレスに対する耐性の範囲の宿主植物に多数の利益を与えることが知られている。接種された植物成長促進細菌を有する植物は、例えばより良い根系の発達により、土壌からより多くの水および栄養を摂取し、植物はより健康に成長し、生物的および非生物的ストレスの影響を受けにくい。このように、本発明の微生物組成物は、単独で、または化学肥料、除草剤、農薬などの現在の作物管理投入物と組み合わせて作物生産性を最大にすることができる。植物の成長促進効果は、植物の成長を早くさせ、地上のバイオマスを増加させ、早期活力を向上させるために適用され得る特性である。初期の活力の改善の１つの利点は、植物がより競争力があり、競合しない雑草であることであり、労働および除草剤の適用を最小限に抑えることによって雑草管理の費用を直接削減することである。植物の成長促進効果はまた、水と栄養分の摂取に関与するより多くの細根を持つより深くより広い根を含む、根の発達の改善につながる。この特性は、農業資源のより良い利用と、灌漑需要および／または肥料適用に使用される水の削減を可能にする。根の発達および根の構造の変化は、窒素固定およびリン酸可溶化を含む植物の栄養摂取により植物を助ける有益な真菌および細菌を含む、他の土壌保有微生物との植物の相互作用に影響を及ぼす。これらの有益な微生物はまた、植物の病原体に対して競合し、植物の全体的な健康を増進し、化学殺真菌剤および農薬の必要性を減少させる。
【００３９】
プレートアッセイにおけるいくつかの主要植物病原体に対するバチルス・アミロリケファシエンスＲＴＩ４７２の拮抗特性は実施例３に記載されており、植物ホルモン産生、アセトインおよびインドール酢酸（ＩＡＡ）などの表現型形質ならびに株の栄養循環は実施例４に記載されている。さらに、多数の一般的な植物病原体による植物の自然感染または人工感染の影響を予防および／または改善するＢ．アミロリケファシエンスＲＴＩ４７２株の能力を決定するために、温室内野外試験で、様々な作物についての研究が行われた。結果は、実施例５〜１４および図３〜１４に記載されている。
【００４０】
実施例５は、植物病原体豆さび（ウロマイセス・アペンディキュラタス）および植物病原体ペッパー・ボトリチス病害（ボトリチス・シネレア）の効果を改善するＢ．アミロリケファシエンスＲＴＩ４７２株の能力を示す。さらに、第１組の実験において、バチルス・アミロリケファシエンスＲＴＩ４７２株の異なる製剤を、別途新たに特定されたＢ．アミロリケファシエンス株ＲＴＩ３０１と共に、ウロマイセス・アペンディキュラタスおよびボトリチス・シネレアを防除するＲＴＩ４７２株の葉面適用について試験した。実験計画は、病原体による感染の９日後に病害防除のパーセントを以下のそれぞれについて評価するように設定した：水のみで希釈した使用済み発酵ブロス中の胞子（「ＲＴＩ４７２＋１％ＳＦＢ」）、水と酵母抽出物で希釈した使用済み発酵ブロス中の胞子（「ＲＴＩ４７２＋１％ＳＦＢ＋酵母抽出物」）、水のみで１００倍に希釈した使用済み発酵ブロス中の胞子（「ＲＴＩ３０１＋１％ＳＦＢ」）、水と酵母抽出物で１００倍に希釈した使用済み発酵ブロス中の胞子（「ＲＴＩ３０１＋１％ＳＦＢ＋酵母抽出物」）、ＢＲＡＶＯ  ＷＥＡＴＨＥＲ  ＳＴＩＫ（５００ｇ  ａ．ｉ．／ｈａ  クロロタロニル）、ＨＯＲＩＺＯＮ（５０ｇ  ａ．ｉ．／ｈａテブコナゾール）、およびＲＴＩ４７２株およびＲＴＩ３０１株と同じ胞子濃度のＳＥＲＥＮＡＤＥ  ＯＰＴＩＭＵＭ。非処理対照（水のみ）は２８％の病害をもたらした。豆さびとペッパー・ボトリチス病害の実験結果も同様であった。豆さび実験の結果は表ＩＩＩに示されており、酵母抽出物の添加は、酵母抽出物を添加しないで適用した株と比較して、病害防除において約４０％の増加をもたらすことを示している。ＲＴＩ４７２＋１％ＳＦＢ＋酵母抽出物およびＲＴＩ３０１＋１％ＳＦＢ＋酵母抽出物によって示される病害防除の量は、ＲＴＩ４７２およびＲＴＩ３０１製剤中のＳＦＢの量が１％と比較的低くても、同じ割合（すなわち、１×１０８ｃｆｕ／ｍｌ）で適用された場合にＳＥＲＥＮＡＤＥ  ＯＰＴＩＭＵＭについて観察されたものと同様であり、ＳＦＢは抗真菌活性を有する分泌化合物を含むことが期待され得る。ＲＴＩ４７２株による豆さびの病害防除のための別の同様の実験が実施例６に記載されており、その結果を表ＩＶおよび図３に示す。結果は、ＲＴＩ４７２胞子による豆植物の葉の処理後の豆さび（ウロマイセス・アペンディキュラタス）の比較可能防除を、同じ割合で適用した場合のＳＥＲＥＮＡＤＥ  ＯＰＴＩＭＵＭによる処理と比較して示す。 
【００４１】
実施例６および表Ｖおよび図４の結果は、同じ割合で適用した場合のＳＥＲＥＮＡＤＥ  ＯＰＴＩＭＵＭによる処理と比較した、ＲＴＩ４７２胞子による大豆葉の処理後の大豆うどんこ病（ミクロスファエラ・ディフサ）の改善された防除を示す。
【００４２】
実施例７は、ボトリチス・シネレアに起因するペッパー・ボトリチス病害を防除するＲＴＩ４７２株の能力を示す類似の実験を示す。結果を表ＶＩおよび図５に示し、結果は、細菌胞子の等しい濃度でＳＥＲＥＮＡＤＥ  ＯＰＴＩＭＵＭを用いた葉の処理と比較して、ＲＴＩ４７２の胞子によるペッパー植物葉の処理後の改善された病原体防除を示す。
【００４３】
さらなる実験は、ＳＥＲＥＮＡＤＥ  ＯＰＴＩＭＵＭと比較して、ＲＴＩ４７２によるペッパー・ボトリチス病害（ボトリチス・シネレア）の改善された防除を示す実施例７に記載されている。結果は表ＶＩＩおよび図６に示され、細菌胞子の等しい濃度でＳＥＲＥＮＡＤＥ  ＯＰＴＩＭＵＭを用いた葉の処理と比較して、ＲＴＩ４７２の胞子の増大した濃度によるペッパー植物葉の処理による改善された病原体防除を示す。
【００４４】
さらなる結果は、実施例７、表ＶＩＩＩ、および図７〜１２に記載され、細菌胞子の等しい濃度での製品ＳＥＲＥＮＡＤＥ  ＯＰＴＩＭＵＭでの処理と比較して、病原体での植物の接種（５０ｋ、１００ｋ、５００ｋ、１Ｍおよび２Ｍ分生子／ｍｌ）の用量を徐々に高めた後、ＲＴＩ４７２の胞子を用いてペッパー植物の葉を処理することによるペッパー・ボトリチス病害（ボトリチス・シネレア）の防除を示す。また、図８〜１２は、ペッパー・ボトリチス病害５０ｋ、１００ｋ、５００ｋ、１Ｍおよび２Ｍ分生子／ｍｌのそれぞれの漸増用量で感染させた後、およびＲＴＩ４７２またはＳＥＲＥＮＡＤＥ  ＯＰＴＩＭＵＭ胞子によるペッパー植物の葉の処理後４日目のペッパー植物の画像である。３つの最も低い病原体接種割合では、ＲＴＩ４７２株およびＳＥＲＥＮＡＤＥ  ＯＰＴＩＭＵＭについて同様のパーセンテージの病害防除が観察された。しかしながら、２つの最も高い病原体接種割合（１Ｍおよび２Ｍ）において、ＳＥＲＥＮＡＤＥ  ＯＰＴＩＭＵＭと比較して、ＲＴＩ４７２株で処理した植物について統計的改善が観察された。
【００４５】
多数の一般的な植物病原体による植物の自然感染または人工感染の影響を予防および／または改善するＢ．アミロリケファシエンスＲＴＩ４７２株の能力を決定するために様々な作物についての野外試験において研究が行われた。結果は実施例８〜１１に示される。試験では、ＲＴＩ４７２をＳＥＲＥＮＡＤＥ  ＯＰＴＩＭＵＭと同じ割合で作物の葉に適用した。ＲＴＩ４７２胞子は、単独の生物殺真菌剤として、または市販の化学殺真菌剤／殺細菌剤と組み合わせて、植物に適用された。適用は、作物に応じて適用の間で５〜７日間隔で１〜６回実施された。最初の適用のタイミングは、特定の作物に依存し、植え付け時、作物出芽後数週間、開花時、病害の出現時、または病害の出現を予期する前の範囲内であった。
【００４６】
実施例８および表ＩＸ〜ＸＩの結果は、単独の生物殺真菌剤してまたは化学殺真菌剤／殺細菌剤を含む市販製品を使用した処理プログラムの一部として同じ割合で適用される場合、ＲＴＩ４７２による、ＳＥＲＥＮＡＤＥ  ＯＰＴＩＭＵＭと比較したウリ科におけるうどんこ病の同等または改善された防除を示す。単独の生物殺真菌剤としてのＲＴＩ４７２は、業界標準のフルオピラム＋テブコナゾール殺真菌剤を使用したプログラムと同様の性能を示した。
【００４７】
実施例９および表ＸＩＩ〜ＸＩＶの結果は、単独の生物殺真菌剤としてまたは化学殺真菌剤／殺細菌剤を含む市販製品を使用した処理プログラムの一部として同じ割合で適用される場合、ＲＴＩ４７２による、ＳＥＲＥＮＡＤＥ  ＯＰＴＩＭＵＭと比較したスナップ豆における白かびの同等または改善された防除を示す。単独の生物殺真菌剤としてのＲＴＩ４７２は、業界標準のフルオピラム＋テブコナゾール殺真菌剤を使用したプログラムと同様の性能を示した。
【００４８】
実施例９および表ＸＩＩの結果は、単独の生物殺真菌剤としてまたは化学殺真菌剤／殺細菌剤を含む市販製品を使用した処理プログラムの一部として同じ割合で適用される場合、ＲＴＩ４７２による、ＳＥＲＥＮＡＤＥ  ＯＰＴＩＭＵＭと比較したスナップ豆における白かびの同等または改善された防除を示す。Ｂ．アミロリケファシエンスＲＴＩ４７２とチオファネート−メチル殺真菌剤の組み合わせを用いたプログラムでは、スナップ豆の白かびの最良の防除が観察されたが、これは、チオファネート−メチル殺真菌剤と組み合わせたプロチオコナゾール殺真菌剤の使用に基づく化学プログラムよりも優れていた。
【００４９】
実施例９および表ＸＩＩＩ〜ＸＩＶの結果は、生物殺真菌剤単独と同じ割合で適用した場合のＳＥＲＥＮＡＤＥ  ＯＰＴＩＭＵＭと比較したＲＴＩ４７２によるリーフ・スポットおよびサザン白かびの改善された防除およびピーナッツの収量の有意な増加（表ＸＩＩＩの中程度の圧力および表ＸＩＶ中の重圧）を示す。
【００５０】
実施例１０および表ＸＶの結果は、生物殺真菌剤単独と同じ割合で適用した場合のＳＥＲＥＮＡＤＥ  ＯＰＴＩＭＵＭと比較した小麦頭痂皮および大豆さびのＲＴＩ４７２による改善された防除を示す。実施例１０および表ＸＶの結果は、生物殺真菌剤単独として適用した場合の対照植物と比較したＲＴＩ４７２によるトマトのアルテルナリア・ソラニの改善された防除を示す。
【００５１】
実施例１１および表ＸＶＩの結果は、単独の生物殺真菌剤としてまたは化学殺真菌剤／殺細菌剤を含む市販製品を使用した処理プログラムの一部として同じ割合で適用される場合のＳＥＲＥＮＡＤＥ  ＯＰＴＩＭＵＭと比較したＲＴＩ４７２によるトマトにおけるトマト斑点細菌病（細菌スポットトマト病害）（キサントモナス）改善された防除を示す。トマトの細菌スポットトマト病（キサントモナス）の最善の防除は、単独または水酸化銅を用いたプログラムでのＢ．アミロリケファシエンスＲＴＩ４７２について観察され、水酸化銅と組み合わせたクロロタロニルの使用に基づくプログラムを上回った。
【００５２】
実施例１２は、収量を改善し、天然の植物病害ならびにリゾクトニアおよびフザリウム・グラミネアラム（Ｆｕｓａｒｉｕｍ  ｇｒａｍｉｎｅａｒｕｍ）感染に対して防除するために、化学活性剤（ＭＡＸＩＭ＋メタラキシル＋ＰＯＮＣＨＯ  ２５０）の典型的な組合せに加えて、Ｂ．アミロリケファシエンスＲＴＩ４７２株の胞子でコーン種子を被覆する有益な効果を記載する。第１の実験では、非処理の種子および処理されたコーン種子のそれぞれをウィスコンシン州の３つの別々の野外試験場に植え付け、ブッシェル／エーカーにおける出芽、プラントスタンド、植物活力および穀物収量に対する時間の長さによって分析した。化学的防除単独で処理した種子と比較して、種子処理にＢ．アミロリケファシエンスＲＴＩ４７２を含めることは、出芽、プラントスタンド、または植物の活力に対して時間的要因は統計的に有意な効果を有さないが、６ブッシェル／エーカーの穀物（２３１〜２３７ブッシェル／エーカー）の増加をもたらし、穀物収量は２．６％増加した。関連する実験では、試験中のコーン植物を病原体リゾクトニアおよびフザリウム・グラミネアラムと別々に暴露したとき、化学対照単独で処理された種子と比較してＢ．アミロリケファシエンスＲＴＩ４７２で処理した種子は、リゾクトニアおよび天然の病害の両方の重症度において統計的に有意な減少をもたらした。
【００５３】
実施例１３は、植物病原体である茶色がかった灰色かび（Ｂｒｏｗｎｉｓｈ  Ｇｒｅｙ  Ｍｉｌｄｅｗ）（ボトリチス・シネレア）の効果を予防および／または改善するＢ．アミロリケファシエンスＲＴＩ４７２株の能力を決定するためのイチゴの野外試験で行われた研究を示す。ＲＴＩ４７２株は、「ファーマープログラム」と呼ばれる化学活性剤と、ＲＴＩ４７２株よりも１０倍高い濃度のバチルス・サブチリス株ＱＳＴ７１３を有するＳＥＲＥＮＡＤＥ  ＭＡＸの適用の組み合わせの適用と比較した。表ＸＶＩＩＩの結果は、ＲＴＩ４７２による処理の収量の数値的増加がわずかに高い、３つの処理、Ｂ．アミロリケファシエンスＲＴＩ４７２、ＳＥＲＥＮＡＤＥ  ＭＡＸ、およびファーマープログラムの全てについて、非処理の対照を上回るイチゴへの茶色がかった灰色かびの改善された防除が観察されたことを示す。ストロベリー試験のそれぞれにおける非処理対照（「ＵＴ」）におけるボトリチス・シネレア病原体に感染した果実の経時的な発達を図１３のグラフに示す。
【００５４】
実施例１４は、グロビノミセス・シコラシーラム（Ｇｏｌｏｖｉｎｏｍｙｃｅｓ  ｃｉｃｈｏｒａｃｅａｒｕｍ）（ＥＲＹＳＣＩ）によって引き起こされるうどんこ病の効果を予防および／または改善するために、単独としてまたは製品ＦＲＵＣＴＵＲＥ中の活性剤との混合物としてのＢ．アミロリケファシエンスＲＴＩ４７２株の能力を決定するためのサマースカッシュの野外試験研究を記載する。実験の結果を表ＸＩＸに示す。ＳＥＲＡＧＡＤ  ＯＰＴＩＭＵＭおよびＲＴＩ４７２は病害重症度の約３０％低下をもたらしたが、ＦＲＡＣＴＵＲＥは病害重症度の約１５％の低下をもたらした。ＢＲＡＶＯ  ＷＥＡＴＨＥＲ  ＳＴＩＫ（４５％）およびＬＵＮＡ  ＥＸＰＥＲＩＥＮＣＥ（９４％）では、病害重症度の最も顕著な低下が観察された。ＲＴＩ４７２およびＦＲＡＣＴＵＲＥを一緒に適用すると、病害防除の累積効果が観察され、その結果、病害重症度が４７％低下した。これは、ＢＲＡＶＯ  ＷＥＡＴＨＥＲ  ＳＴＩＫ（４５％）の病害重症度の低下に匹敵し、キュカービットでの対照のうどんこ病プログラムにおけるクロロタロニル殺真菌剤の代替としてのＢ．アミロリケファシエンスＲＴＩ４７２およびＦＲＡＣＴＵＲＥの組み合わせの有用性を実証する。
【００５５】
実施例１５は、バチルス・アミロリケファシエンスＲＴＩ４７２株によって産生される環状リポペプチド、フェンギシンおよびデヒドロキシフェンギシンの研究、および驚くべきことにこれらの分子のいくつかの以前に報告されていないクラスの同定を示す。バチルス・アミロリケファシエンスＲＴＩ４７２は、以前に報告されたフェンギシンＡ、ＢおよびＣ化合物、ならびにデヒドロキシフェンギシンＡ、ＢおよびＣ化合物を産生することが判明した。驚くべきことに、これらの既知の化合物に加えて、ＲＴＩ４７２株は、環状ペプチド鎖の８位のＬ−イソロイシン（図１４でＸ３と称する）がＬ−メチオニンにより置換されているこれらの化合物の以前に同定されていない誘導体も産生することが判明した。フェンギシンおよびデヒドロキシフェンギシンの新しいクラスは、本明細書ではＭＡ、ＭＢおよびＭＣと称され、図１４のＸ３におけるＬ−イソロイシンがＬ−メチオニンにより置換されているクラスＡ、ＢおよびＣの誘導体を指す。新たに同定された分子を図１４および表ＸＸに太字で示す。表ＸＸに示したように、デヒドロキシフェンギシンＭＣ化合物はＲＴＩ４７２株の培養では観察されなかった。ＲＴＩ４７２株は、以前に同定されていない追加のクラスのフェンギシンを産生することがさらに判明した。このクラスでは、フェンギシンＢのＬ−イソロイシン（図１４の位置Ｘ３）がＬ−ホモ−システイン（Ｈｃｙ）により置換されている。この以前に同定されていないフェンギシン代謝産物は、本明細書においてフェンギシンＨと呼ばれ、図１４および表ＸＸに太字で示される。また、ＲＴＩ４７２株は、以前に同定されていない追加のクラスのフェンギシンおよびデヒドロキシフェンギシン代謝産物を産生することがさらに判明した。このクラスでは、環状ペプチド骨格構造の４位のアミノ酸（図１４の位置Ｘ１）がＬ−イソロイシンにより置換されている。これらの以前に同定されていない代謝産物は、本明細書では、フェンギシンＩおよびデヒドロキシフェンギシンＩと呼ばれ、図１４および表ＸＸに示されている。
【００５６】
実施例１６は、Ｂ．アミロリケファシエンス株ＲＴＩ４７２使用済み発酵ブロスからの拮抗性リポペプチドの単離および単離されたリポペプチドが２つの共通の植物病原体に対する活性を保持することを示すｉｎ  ｖｉｔｒｏプレートアッセイを示す。ＲＴＩ４７２を培養し、培養上清の酸性沈殿物をＬＣＭＳで分析して、イツリン、サーファクチンおよびフェンギシンの相対存在量を比較した。図１５は、酸沈殿後のＲＴＩ４７２使用済み発酵ブロスから回収されたリポペプチドのパーセンテージを示すグラフである。結果は、リポペプチドの全量の８３％が酸沈殿によって回収されたことを示す。次に、ボトリチス・シネレアおよびフザリウム・グラミネアラムに対してＬＣＭＳによって分析した同じサンプルを用いて、プレートバイオアッセイを実施した。その結果を図１６Ａ〜１６Ｄに示し、これらの図は、酸沈殿したサンプルが、ボトリチス・シネレアおよびフザリウム・グラミネアラムの両方に対する出発使用済み発酵ブロスと同様のレベルの拮抗活性を有することを示す。 
【００５７】
一実施形態では、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物を含む組成物が提供され、植物成長への利益の付与、または感受性植物において病原体感染に対する保護の付与の１つまたは両方を植物に適用することができる。植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示される。 
【００５８】
本発明の組成物および方法は、限定されないが、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビまたはテンサイを含む広い範囲の植物に有益である。
【００５９】
１つ以上の実施形態では、植物は、大豆、豆、スナップ豆、小麦、綿、コーン、ペッパー、トマト、ジャガイモ、キャッサバ、ブドウ、イチゴ、バナナ、ピーナッツ、スカッシュ、カボチャ、ナス、およびキュウリを含み得る。
【００６０】
本発明の組成物および方法では、病原体感染は、例えば、限定されないが、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属種（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、ベンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・マイディス（Helminthosporium maydis）、ヘルミントスポリウム・ソラニ（Helminthosporium solai）またはヘルミントスポリウム・トリチシ−レペンチス（Helminthosporium tritici-repentis）、またはこれらの組み合わせを含む広範な植物病原体によって引き起こされ得る。
【００６１】
いくつかの実施形態では、病原体感染は、以下の１つまたは組み合わせによって引き起こされ得る。大豆さび菌（ファコプソラ・パキリジ、ファコプソラ・メイボミエ）および前記植物は大豆を含む；ボトリチス・シネレア（ボトリチス病害）および前記植物はブドウを含む；ボトリチス・シネレア（ボトリチス病害）および前記植物はイチゴを含む；アルテルナリア属種（例えば、Ａ．ソラニ）および前記植物はトマトを含む；アルテルナリア属種（例えば、Ａ．ソラニ）および前記植物はジャガイモを含む；豆さび（ウロマイセス・アペンディキュラタス）および前記植物は一般的な豆を含む；ミクロスファエラ・ディフサ（大豆うどんこ病）および前記植物は大豆を含む；マイコスフェレラ・フィジエンシス（ブラック・シガトガ（Ｂｌａｃｋ  ｓｉｇａｔｏｇａ））またはフザリウム・オキシスポラムｆ属種キューベンセ（パナマ病）および前記植物はバナナを含む；キサントモナス属種またはキサントモナス・オリゼ・パソバー・オリゼおよび前記植物は米を含む；キサントモナス・アクソノポディスおよび前記植物はキャッサバを含む；キサントモナス・カンペストリスおよび前記植物はトマトを含む；ボトリチス・シネレア（ペッパー・ボトリチス病害）および前記植物はペッパーを含む；うどんこ病および前記植物はククルビットを含む；スクレロチニア・スクレロチオラム（白かび）および前記植物はスナップ豆を含む；スクレロチニア・スクレロチオラム（白かび）および前記植物はジャガイモを含む；スクレロチニア・ホメオカルパ（ドラースポット）および前記植物は芝草を含む；サザン白かびおよび前記植物はピーナツを含む；リーフ・スポット（セルコスポラ／セルコスポリディウム）および前記植物はピーナツを含む；フザリウム・グラミネアラム（小麦頭部腐敗病）および前記植物は小麦を含む；マイコスフェレラ・グラミノコラ（セプトリア・トリチシ・ブロッチ（Ｓｅｐｔｏｒｉａ  ｔｒｉｔｉｃｉ  ｂｌｏｔｃｈ））および前記植物は小麦を含む；スタゴノスポラ・ノドラム（グルメ・ブロッチ（ｇｌｕｍｅ  ｂｌｏｔｃｈ）およびセプトリア・ノドラム・ブロッチ（ｓｅｐｔｏｒｉａ  ｎｏｄｏｒｕｍ  ｂｌｏｔｃｈ））ならびに前記植物は小麦を含む；エルウィニア・アミロボラならびに前記植物は、リンゴ、ナシおよび他のナシ果実を含む；ベンチュリア・イネキュアリスならびに前記植物はリンゴ、ナシおよび他のナシ果実を含む；または、リゾクトニア・ソラニならびに前記植物は、小麦、米、芝草、大豆、コーン、マメ科植物および野菜作物を含む。
【００６２】
ＲＴＩ４７２株を含む組成物は、液体、油分散粒剤、粉剤、乾燥水和性粉末剤、展延性顆粒剤、または乾燥水和性顆粒剤の形態であり得る。組成物は、植物成長に利益を与え、および／または感受性植物において病原体感染に対する保護を与えるのに適した量で適用される場合、植物の葉、植物の樹皮、植物の果実、植物の花、植物の種子、植物の根、植物の切断片、植物の移植片、植物のカルス組織、植物の周囲の土壌または成長培地、植物の種子を播種する前の土壌または成長培地、または植物、植物切断片、植物移植片、植物カルス組織を植える前の土壌もしくは生育培地に適用された場合に、植物成長に利益を与える。組成物は、植物成長に利益を与えるためにおよび／または感受性植物において病原体感染に対する保護を与えるのに適した量で存在する、微生物学的、生物学的もしくは化学的殺虫剤、殺真菌剤、殺線虫剤、殺細菌剤、除草剤、植物抽出物、植物成長調整剤または肥料の１つまたは組み合わせをさらに含み得る。組成物はさらに、担体、界面活性剤、分散剤、または酵母抽出物の１つまたは組合せを含み得る。本明細書および特許請求の範囲では、用語「界面活性剤」および「アジュバント」は互換的に使用される。酵母抽出物は、約０．０１％〜０．２％ｗ／ｗの範囲の植物成長に利益を与える割合で送達され得る。
【００６３】
組成物は、植付用の基盤（ｍａｔｒｉｘ）の形態であり得る。植付用の基盤（ｍａｔｒｉｘ）は、鉢植え用の土の形態であり得る。
【００６４】
一実施形態では、植物の成長または植物の健康の１つまたは両方に有益な特性を有する１つ以上の微生物の生物学的に純粋な培養物、ならびに植物成長に利益を与えるまたは感受性植物において病原体感染に対する保護を与えることのいずれかまたは両方のために植物に適用するための酵母抽出物を含む。微生物は真菌種を含み得る。微生物は細菌種を含み得る。微生物はバチルス属種微生物を含み得る。微生物はバチルス・アミロリケファシエンスを含み得る。組成物は、担体、界面活性剤、または分散剤の１つまたは組合せをさらに含み得る。組成物は、微生物学的、生物学的もしくは化学的殺虫剤、殺真菌剤、殺線虫剤、殺細菌剤、除草剤、植物抽出物、植物成長調整剤または肥料の１つまたは組合せをさらに含み得る。
【００６５】
一実施形態では、植物成長に利益を与えることまたは感受性植物において病原体感染に対する保護を与えることの１つまたは両方のための組成物が提供され、該組成物は、植物成長に利益を与え、および／または感受性植物において病原体感染に対する保護を与えるのに適した量でＡＴＣＣ番号ＰＴＡ−１２１１６６として寄託されたバチルス・アミロリケファシエンスＲＴＩ４７２、またはその全ての同定特徴を含むその突然変異体の生物学的に純粋な培養物、ならびに、植物成長に利益を与え、および／または感受性植物において病原体感染に対する保護を与えるのに適した量で微生物学的、生物学的もしくは化学的殺虫剤、殺真菌剤、殺線虫剤、殺細菌剤、除草剤、植物抽出物、植物成長調整剤または肥料のうちの１つ以上の組み合わせの両方を含む。この実施形態では、バチルス・アミロリケファシエンスＲＴＩ４７２の生物学的に純粋な培養物、および微生物学的、生物学的もしくは化学的殺虫剤、殺真菌剤、殺線虫剤、殺細菌剤、除草剤、植物抽出物、植物成長調整剤または肥料の１つまたは組合せが一緒に製剤化される。
【００６６】
一実施形態では、殺真菌剤は、ルピナス・アルブスからの抽出物を含み得る。一実施形態では、殺真菌剤は、ＢＬＡＤポリペプチドを含み得る。ＢＬＡＤポリペプチドは、真菌の細胞壁を損傷させ、内部細胞膜を破壊することによって感受性真菌病原体に作用する甘ルーピン豆（ルピナス・アルブス）由来の天然の種子貯蔵タンパク質の断片であり得る。組成物は、約２０％のＢＬＡＤポリペプチドを含み得る。
【００６７】
バチルス・アミロリケファシエンスＲＴＩ４７２を含む組成物において、組成物は液体の形態であり得、バチルス・アミロリケファシエンスＲＴＩ４７２は、約１．０×１０８ＣＦＵ／ｍｌ〜約１．０×１０１２ＣＦＵ／ｍｌの濃度で存在し得る。組成物は、粉剤、乾燥水和剤、展延性顆粒剤、または乾式粒剤の形態であり得、バチルス・アミロリケファシエンスＲＴＩ４７２は、約１．０×１０８ＣＦＵ／ｇ〜約１．０×１０１２ＣＦＵ／ｇの量で存在し得る。組成物は、油分散体の形態であり得、バチルス・アミロリケファシエンスＲＴＩ４７２は、約１．０×１０８ＣＦＵ／ｍｌ〜約１．０×１０１２ＣＦＵ／ｍｌの濃度で存在し得る。バチルス・アミロリケファシエンスＲＴＩ４７２は、胞子または栄養細胞の形態であり得る。
【００６８】
一実施形態では、植物成長に利益を与えることまたは感受性植物において病原体感染に対する保護を与えることの１つまたは両方のための方法が提供され、該方法は、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物の胞子を含む組成物を、植物成長に利益を与え、および／または感受性植物において病原体感染に対する保護を与えるのに適した量で、植物の葉、植物の樹皮、植物の果実、植物の花、植物の種子、植物の根、植物の切断片、植物の移植片、植物のカルス組織、植物の周囲の土壌または成長培地、植物の種子を播種する前の土壌または成長培地、または植物、植物切断片、植物移植片、植物カルス組織を植える前の土壌もしくは生育培地に送達することを含む。組成物は、植物の葉に送達され得る。
【００６９】
方法において、バチルス・アミロリケファシエンスＲＴＩ４７２を含む組成物は、担体、界面活性剤、分散剤、または酵母抽出物の１つまたは組合せをさらに含み得る。酵母抽出物は、約０．０１％〜０．２％ｗ／ｗの範囲の植物成長に利益を与える割合で送達され得る。
【００７０】
本発明の別の実施形態では、植物成長に利益を与えることまたは感受性植物において病原体感染に対する保護を与えることの１つまたは両方のための方法が提供され、該方法は、植物成長に利益を与え、および／または病原体感染に対する保護を与えるのに適した量でＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物の胞子、ならびに植物成長に利益を与え、および／または病原体感染に対する保護を与えるのに適した量で微生物学的、生物学的もしくは化学的殺虫剤、殺真菌剤、殺線虫剤、殺細菌剤、除草剤、植物抽出物、植物成長調整剤または肥料のうちの１つまたは組合せを含む組成物を、植物の葉、植物の樹皮、植物の果実、植物の花、植物の種子、植物の根、植物の切断片、植物の移植片、植物のカルス組織、植物の周囲の土壌または成長培地、植物の種子を播種する前の土壌または成長培地、または植物、植物切断片、植物移植片、植物カルス組織を植える前の土壌もしくは生育培地に送達することを含む。
【００７１】
一実施形態では、植物成長に利益を与えることまたは感受性植物において病原体感染に対する保護を与えることの１つまたは両方のための方法が提供され、該方法は、植物成長に利益を与え、および／または感受性植物において病原体感染に対する保護を与えるのに適した量でＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物の胞子を含む第１組成物、ならびに植物成長に利益を与え、および／または感受性植物において病原体感染に対する保護を与えるのに適した量で微生物学的、生物学的もしくは化学的殺虫剤、殺真菌剤、殺線虫剤、殺細菌剤、除草剤、植物抽出物、植物成長調整剤または肥料のうちの１つまたは組合せを含む第２組成物の組み合わせを、植物の葉、植物の樹皮、植物の果実、植物の花、植物の種子、植物の根、植物の切断片、植物の移植片、植物のカルス組織、植物の周囲の土壌または成長培地、植物の種子を播種する前の土壌または成長培地、または植物、植物切断片、植物移植片、植物カルス組織を植える前の土壌もしくは生育培地に送達することを含む。一実施形態では、第１および第２組成物は、植物の葉に送達され得る。第１組成物は、担体、界面活性剤、分散剤、または酵母抽出物の１つまたは組合せをさらに含み得る。酵母抽出物は、約０．０１％〜０．２％ｗ／ｗの範囲の植物成長に利益を与える割合で送達され得る。
【００７２】
第２組成物の殺真菌剤は、ルピナス・アルブスからの抽出物を含み得る。第２組成物の殺真菌剤は、ＢＬＡＤポリペプチドを含み得る。ＢＬＡＤポリペプチドは、真菌の細胞壁を損傷させ、内部細胞膜を破壊することによって感受性真菌病原体に作用する甘ルーピン豆（ルピナス・アルブス）由来の天然の種子貯蔵タンパク質の断片であり得る。第２組成物の殺真菌剤は、約２０％のＢＬＡＤポリペプチドを含み得る。 
【００７３】
微生物学的、生物学的もしくは化学的殺虫剤、殺真菌剤、殺線虫剤、殺細菌剤、除草剤、植物抽出物、植物成長調整剤、または肥料と組み合わせてＲＴＩ４７２を送達するための本発明の組成物および方法において、植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示され得る。
【００７４】
一実施形態では、方法は、液体肥料を以下、植物の周囲の土壌もしくは成長培地、植物の種子を播種する前の土壌もしくは成長培地、または植物、植物切断片、植物移植片、もしくは植物カルス組織を植え付ける前の土壌もしくは成長培地に適用することを含むことができる。
【００７５】
微生物学的、生物学的もしくは化学的殺虫剤、殺真菌剤、殺線虫剤、殺細菌剤、除草剤、植物抽出物、植物成長調整剤または肥料と組み合わせてＲＴＩ４７２を送達する方法では、組成物は、液体、油分散粒剤、粉剤、乾燥水和性粉末剤、展延性顆粒剤または乾燥水和性顆粒剤の形態であり得る。バチルス・アミロリケファシエンスＲＴＩ４７２は、胞子または栄養細胞の形態であり得る。バチルス・アミロリケファシエンスＲＴＩ４７２は、約１．０×１０１０ＣＦＵ／ｈａ〜約１．０×１０１４ＣＦＵ／ｈａの植物成長に利益を与えるための割合で送達され得る。酵母抽出物は、約０．０１％〜０．２％ｗ／ｗの範囲の植物成長に利益を与える割合で送達され得る。
【００７６】
微生物学的、生物学的もしくは化学的殺虫剤、殺真菌剤、殺線虫剤、殺細菌剤、除草剤、植物抽出物、植物成長調整剤または肥料とともにＲＴＩ４７２を送達するための本発明の組成物および方法では、殺虫剤はビフェントリンを含み得る。１つ以上の実施形態では、殺線虫剤はカドサホスを含み得る。１つ以上の実施形態では、殺虫剤はビフェントリンを含むことができ、組成物は液体として製剤化され得る。１つ以上の実施形態では、殺虫剤は、ビフェントリンおよびクロチアニジンを含み得る。１つ以上の実施形態では、殺虫剤はビフェントリンおよびクロチアニジを含むことができ、組成物は液体として製剤化され得る。１つ以上の実施形態では、殺虫剤は、ビフェントリンまたはゼータ−シペルメトリンを含み得る。１つ以上の実施形態では、組成物は液体として製剤化され得、殺虫剤は、ビフェントリンまたはゼータ−シペルメトリンを含み得る。
【００７７】
殺虫剤はビフェントリンであってもよく、組成物製剤は、水和ケイ酸アルミニウム−マグネシウム、ならびにスクロースエステル、リグノスルホネート、アルキルポリグリコシド、ナフタレンスルホン酸ホルムアルデヒド縮合物およびリン酸エステルからなる群から選択される少なくとも１種の分散剤をさらに含み得る。ビフェントリン殺虫剤は、０．１ｇ／ｍｌ〜０．２ｇ／ｍｌの範囲の濃度で存在し得る。ビフェントリン殺虫剤は、約０．１７１５ｇ／ｍｌの濃度で存在し得る。ビフェントリン殺虫剤の適用割合は、約０．１グラムのビフェントリン／ヘクタール（ｇ  ａｉ／ｈａ）〜約１０００ｇ  ａｉ／ｈａの範囲、より好ましくは約１ｇ  ａｉ／ｈａ〜約１００ｇ  ａｉ／ｈａの範囲である。
【００７８】
実施形態では、ビフェントリン組成物は、ビフェントリン、水和ケイ酸アルミニウム−マグネシウム、ならびにスクロースエステル、リグノスルホネート、アルキルポリグリコシド、ナフタレンスルホン酸ホルムアルデヒド縮合物およびリン酸エステルから選択される少なくとも１種の分散剤、を含み得る。
【００７９】
ビフェントリンは、好ましくは、組成物中の全成分の総重量に基づいて、１．０重量％〜３５重量％、より詳細には１５重量％〜２５重量％の濃度で存在し得る。ビフェントリン殺虫剤組成物は、液体として肥料との混合物に適した方法で製剤化され得る。ビフェントリン殺虫剤組成物は、０．１ｇ／ｍｌ〜０．２ｇ／ｍｌの範囲の濃度で液体製剤中に存在し得る。ビフェントリン殺虫剤は、約０．１７１５ｇ／ｍｌの濃度で液体製剤中に存在し得る。「液体として肥料との混合物に適した方法で製剤化され得る」および「液体肥料と相溶性を有する製剤において」という用語は、明細書および特許請求の範囲全体にわたって交換可能に使用され、液体製剤中での植物への送達のための肥料との混合を可能にするために、製剤が水溶液中に溶解または分散またはエマルションにし得ること意味することが意図される。
【００８０】
分散剤または分散剤（複数）は、好ましくは、組成物中の全成分の総重量に基づいて、約０．０２重量％〜約２０重量％の総濃度で存在し得る。
【００８１】
いくつかの実施形態では、水和ケイ酸アルミニウム−マグネシウムは、モンモリロナイトおよびアタパルジャイトからなる群から選択され得る。
【００８２】
いくつかの実施形態では、リン酸エステルは、ノニルフェノールリン酸エステルおよびトリデシルアルコールエトキシル化リン酸カリウム塩から選択され得る。 
【００８３】
他の実施形態は、さらに、凍結防止剤、消泡剤および殺生物剤のうちの少なくとも１つを含み得る。
【００８４】
一実施形態では、植物成長に利益を与えるための組成物が提供され、該組成物は、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物、および殺虫剤を含む。殺虫剤は、ピレスロイド、ビフェントリン、テフルトリン、ゼータ−シペルメトリン、有機フォスフェート、クロレトキシフォス、クロルピリホス、テブピリムフォス、シフルトリン、フィプロール（ｆｉｐｒｏｌｅｓ）、フィプロニル、ニコチノイド、またはクロチアニジンの１つまたは組み合わせであり得る。殺虫剤はビフェントリンを含み得る。殺虫剤は、ビフェントリンを含み得、組成物は、液体肥料と相溶性を有する製剤中に存在し得る。組成物はさらに、水和ケイ酸アルミニウム−マグネシウムおよび少なくとも１つの分散剤を含み得る。ビフェントリン殺虫剤は、０．１ｇ／ｍｌ〜０．２ｇ／ｍｌの範囲の濃度で存在し得る。ビフェントリン殺虫剤は、約０．１７１５ｇ／ｍｌの濃度で存在し得る。
【００８５】
さらに、１つ以上の実施形態では、本発明の組成物および方法の適切な殺虫剤、除草剤、殺真菌剤、および殺線虫剤は、以下を含み得る： 
【００８６】
殺虫剤：Ａ０）アグリガタ（agrigata）、アル−ホスフィド、アンブリセイウス、アフェリヌス（apherinus）、アフィディウス、アフィドレテス、アルテミシニン、オートグラファ・カリフォルニカＮＰＶ、アゾシクロチン、バチルス・サブチリス（bacillus-subtilis）、バチルス・チューリンゲンシス・アイザワイ（bacillus-thur.-aizawai）、バチルス・チューリンゲンシス・クルスタキー（bacillus-thur.-kurstaki）、バチルス・チューリンゲンシス（bacillus-thuringiensis）、ボーベリア（beauveria）、ボーベリア・バシアーナ（beauveria-bassiana）、ベータシフルトリン、生物学的製剤、ビスルタップ、ブロフルトリネート、ブロモホス−ｅ、ブロモプロピレート、Ｂｔ遺伝子組換トウモロコシ、Ｂｔ遺伝子組換大豆、カプサイシン、カルタップ、セラストラス（celastrus）抽出物、クロルアントラニリプロール、クロルベンズロン、クロルエトキシフォス、クロルフルアズロン、クロルピリホス−ｅ、シニジアジン（cnidiadin）、クリオライト、シアノホス、シアントラニリプロール、シハロトリン、シヘキサチン、シペルメトリン、ダクヌサ、ＤＣＩＰ、ジクロロプロペン、ジコホル、ジグリファス、ジグリファス+ダクヌサ、ジメタカルブ、ジチオエーテル、酢酸ドデシル、エマメクチン、エンカルシア（encarsia）、ＥＰＮ、エレツモセルス（eretmocerus）、エチレン−ジブロミド、ユーカリプトール、脂肪酸、脂肪酸／塩、フェナザキン、フェノブカルブ（ＢＰＭＣ）、フェンピロキシメート、フルブロシトリネート（flubrocythrinate）、フルフェンジン、ホルメタネート、ホルモチオン、フラチオカルブ、ガンマ−シハロトリン、ニンニクジュース、グラニュロシス−ウイルス、ハルモニア（harmonia）、オオタバコガ（heliothis armigera）ＮＰＶ、不活性細菌、インドール−３−イル酪酸、ヨードメタン、鉄、イソカルボホス（isocarbofos）、イソフェンホス、イソフェンホス−ｍ、イソプロカルブ、イソチオエート（isothioate）、カオリン、リンダン、リウヤンマイシン（liuyangmycin）、マトリン、メホスホラン、メタアルデヒド、メタリジウム−アニソプリエ、メタミドホス、メトルカルブ（ＭＴＭＣ）、鉱物油、マイレックス、ｍ−イソチオシアネート、モノスルタップ、ミロテシウム・ベルカリア（myrothecium verrucaria）、ナレド、ハモグリミドリヒメコバチ（neochrysocharis formos）、ニコチン、ニコチノイド、油脂、オレイン酸、オメトエート、オリウス（orius）、オキシマトリン、ペシロマイセス、パラフィン油、パラチオン−ｅ、パスツリア、石油、フェロモン、リン酸、フォトラブダス、フォキシム、フィトセイウルス（phytoseiulus）、ピリミホス−ｅ、植物油、プルテラ・キシロステラ（plutella xylostella）ＧＶ、多角体病（polyhedrosis）ウイルス、ポリフェノール抽出物、オレイン酸カリウム、プロフェノホス、プロスレル（prosuler）、プロチオホス、ピラクロホス、ピレトリン、ピリダフェンチオン、ピリミジフェン、ピリプロキシフェン、キラヤ（quillay）抽出物、キノメチオネート、菜種油、ロテノン、サポニン、サポノジット（saponozit）、ナトリウム化合物、フルオロケイ酸ナトリウム、スターチ、ステイネルネマ（steinernema）、ストレプトマイセス、スルフルラミド、硫黄、テブピリムホス、テフルトリン、テメホス、テトラジホン、チオファノックス、チオメ���ン、トランスジェニクス（例えば、Ｃｒｙ３Ｂｂ１）、トリアザメート、トリコデルマ、トリコグランマ、トリフルムロン、ベルチシリウム、ベルトリン、殺虫剤の異性体（例えば、カッパ−ビフェントリン、カッパ−テフルトリン）、ジクロロメゾチアズ、ブロフラニリド、ピラジフルミドを含む様々な殺虫剤；Ａ１）アルジカルブ、アラニカルブ、ベンフラカルブ、カルバリル、カルボフラン、カルボスルファン、メチオカルブ、メソミル、オキサミル、ピリミカルブ、プロポクスルおよびチオジカルブを含むカルバメート類；Ａ２）アセフェート、アジンホス−エチル、アジンホス−メチル、クロルフェンビンホス、クロルピリホス、クロルピリホス−メチル、デメトン−Ｓ−メチル、ジアジノン、ジクロルボス／ＤＤＶＰ、ジクロトホス、ジメトエート、ジスルホトン、エチオン、フェニトロチオン、フェンチオン、イソキサチオン、マラチオン、メタミダホス、メチダチオン、メビンホス、モノクロトホス、オキシメトエート、オキシデメトン−メチル、パラチオン、パラチオン−メチル、フェントエート、ホレート、ホサロン、ホスメット、ホスファミドン、ピリミホス−メチル、キナルホス、テルブホス、テトラクロルビンホス、トリアゾホスおよびトリクロルホンを含むオルガノホスフェート類；Ａ３）エンドスルファン等のシクロジエンオルガノクロリド化合物類；Ａ４）エチプロール、フィプロニル、ピラフルプロールおよびピリプロールを含むフィプロール類；Ａ５）アセタミプリド、クロチアニジン、ジノテフラン、イミダクロプリド、ニテンピラム、チアクロプリドおよびチアメトキサムを含むネオニコチノイド類；Ａ６）スピノサドおよびスピネトラム等のスピノシン類；Ａ７）アバメクチン、エマメクチンベンゾエート、イベルメクチン、レピメクチンおよびミルベメクチンを含むメクチン類由来のクロリドチャネルアクチベーター；Ａ８）ヒドロプレン、キノプレン、メトプレン、フェノキシカルブおよびピリプロキシフェン等の若年性ホルモン模倣物；Ａ９）ピメトロジン、フロニカミドおよびピリフルキナゾン等の選択的同翅型摂食ブロッカー；Ａ１０）クロフェンテジン、ヘキシチアゾクスおよびエトキサゾール等のダニ成長阻害剤；Ａ１１）ジアフェンチウロン、フェンブタチン酸化物およびプロパルギット等のミトコンドリアＡＴＰシンターゼ阻害剤；クロルフェナピル等の酸化的リン酸化の脱共役剤；Ａ１２）ベンスルタップ、カルタップヒドロクロリド、チオシクラムおよびチオスルタップナトリウム等のニコチン性アセチルコリン受容体チャネルブロッカー；Ａ１３）ビストリフルロン、ジフルベンズロン、フルフェノクスロン、ヘキサフルムロン、ルフェヌロン、ノバルロンおよびテフルベンズロンを含むベンゾイル尿素類由来のキチン生合成のタイプ０の阻害剤；Ａ１４）ブプロフェジン等のキチン生合成のタイプ１の阻害剤；Ａ１５）シロマジン等の脱皮攪乱剤；Ａ１６）メトキシフェノジド、テブフェノジド、ハロフェノジドおよびクロマフェノジド等のエクジソン受容体アゴニスト；Ａ１７）アミトラズ等のオクトパミン受容体アゴニスト；Ａ１８）ミトコンドリア複合体電子輸送阻害剤であるピリダベン、テブフェンピラド、トルフェンピラド、フルフェネリム、シ���ノピラフェン、シフルメトフェン、ヒドラメチルノン、アセキノシルまたはフルアクリピリム；Ａ１９）インドキサカルブおよびメタフルミゾン等の電圧依存性ナトリウムチャネルブロッカー；Ａ２０）スピロジクロフェン、スピロメシフェンおよびスピロテトラマット等の脂質合成阻害剤；Ａ２１）フルベンジアミド、フタルアミド化合物（Ｒ）−３−クロル−Ｎ１−｛２−メチル−４−［１，２，２，２−テトラフルオロ−１−（トリフルオロメチル）エチル］フェニル｝−Ｎ２−（１−メチル−２−メチルスルホニルエチル）フタルアミドおよび（Ｓ）−３−クロル−Ｎ１−｛２−メチル−４−［１，２，２，２−テトラフルオロ−１−（トリフルオロメチル）エチル］フェニル｝−Ｎ２−（１−メチル−２−メチルスルホニルエチル）フタルアミド、クロラントラニリプロールおよびシアントラニリプロールを含むジアミド類由来のリアノジン受容体モジュレーター；Ａ２２）アザジラクチン、アミドフルメト、ビフェナゼート、フルエンスルホン、ピペロニルブトキシド、ピリダリル、スルホキサフロル等の作用機序の不明または不確かな化合物；または、Ａ２３）アクリナトリン、アレスリン、ビフェントリン、シフルトリン、ラムダ−シハロトリン、シペルメトリン、アルファ−シペルメトリン、ベータ−シペルメトリン、ゼータ−シペルメトリン、デルタメトリン、エスフェンバレレート、エトフェンプロックス、フェンプロパトリン、フェンバレレート、フルシトリネート、タウ−フルバリネート、ペルメトリン、シラフルオフェンおよびトラロメトリンを含むピレスロイド類由来のナトリウムチャネルモジュレーター。
【００８７】
殺真菌剤：Ｂ０）ベンゾビンジフルピル、アンチペロノスポリック（anitiperonosporic）、アメトクトラジン、アミスルブロム、銅塩（例えば、水酸化銅、酸塩化銅、硫酸銅、過硫酸銅）、ボスカリド、チフルザミド（thiflumazide）、フルチアニル、フララキシル、チアベンダゾール、ベノダニル、メプロニル、イソフェタミド、フェンフラム、ビキサフェン（bixafen）、フルキサピロキサド、ペンフルフェン、セダキサン、クモキシストロビン、エノキサストロビン、フルフェノキシストロビン、ピラオキシストロビン、ピラメトストロビン、トリクロピリカルブ（triclopyricarb）、フェナミンストロビン、メトミノストロビン、ピリベンカルブ、メプチルジノカップ（meptyldinocap）、酢酸フェンチン、塩化フェンチン、水酸化フェンチン、オキシテトラシクリン、クロゾリネート（chlozolinate）、クロロネブ、テクナゼン、エトリジアゾール、ヨードカルブ、プロチオカルブ、バチルス・サブチリス・シノニム、バチルス・アミロリクエファシエンス（例えば、ＱＳＴ  ７１３、ＦＺＢ２４、ＭＢＩ６００、Ｄ７４７株）、メラレウカ・アルテルニフォリア（Melaleuca alternifolia）抽出物、ルピナス・アルブス・ドーセ（Lupinus albus doce）抽出物、ＢＬＡＤポリペプチド、ピリソキサゾール（pyrisoxazole）、オキスポコナゾール、エタコナゾール（etaconazole）、フェンピラザミン、ナフチフィン、テルビナフィン、バリダマイシン、ピリモルフ、バリフェナレート、フタリド、プロベナゾール、イソチアニル、ラミナリン、レイノウトリア・サチャリネンシス（Reynoutria sachalinensis）抽出物、亜リン酸および塩、テクロフタラム（teclofthalam）、トリアゾキシド（triazoxide）、ピリオフェノン、有機油、炭酸水素カリウム、クロロタロニル、フルオロイミド；Ｂ１）ビテルタノール、ブロムコナゾール、シプロコナゾール、ジフェノコナゾール、ジニコナゾール、エニルコナゾール、エポキシコナゾール、フルキンコナゾール、フェンブコナゾール、フルシラゾール、フルトリアホール、ヘキサコナゾール、イミベンコナゾール、イプコナゾール、メトコナゾール、ミクロブタニル、ペンコナゾール、プロピコナゾール、プロチオコナゾール、シメコナゾール、トリアジメホン、トリアジメノール、テブコナゾール、テトラコナゾール、トリチコナゾール、プロクロラズ、ペフラゾエート、イマザリル、トリフルミゾール、シアゾファミド、ベノミル、カルベンダジム、チアベンダゾール、フベリダゾール、エタボキサム、エトリジアゾール、ヒメキサゾール、アザコナゾール、ジニコナゾール−Ｍ、オキスポコナゾール、パクロブトラゾール、ウニコナゾール、１−（４−クロロフェニル）−２−（［１，２，４］トリアゾール−１−イル）−シクロヘプタノールおよびイマザリルスルフェートを含むアゾール；Ｂ２）アゾキシストロビン、ジモキシストロビン、エネストロブリン、フルオキサストロビン、クレソキシム−メチル、メトミノストロビン、オリサストロビン、ピコキシストロビン、ピラクロストロビン、トリフロキシストロビン、エネストロブリン、メチル（２−クロロ−５−［１−（３−メチルベンジルオキシイミノ）エチル］ベンジル）カルバメート、メチル（２−クロロ−５−［１−（６−メチルピリジン−２−イルメトキシイミノ）エチル］ベンジル）カルバメート、メチル２−（オルト−（２，５−ジメチルフェニルオキシメチレン）−フェニル）−３−メトキシアクリレート、２−（２−（６−（３−クロロ−２−メチル−フェノキシ）−５−フルオロ−ピリミジン−４−イルオキシ）−フェニル）−２−メトキシイミノ−Ｎ−メチル−アセトアミドおよび３−メトキシ−２−（２−（Ｎ−（４−メトキシ−フェニル）−シクロプロパンカルボキシイミドイルスルファニルメチル）−フェニル）−アクリル酸メチルエステルを含むストロビルリン；Ｂ３）カルボキシン、ベナラキシル、ベナラキシル−Ｍ、フェンヘキサミド、フルトラニル、フラメトピル、メプロニル、メタラキシル、メフェノキサム、オフレース、オキサジキシル、オキシカルボキシン、ペンチオピラド、イソピラザム、チフルザミド、チアジニル、３，４−ジクロロ−Ｎ−（２−シアノフェニル）イソチアゾール−５−カルボキサミド、ジメトモルフ、フルモルフ、フルメトベル、フルオピコリド（ピコベンズアミド）、ゾキサミド、カルプロパミド、ジクロシメット、マンジプロパミド、Ｎ−（２−（４−［３−（４−クロロフェニル）プロパ−２−インイルオキシ］−３−メトキシフェニル）エチル）−２−メタンスルホニル−アミノ−３−メチルブチルアミド、Ｎ−（２−（４−［３−（４−クロロフェニル）プロパ−２−インイルオキシ］−３−メトキシ−フェニル）エチル）−２−エタンスルホニルアミノ−３−メチルブチルアミド、メチル３−（４−クロロフェニル）−３−（２−イソプロポキシカルボニル−アミノ−３−メチル−ブチリルアミノ）プロピオネート、Ｎ−（４’−ブロモビフェニル−２−イル）−４−ジフルオロメチル−メチルチアゾール−δ−カルボキサミド、Ｎ−（４’−トリフルオロメチル−ビフェニル−２−イル）−４−ジフルオロメチル−２−メチルチアゾール−５−カルボキサミド、Ｎ−（４’−クロロ−３’−フルオロビフェニル−２−イル）−４−ジフルオロメチル−２−メチル−チアゾール−５−カルボキサミド、Ｎ−（３，４’−ジクロロ−４−フルオロビフェニル−２−イル）−３−ジフルオロ−メチル−１−メチルピラゾール−４−カルボキサミド、Ｎ−（３’，４’−ジクロロ−５−フルオロビフェニル−２−イル）−３−ジフルオロメチル−１−メチルピラゾール−４−カルボキサミド、Ｎ−（２−シアノ−フェニル）−３，４−ジクロロイソチアゾール−５−カルボキサミド、２−アミノ−４−メチル−チアゾール−５−カルボキシアニリド、２−クロロ−Ｎ−（１，１，３−トリメチル−インダン−４−イル）−ニコチンアミド、Ｎ−（２−（１，３−ジメチルブチル）−フェニル）−１，３−ジメチル−５−フルオロ−１Ｈ−ピラゾール−４−カルボキサミド、Ｎ−（４’−クロロ−３’，５−ジフルオロ−ビフェニル−２−イル）−３−ジフルオロメチル−１−メチル−１Ｈ−ピラゾール−４−カルボキサミド、Ｎ−（４’−クロロ−３’，５−ジフルオロ−ビフェニル−２−イル）−３−トリフルオロメチル−１−メチル−１Ｈ−ピラゾール−４−カルボキサミド、Ｎ−（３’，４’−ジクロロ−５−フルオロ−ビフェニル−２−イル）−３−トリフルオロメチル−１−メチル−１Ｈ−ピラゾール−４−カルボキサミド���Ｎ−（３’，５−ジフルオロ−４’−メチル−ビフェニル−２−イル）−３−ジフルオロメチル−１−メチル−１Ｈ−ピラゾール−４−カルボキサミド、Ｎ−（３’，５−ジフルオロ−４’−メチル−ビフェニル−２−イル）−３−トリフルオロメチル−１−メチル−１Ｈ−ピラゾール−４−カルボキサミド、Ｎ−（シス−２−ビシクロプロピル−２−イル−フェニル）−３−ジフルオロメチル−１−メチル−１Ｈ−ピラゾール−４−カルボキサミド、Ｎ−（トランス−２−ビシクロプロピル−２−イル−フェニル）−３−ジフルオロ−メチル−１−メチル−１Ｈ−ピラゾール−４−カルボキサミド、フルオピラム、Ｎ−（３−エチル−３，５−５−トリメチル−シクロヘキシル）−３−ホルミルアミノ−２−ヒドロキシ−ベンズアミド、オキシテトラサイクリン、シルチオファム、Ｎ−（６−メトキシ−ピリジン−３−イル）シクロプロパンカルボキサミド、２−ヨード−Ｎ−フェニル−ベンズアミド、Ｎ−（２−ビシクロ−プロピル−２−イル−フェニル）−３−ジフルオロメチル−１−メチルピラゾール−４−イルカルボキサミド、Ｎ−（３’，４’，５’−トリフルオロビフェニル−２−イル）−１，３−ジメチルピラゾール−４−イルカルボキサミド、Ｎ−（３’，４’，５’−トリフルオロビフェニル−２−イル）−１，３−ジメチル−５−フルオロピラゾール−４−イルカルボキサミド、Ｎ−（３’，４’，５’−トリフルオロビフェニル−２−イル）−５−クロロ−１，３−ジメチル−ピラゾール−４−イルカルボキサミド、Ｎ−（３’，４’，５’−トリフルオロビフェニル−２−イル）−３−フルオロメチル−１−メチルピラゾール−４−イルカルボキサミド、Ｎ−（３’，４’，５’−トリフルオロビフェニル−２−イル）−３−（クロロフルオロメチル）−１−メチルピラゾール−４−イルカルボキサミド、Ｎ−（３’，４’，５’−トリフルオロビフェニル−２−イル）−３−ジフルオロメチル−１−メチルピラゾール−４−イルカルボキサミド、Ｎ−（３’，４’，５’−トリフルオロビフェニル−２−イル）−３−ジフルオロメチル−５−フルオロ−１−メチルピラゾール−４−イルカルボキサミド、
Ｎ−（３’，４’，５’−トリフルオロビフェニル−２−イル）−５−クロロ−３−ジフルオロメチル−１−メチルピラゾール−４−イルカルボキサミド、Ｎ−（３’，４’，５’−トリフルオロビフェニル−２−イル）−３−（クロロジフルオロメチル）−１−メチルピラゾール−４−イルカルボキサミド、Ｎ−（３’，４’，５’−トリフルオロビフェニル−２−イル）−１−メチル−３−トリフルオロメチルピラゾール−４−イルカルボキサミド、Ｎ−（３’，４’，５’−トリフルオロビフェニル−２−イル）−５−フルオロ−１−メチル−３−トリフルオロメチルピラゾール−４−イルカルボキサミド、Ｎ−（３’，４’，５’−トリフルオロビフェニル−２−イル）−５−クロロ−１−メチル−３−トリフルオロメチルピラゾール−４−イルカルボキサミド、Ｎ−（２’，４’，５’−トリフルオロビフェニル−２−イル）−１，３−ジメチルピラゾール−４−イルカルボキサミド、Ｎ−（２’，４’，５’−トリフルオロビフェニル−２−イル）−１，３−ジメチル−５−フルオロピラゾール−４−イルカルボキサミド、Ｎ−（２’，４’，５’−トリフルオロビフェニル−２−イル）−５−クロロ−１，３−ジメチルピラゾール−４−イルカルボキサミド、Ｎ−（２’，４’，５’−トリフルオロビフェニル−２−イル）−３−フルオロメチル−１−メチルピラゾール−４−イルカルボキサミド、Ｎ−（２’，４’，５’−トリフルオロビフェニル−２−イル）−３−（クロロフルオロメチル）−１−メチルピラゾール−４−イルカルボキサミド、Ｎ−（２’，４’，５’−トリフルオロビフェニル−２−イル）−３−ジフルオロメチル−１−メチルピラゾール−４−イルカルボキサミド、Ｎ−（２’，４’，５’−トリフルオロビフェニル−２−イル）−３−ジフルオロメチル−５−フルオロ−１−メチルピラゾール−４−イルカルボキサミド、Ｎ−（２’，４’，５’−トリフルオロビフェニル−２−イル）−５−クロロ−３−ジフルオロメチル−１−メチルピラゾール−４−イルカルボキサミド、Ｎ−（２’，４’，５’−トリフルオロビフェニル−２−イル）−３−（クロロジフルオロメチル）−１−メチルピラゾール−４−イルカルボキサミド、Ｎ−（２’，４’，５’−トリフルオロビフェニル−２−イル）−１−メチル−３−トリフルオロメチルピラゾール−４−イルカルボキサミド、Ｎ−（２’，４’，５’−トリフルオロビフェニル−２−イル）−５−フルオロ−１−メチル−３−トリフルオロメチルピラゾール−４−イルカルボキサミド、Ｎ−（２’，４’，５’−トリフルオロビフェニル−２−イル）−５−クロロ−１−メチル−３−トリフルオロメチルピラゾール−４−イルカルボキサミド、Ｎ−（３’，４’−ジクロロ−３−フルオロビフェニル−２−イル）−１−メチル−３−トリフルオロメチル−１Ｈ−ピラゾール−４−カルボキサミド、Ｎ−（３’，４’−ジクロロ−３−フルオロビフェニル−２−イル）−１−メチル−３−ジフルオロメチル−１Ｈ−ピラゾール−４−カルボキサミド、Ｎ−（３’，４’−ジフルオロ−３−フルオロビフェニル−２−イル）−１−メチル−３−トリフルオロメチル−１Ｈ−ピラゾール−４−カルボキサミド、Ｎ−（３’，４’−ジフルオロ−３−フルオロビフェニル−２−イル）−１−メチル−Ｓ−ジフルオロメチル−１Ｈ−ピラゾール−４−カルボキサミド、Ｎ−（３’−クロロ−４’−フルオロ−３−フルオロビフェニル−２−イル）−１−メチル−３−ジフルオロメチル−１Ｈ−ピラゾール−４−カルボキサミド、Ｎ−（３’，４’−ジクロロ−４−フルオロビフェニル−２−イル）−１−メチル−３−トリフルオロメチル−１Ｈ−ピラゾール−４−カルボキサミド、Ｎ−（３’，４’−ジフルオロ−４−フルオロビフェニル−２−イル）−１−メチル−Ｓ−トリフルオロメチル−１Ｈ−ピラゾール−４−カルボキサミド、Ｎ−（３’，４’−ジクロロ−４−フルオロビフェニル−２−イル）−１−メチル−３−ジフルオロメチル−１Ｈ−ピラゾール−４−カルボキサミド、Ｎ−（３’，４’−ジフルオロ−４−フルオロビフェニル−２−イル）−１−メチル−３−ジフルオロメチル−１Ｈ−ピラゾール−４−カルボキサミド、Ｎ−（３’−クロロ−４’−フルオロ−４−フルオロビフェニル−２−イル）−１−メチル−Ｓ−ジフルオロメチル−１Ｈ−ピラゾール−４−カルボキサミド、Ｎ−（３’，４’−ジクロロ−５−フルオロビフェニル−２−イル）−１−メチル−３−トリフルオロメチル−１Ｈ−ピラゾール−４−カルボキサミド、Ｎ−（３’，４’−ジフルオロ−５−フルオロビフェニル−２−イル）−１−メチル−３−トリフルオロメチル−１Ｈ−ピラゾール−４−カルボキサミド、Ｎ−（３’，４’−ジクロロ−５−フルオロビフェニル−２−イル）−１−メチル−Ｓ−ジフルオロメチル−１Ｈ−ピラゾール−４−カルボキサミド、Ｎ−（３’，４−ジフルオロ−５−フルオロビフェニル−２−イル）−１−メチル−３−ジフルオロメチル−１Ｈ−ピラゾール−４−カルボキサミド、Ｎ−（３’，４’−ジクロロ−５−フルオロビフェニル−２−イル）−１，３−ジメチル−１Ｈ−ピラゾール−４−カルボキサミド、Ｎ−（３’−クロロ−４’−フルオロ−５−フルオロビフェニル−２−イル）−１−メチル−３−ジフルオロメチル−１Ｈ−ピラゾール−４−カルボキサミド、Ｎ−（４’−フルオロ−４−フルオロビフェニル−２−イル）−１−メチル−３−トリフルオロメチル−１Ｈ−ピラゾール−４−カルボキサミド、Ｎ−（４’−フルオロ−５−フルオロビフェニル−２−イル）−１−メチル−３−トリフルオロメチル−１Ｈ−ピラゾール−４−カルボキサミド、Ｎ−（４’−クロロ−５−フルオロビフェニル−２−イル）−１−メチル−３−トリフルオロメチル−１Ｈ−ピラゾール−４−カルボキサミド、Ｎ−（４’−メチル−５−フルオロビフェニル−２−イル）−１−メチル−３−トリフルオロメチル−１Ｈ−ピラゾール−４−カルボキサミド、Ｎ−（４’−フルオロ−５−フルオロビフェニル−２−イル）−１，３−ジメチル−１Ｈ−ピラゾール−４−カルボキサミド、Ｎ−（４’−クロロ−５−フルオロビフェニル−２−イル）−１，３−ジメチル−１Ｈ−ピラゾール−４−カルボキサミド、Ｎ−（４’−メチル−５−フルオロビフェニル−２−イル）−１，３−ジメチル−１Ｈ−ピラゾール−４−カルボキサミド、Ｎ−（４’−フルオロ−６−フルオロビフェニル−２−イル）−１−メチル−３−トリフルオロメチル−１Ｈ−ピラゾール−４−カルボキサミド、Ｎ−（４’−クロロ−６−フルオロビフェニル−２−イル）−１−メチル−３−トリフルオロメチル−１Ｈ−ピラゾール−４−カルボキサミド、Ｎ−［２−（１，１，２，３，３，３−ヘキサフルオロプロポキシ）−フェニル］−３−ジフルオロメチル−１−メチル−１Ｈ−ピラゾール−４−カルボキサミド、Ｎ−［４’−（トリフルオロメチルチオ）−ビフェニル−２−イル］−３−ジフルオロメチル−１−メチル−１Ｈ−ピラゾール−４−カルボキサミドおよびＮ−［４’−（トリフルオロメチルチオ）−ビフェニル−２−イル］−１−メチル−３−トリフルオロメチル−ｌ−メチル−１Ｈ−ピラゾール−４−カルボキサミドを含むカルボキサミド；Ｂ４）フルアジナム、ピリフェノックス、ブピリメート、シプロジニル、フェナリモル、フェリムゾン、メパニピリム、ヌアリモル、ピリメタニル、トリフォリン、フェンピクロニル、フルジオキソニル、アルジモルフ、ドデモルフ、フェンプロピモルフ、トリデモルフ、フェンプロピジン、イプロジオン、プロシミドン、ビンクロゾリン、ファモキサドン、フェンアミドン、オクチリノン、プロベン（ｐｒｏｂｅｎ）−アゾール、５−クロロ−７−（４−メチルピペリジン−１−イル）−６−（２，４，６−トリフルオロフェニル）−［１，２，４］トリアゾロ［１，５−ａ］ピリミジン、アニラジン、ジクロメジン、ピロキロン、プロキナジド、トリシクラゾール、２−ブトキシ−６−ヨード−３−プロピルクロメン−４−オン、アシベンゾラル−Ｓ−メチル、カプタホール、キャプタン、ダゾメット、ホルペット、フェノキサニル、キノキシフェン、Ｎ，Ｎ−ジメチル−３−（３−ブロモ−６−フルオロ−２−メチルインドール−１−スルホニル）−［１，２，４］トリアゾール−１−スルホンアミド、５−エチル−６−オクチル−［１，２，４］トリアゾロ［１，５−ａ］ピリミジン−２，７−ジアミン、２，３，５，６−テトラクロロ−４−メタンスルホニル−ピリジン、３，４，５−トリクロロピリジン−２，６−ジ−カルボニトリル、Ｎ−（１−（５−ブロモ−３−クロロ−ピリジン−２−イル）−エチル）−２，４−ジクロロニコチンアミド、Ｎ−（（５−ブロモ−３−クロロピリジン−２−イル）−メチル）−２，４−ジクロロ−ニコチンアミド、ジフルメトリム、ニトラピリン、ドデモルフアセテート、フルオロイミド、ブラストサイジン−Ｓ、キノメチオネート、デバカルブ、ジフェンゾクワット、ジフェンゾクワット−メチルスルフェート、オキソリン酸およびピペラリンを含む複素環式化合物；Ｂ５）マンコゼブ、マネブ、メタム、メタスルホカルブ、メチラム、フェルバム、プロピネブ、チラム、ジネブ、ジラム、ジエトフェンカルブ、イプロバリカルブ、ベンチアバリカルブ、プロパモカルブ、プロパモカルブヒドロクロリド、４−フルオロフェニル−Ｎ−（１−（１−（４−シアノフェニル）−エタンスルホニル）ブト−２−イル）カルバメート、メチル−３−（４−クロロ−フェニル）−３−（２−イソプロキシカルボニルアミノ−３−メチル−ブチリルアミノ）プロパノエートを含むカルバメート；または、Ｂ６）グアニジン、ドジン、ドジン遊離塩基、イミノクタジン、グアザチン、抗生物質：カスガマイシン、ストレプトマイシン、ポリオキシン、バリダマイシンＡ、ニトロフェニル誘導体：ビナパクリル、ジノカップ、ジノブトン、硫黄含有複素環式化合物：ジチアノン、イソプロチオラン、有機金属化合物：フェンチン塩、有機リン化合物：エジフェンホス、イプロベンホス、ホセチル、ホセチル−アルミニウム、亜リン酸およびその塩、ピラゾホス、トルクロホス−メチル、有機塩素化合物：ジクロフルアニド、フルスルファミド、ヘキサクロロ−ベンゼン、フタリド、ペンシクロン、キントゼン、チオファネート−メチル、トリルフルアニド、その他：シフルフェナミド、シモキサニル、ジメチリモール、エチリモール、フララキシル、メトラフェノンおよびスピロキサミン、グアザチン−アセテート、イミノクタジン−トリアセテート、イミノクタジン−トリス（アルベシレート）、カスガマイシンヒドロクロリド水和物、ジクロロフェン、ペンタクロロフェノールおよびその塩、Ｎ−（４−クロロ−２−ニトロ−フェニル）−Ｎ−エチル−４−メチル−ベンゼンスルホンアミド、ジクロラン、ニトロタール−イソプロピル、テクナゼン、ビフェニル、ブロノポール、ジフェニルアミン、ミルジオマイシン、オキシン銅、プロヘキサジオンカルシウム、Ｎ−（シクロプロピルメトキシイミノ−（６−ジフルオロメトキシ−２，３−ジフルオロ−フェニル）−メチル）−２−フェニルアセトアミド、Ｎ’−（４−（４−クロロ−３−トリフルオロメチル−フェノキシ）−２，５−ジメチル−フェニル）−Ｎ−エチル−Ｎ−メチルホルムアミジン、Ｎ’−（４−（４−フルオロ−３−トリフルオロメチル−フェノキシ）−２，５−ジメチル−フェニル）−Ｎ−エチル−Ｎ−メチルホルムアミジン、Ｎ’−（２−メチル−５−トリフルオロメチル−４−（３−トリメチルシラニル−プロポキシ）−フェニル）−Ｎ−エチル−Ｎ−メチルホルムアミジン、並びに、Ｎ’−（５−ジフルオロメチル−２−メチル−４−（３−トリメチルシラニル−プロポキシ）−フェニル）−Ｎ−エチル−Ｎ−メチルホルムアミジンを含む他の殺真菌剤。
【００８８】
除草剤：Ｃ１）アセチル−ＣｏＡカルボキシラーゼ阻害剤（ＡＣＣ）、例えば、アロキシジム、クレトジム、クロプロキシジム、シクロキシジム、セトキシジム、トラルコキシジム、ブトロキシジム、クレフォキシジムもしくはテプラロキシジム等のシクロヘキセノンオキシムエーテル；クロジナホップ−プロパルギル、シハロホップ−ブチル、ジクロホップ−メチル、フェノキサプロップ−エチル、フェノキサプロップ−Ｐ−エチル、フェンチアプロップエチル、フルアジホップ−ブチル、フルアジホップ−Ｐ−ブチル、ハロキシホップ−エトキシエチル、ハロキシホップ−メチル、ハロキシホップ−Ｐ−メチル、イソキサピリホップ、プロパキザホップ、キザロホップ−エチル、キザロホップ−Ｐ−エチル若しくはキザロホップ−テフリル等のフェノキシフェノキシプロピオン酸エステル；または、フランプロップ−メチルもしくはフランプロップ−イソプロピル等のアリールアミノプロピオン酸；Ｃ２）アセトラクターゼ合成酵素阻害剤（ＡＬＳ）、例えば、イマザピル、イマザキン、イマザメタベンズ−メチル（イマザメ（ｉｍａｚａｍｅ））、イマザモックス、イマザピックもしくはイマゼタピル等のイミダゾリノン；ピリチオバック酸、ピリチオバック−ナトリウム、ビスピリバック−ナトリウム、ＫＩＨ−６１２７もしくはピリベンゾキシム等のピリミジルエーテル；フロラスラム、フルメトスラムもしくはメトスラム等のスルホンアミド；または、アミドスルフロン、アジムスルフロン、ベンスルフロン−メチル、クロリムロン−エチル、クロルスルフロン、シノスルフロン、シクロスルファムロン、エタメトスルフロン−メチル、エトキシスルフロン、フラザスルフロン、ハロスルフロン−メチル、イマゾスルフロン、メトスルフロン−メチル、ニコスルフロン、プリミスルフロン−メチル、プロスルフロン、ピラゾスルフロン−エチル、リムスルフロン、スルホメツロン−メチル、チフェンスルフロン−メチル、トリアスルフロン、トリベヌロン−メチル、トリフルスルフロン−メチル、トリトスルフロン、スルホスルフロン、ホラムスルフロンもしくはヨードスルフロン等のスルホニル尿素；Ｃ３）アミド、例えば、アリドクロル（ＣＤＡＡ）、ベンゾイルプロップ−エチル、ブロモブチド、クロルチアミド、ジフェナミド、エトベンザニド、フルチアミド、ホサミンまたはモナリド；Ｃ４）オーキシン除草剤、例えば、クロピラリドもしくはピクロラム等のピリジンカルボン酸；または、２，４−Ｄもしくはベナゾリン；Ｃ５）オーキシン輸送阻害剤、例えば、ナプタラメまたはジフルフェンゾピル；Ｃ６）カロテノイド生合成阻害剤、例えば、ベンゾフェナップ、クロマゾン、ジフルフェニカン、フルオロクロリドン、フルリドン、ピラゾリネート、ピラゾキシフェン、イソキサフルトール、イソキサクロルトール、メソトリオン、スルコトリオン（クロルメスロン）、ケトスピラドックス、フルルタモン、ノルフルラゾンまたはアミトロール；Ｃ７）エノールピルビルシキミ酸−３−リン酸合成酵素阻害剤（ＥＰＳＰＳ）、例えば、グリホサートまたはスルホサート；Ｃ８）グルタミン合成酵素阻害剤、例えば、ビアラホスまたはグルホシネート−アンモニウム；Ｃ９）脂質生合成阻害剤、例えば、アニロホスもしくはメフェナセット等のアニリド；ジメテナミド、Ｓ−ジメテナミド、アセトクロール、アラクロール、ブタクロール、ブテナクロール、ジエタチル−エチル、ジメタクロール、メタザクロール、メトラクロール、Ｓ−メトラクロール、プレチラクロール、プロパクロール、プリナクロール、テルブクロール、テニルクロールもしくはキシラクロール等のクロロアセトアニリド；ブチレート、シクロエート、ジ−アレート、ジメピペレート、ＥＰＴＣ．エスプロカルブ、モリネート、ペブレート、プロスルホカルブ、チオベンカルブ（ベンチオカルブ）、トリ−アレートもしくはバーナレート等のチオ尿素；または、ベンフレセートもしくはパーフルイドン；Ｃ１０）有糸分裂阻害剤、例えば、アシュラム、カルベタミド、クロルプロファム、オルベンカルブ、プロピザミド、プロファムもしくはチオカルバジル等のカルバメート；ベネフィン、ブトラリン、ジニトラミン、エタルフルラリン、フルクロラリン、オリザリン、ペンジメタリン、プロジアミンもしくはトリフルラリン等のジニトロアニリン；ジチオピルもしくはチアゾピル等のピリジン；または、ブタミホス、クロルタール−ジメチル（ＤＣＰＡ）もしくはマレイン酸ヒドラジド；Ｃ１１）プロトポルフィリノーゲンＩＸオキシダーゼ阻害剤、例えば、アシフルオルフェン、アシフルオルフェン−ナトリウム、アクロニフェン、ビフェノックス、クロミトロフェン（ＣＮＰ）、エトキシフェン、フルオロジフェン、フルオログリコフェン−エチル、フォメサフェン、フリロキシフェン、ラクトフェン、ニトロフェン、ニトロフルオルフェンもしくはオキシフルオルフェン等のジフェニルエーテル；オキサジアルギルもしくはオキサジアゾン等のオキサジアゾール；アザフェニジン、ブタフェナシル、カルフェントラゾン、カルフェントラゾン−エチル、シニドン−エチル、フルミクロラックペンチル、フルミオキサジン、フルミプロピン、フルプロパシル、フルチアセット−メチル、スルフェントラゾンもしくはチジアジミン等の環状イミド；または、ＥＴ−７５１、ＪＶ  ４８５もしくはニピラクロフェン等のピラゾール；Ｃ１２）光合成阻害剤、例えば、プロパニル、ピリデートもしくはピリダフォル；ベンタゾン等のベンゾチアジアジノン；ジニトロフェノール、例えば、ブロモフェノキシム、ジノセブ、ジノセブ−アセテート、ジノテルブもしくはＤＮＯＣ；シペルクアット−クロリド、ジフェンゾクワット−メチルスルフェート、ジクワットもしくはパラコート−ジクロリド等のジピリジレン；クロルブロムロン、クロロトルロン、ジフェノクスロン、ジメフロン、ジウロン、エチジムロン、フェヌロン、フルオメツロン、イソプロチュロン、イソウロン、リヌロン、メタベンズチアズロン、メタゾール、メトベンズロン、メトキスロン、モノリニュロン、ネブロン、シデュロンもしくはテブチウロン等の尿素；ブロモキシニルもしくはイオキシニル等のフェノール；クロリダゾン；アメトリン、アトラジン、シアナジン、デスメイン、ジメタメトリン、ヘキサジノン、プロメトン、プロメトリン、プロパジン、シマジン、シメトリン、テルブメトン、テルブトリン、テルブチラジンもしくはトリエタジン等のトリアジン；メタミトロン等のトリア���ノン；ブロマシル、レナシルもしくはテルバシル等のウラシル；または、デスメジファムもしくはフェンメジファム等のビスカルバメート；Ｃ１３）相乗剤、例えば、トリジファン等のオキシラン；Ｃ１４）ＣＩＳ細胞壁合成阻害剤、例えば、イソキサベンまたはジクロベニル；Ｃ１６）様々な他の除草剤、例えば、ダラポン等のジクロロプロピオン酸；エトフメセート等のジヒドロベンゾフラン；クロルフェナック（フェナック）等のフェニル酢酸；または、アジプロトリン、バルバン、ベンスリド、ベンズチアズロン、ベンゾフルオール、ブミナホス、ブチダゾール、ブツロン、カフェンストロール、クロルブファム、クロルフェンプロップ−メチル、クロロクスロン、シンメチリン、クミルロン、シクルロン、シプラジン、シプラゾール、ジベンジルロン、ジプロペトリン、ダイムロン、エグリナジン−エチル、エンドタール、エチオジン、フルカバゾン、フルオルベントラニル、フルポキサム、イソカルバミド、イソプロパリン、カルブチレート、メフルイジド、モヌロン、ナプロップアミド、ナプロップアニリド、ニトラリン、オキサシクロメフォン、フェニソファム、ピペロホス、プロシアジン、プロフルアリン、ピリブチカルブ、セクブメトン、スルファレート（ＣＤＥＣ）、テルブカルブ、トリアジフラム、トリアゾフェナミドもしくはトリメツロン；または、それらの環境適合性の塩。
【００８９】
殺線虫剤またはバイオ殺線虫剤：ベノミル、クロエトカルブ、アルドキシカルブ、チルパート、ジアミダホス、フェナミホス、カズサホス、ジクロフェンチオン、エトプロホス、フェンスルホチオン、ホスチアゼート、ヘテロホス、イサミドホス（ｉｓａｍｉｄｏｆｏｆ）、イサゾホス、ホスホカルブ、チオナジン、イミシアホス、メカルホン、アセトプロール、ベンクロチアズ、クロロピクリン、ダゾメット、フルエンスルホン、１，３−ジクロロプロペン（ｔｅｌｏｎｅ）、ジメチルジスルフィド、メタムナトリウム、メタムカリウム、メタム塩（全てＭＩＴＣ生成）、臭化メチル、生物学的土壌改善物（例えば、マスタード種子、マスタード種子抽出物）、土壌の蒸気燻蒸、アリルイソチオシアネート（ＡＩＴＣ）、硫酸ジメチル、フルフアール（アルデヒド）。
【００９０】
本発明の適切な植物成長調節剤は、次のものを含む。植物成長調整剤：Ｄ１）クロフィブリン酸、２，３，５−トリヨード安息香酸等のアンチオーキシン；Ｄ２）４−ＣＰＡ、２，４−Ｄ、２，４−ＤＢ、２，４−ＤＥＰ、ジクロルプロップ、フェノプロップ、ＩＡＡ、ＩＢＡ、ナフタレンアセトアミド、α−ナフタレン酢酸、１−ナフトール、ナフトキシ酢酸、ナフテン酸カリウム、ナフテン酸ナトリウム、２，４，５−Ｔ等のオーキシン；Ｄ３）２ｉＰ、ベンジルアデニン、４−ヒドロキシフェンエチルアルコール、カイネチン、ゼアチン等のサイトカイニン；Ｄ４）カルシウムシアナミド、ジメチピン、エンドタール、エセフォン、メルホス、メトクスロン、ペンタクロロフェノール、チジアズロン、トリブホス等の枯れ葉剤；Ｄ５）アビグリシン、１−メチルシクロプロペン等のエチレン阻害剤；Ｄ６）ＡＣＣ、エタセラシル、エテホン、グリオキシム等のエチレン放出剤；Ｄ７）フェンリダゾン、マレイン酸ヒドラジド等のガメトシド；Ｄ８）ジベレリン、ジベレリン酸等のジベレリン；Ｄ９）アブシジン酸、アンシミドール、ブトラリン、カルバリル、クロルホニウム、クロルプロファム、ジケグラック、フルメトラリン、フルオリドアミド、ホサミン、グリホジン、イソピリモル、ジャスモン酸、マレイン酸ヒドラジド、メピコート、ピプロクタニル、プロヒドロジャスモン、プロファム、チアオジエアン（ｔｉａｏｊｉｅａｎ）、２，３，５−トリヨード安息香酸等の成長阻害剤；Ｄ１０）クロルフルレン、クロルフレノール、ジクロルフルレノール、フルレノール等のモルファクチン；Ｄ１１）クロルメコート、ダミノジド、フルルプリミドール、メフルイジド、パクロブトラゾール、テトシクラシス、ウニコナゾール等の成長抑制剤；Ｄ１２）ブラシノリド、ブラシノリド−エチル、ＤＣＰＴＡ、ホルクロルフェヌロン、ヒメキサゾール、プロスレル（ｐｒｏｓｕｌｅｒ）、トリアコンタノール等の成長刺激剤；Ｄ１３）バクメデシュ、ベンゾフルオール、ブミナホス、カルボン、コリンクロリド、シオブチド、クロフェンセット、シアナミド、シクラニリド、シクロヘキシミド、シプロスルファミド、エポコレオン、エチクロゼート、エチレン、フフェンチオウレア（ｆｕｐｈｅｎｔｈｉｏｕｒｅａ）、フララン（ｆｕｒａｌａｎｅ）、ヘプトパルギル、ホロスルフ、イナベンフィド、カレタザン、ヒ酸鉛、メタスルホカルブ、プロヘキサジオン、ピダノン、シントフェン、トリアペンテノール、トリネキサパック等の分類されていない植物成長調整剤。
【００９１】
肥料は液体肥料であり得る。「液体肥料」という用語は、窒素、リンおよびカリウムの様々な比率（例えば、１０％の窒素、３４％のリンおよび０％のカリウムなどであるが、これらに限定されない）および微量栄養素を含む流体または液体形態の肥料を指し、リンを多く含み、迅速かつ強力な根の成長を促進するスターター肥料として一般には知られている。 
【００９２】
本発明の化学製剤は、任意の適切な従来型の形態、例えば、乳剤（ＥＣ）、懸濁剤（ＳＣ）、サスポエマルジョン剤（ＳＥ）、カプセル懸濁剤（ＣＳ）、水分散性粒剤（ＷＧ）、乳化性顆粒剤（ＥＧ）、油中水型エマルジョン剤（ＥＯ）、水中油型エマルジョン剤（ＥＷ）、マイクロエマルジョン剤（ＭＥ）、油分散剤（ＯＤ）、油混和性フロアブル剤（ＯＦ）、油混和性液剤（ＯＬ）、可溶性濃縮剤（ＳＬ）、超低容量懸濁剤（ＳＵ）、超低容量液剤（ＵＬ）、分散性濃縮剤（ＤＣ）、水和剤（ＷＰ）または農業上許容されるアジュバントと組み合わせた技術的に可能な任意の製剤であり得る。１つの好ましい実施形態において、本開示の組成物は、乳剤、懸濁剤またはカプセル懸濁剤として供給される。
【００９３】
本発明の別の実施形態では、植物成長に利益を与え、および／または感受性植物において病原体感染に対する保護を与えるのに適した量で存在する、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物の胞子を含む組成物で被覆された植物種子が提供される。植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示され得る。
【００９４】
植物種子に被覆される組成物は、約１．０×１０２ＣＦＵ／種〜約１．０×１０９ＣＦＵ／種の量のバチルス・アミノロリファシエンス胞子を含むことができる。
【００９５】
植物種子は、限定されないが、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、または芝草（Ｔｕｒｆ  ｇｒａｓｓ）の種子を含み得る。
【００９６】
１つ以上の実施形態では、植物種子には、ドライビーン、コーン、小麦、大豆、キャノーラ、米、キュウリ、ペッパー、トマト、スカッシュ、綿、草、および芝草を含み得る。
【００９７】
被覆された植物種子によって処理された病原体感染は、例えば、限定されないが、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colletotrichum spp.）、またはこれらの組み合わせを含む植物病原体により引き起こされ得る。
【００９８】
植物種子に被覆される組成物は、植物成長に利益を与え、および／または感受性植物において病原体感染に対する保護を与えるのに適した量で存在する、微生物学的、生物学的もしくは化学的殺虫剤、殺真菌剤、殺線虫剤、殺細菌剤、または植物成長調整剤の１つまたは組み合わせをさらに含み得る。殺虫剤はビフェントリンを含み得る。殺線虫剤にはカドサホスを含み得る。殺虫剤はビフェントリンおよびクロチアニジンを含み得る。
【００９９】
本発明の別の実施形態では、植物成長に利益を与えることまたは感受性植物において病原体感染に対する保護を与えることの１つまたは両方のための方法が提供され、方法は、植物の種子を植え付けること、または植物性切断片／組織を適切な成長培地中で再生することを含み、ここで、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物を含む組成物で、種子が被覆されているまたは植物性切断片／組織が接種され、種子または植物性切断片／組織から植物に利益が与えられおよび／または病原体感染に対する保護が与えられる。植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示され得る。
【０１００】
一実施形態では、方法は、液体肥料を以下、植物の周囲の土壌もしくは成長培地、植物の種子を播種する前の土壌もしくは成長培地、または植物、植物切断片、植物移植片、もしくは植物カルス組織を植え付ける前の土壌もしくは成長培地に適用することを含むことができる。
【０１０１】
一実施形態では、処理に対する耐性の蓄積を最小限に抑えながら、病原体感染に対する保護を与えるまたは感受性植物において病原体感染を低減することによって、植物成長に利益を与える方法が提供される。方法は、第１組成物および第２組成物を時間間隔を変更しながら別々の適用において感受性植物に送達することを含み、第１および第２組成物のそれぞれは、植物における病原体感染に対する保護を与えるまたは病原体感染を減少させるのに適した量で送達される。第１組成物は、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物を含む。第２組成物は、殺真菌特性または殺菌特性を有する１つ以上の化学活性剤を含む。方法では、第１および第２組成物は、時間間隔を変えながら、植物の葉、植物の樹皮、植物の果実、植物の花、植物の種子、植物の根、植物の切断片、植物の移植片、植物のカルス組織、または植物の周囲の土壌または成長培地の１つまたは組み合わせに送達される。方法では、病原体感染に対する保護を与えおよび／または病原体感染を軽減するために必要な化学活性剤（複数可）の総量が低減され、処理に対する耐性の蓄積が最小限に抑えられる。植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示され得る。
【０１０２】
第１組成物は、担体、界面活性剤、分散剤、または酵母抽出物の１つまたは組合せをさらに含み得る。酵母抽出物は、約０．０１％〜０．２％ｗ／ｗの範囲の植物成長に利益を与える割合で送達され得る。
【０１０３】
病原体感染に対する保護を与えまたは感受性植物において病原体感染を減少させる一方で、処理に対する耐性の蓄積を最小化することによって植物成長に利益を与える方法では、変化する時間間隔は、１日から１０日の間隔の範囲であり、５から７日間の間隔の範囲でもよい。最初の適用のタイミングは、特定の作物に依存し得、植え付け時、作物出芽後数週間、開花時、病害の出現時、または病害の出現を予期する前の範囲内であり得る。第１および第２組成物のそれぞれは、植物の葉、植物の果実、または植物の花に送達され得る。植物の病原体感染に保護を与えるまたは病原体感染を低減するのに適した送達量は、約１．０×１０１０ＣＦＵ／ｈａ〜約１．０×１０１４ＣＦＵ／ｈａのバチルス・アミロリケファシエンスＲＴＩ４７２および約０．０１％〜０．２％ｗ／ｗの酵母抽出物であり得る。
【０１０４】
感受性植物に別々の適用および時間間隔変えながら送達するための１つ以上の化学活性剤は、例えば、限定されるものではないが、ストロビルリン、トリアゾール、フルトリアフォール、テブコナゾール、プロチアコナゾール、エポキシコナゾール（ｅｘｐｏｘｙｃｏｎａｚｏｌｅ）、フルオピラム、クロロタロニル、チオファネート−メチル、水酸化銅系殺真菌剤、ＥＤＢＣ系殺真菌剤、マンコゼブ、サクシナーゼデヒドロゲナーゼ（ＳＤＨＩ）殺真菌剤、ビキサフェン、イプロジオン、ジメトモルフ、またはバリフェナレートの１つまたは組み合わせを含み得る。
【０１０５】
別々の適用および時間間隔を変えながら感受性植物に送達するための１つ以上の化学活性剤は、フルオピラム＋テブコナゾールを含み、ＲＴＩ４７２を含む第１組成物の送達は、クロロタロニル殺真菌剤の送達に変わり得る。植物はククルビットであり得、病原体感染はうどんこ病によって引き起こされ得る。
【０１０６】
別々の適用および時間間隔を変えながら感受性植物に送達するための１つ以上の化学活性剤は、チオファネートメチル殺真菌剤を含み、ＲＴＩ４７２を含む第１組成物の送達は、プロチオコナゾール殺真菌剤の送達に変わり得る。
【０１０７】
別々の適用および時間間隔を変えながら感受性植物に送達するための１つ以上の化学活性剤は、水酸化銅殺真菌剤を含み、ＲＴＩ４７２を含む第１組成物の送達は、クロロタロニル殺真菌剤の送達に変わり得る。
【０１０８】
一実施形態では、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物を含む第１成分、微生物学的、生物学的もしくは化学的殺虫剤、殺真菌剤、殺線虫剤、殺細菌剤、除草剤、植物抽出物、植物成長調整剤または肥料の１つまたは組合せを含む第２成分を含み、ここで、第１および第２成分は別々に包装され、各成分は、植物成長への利益の付与または感受性植物において病原体感染に対する保護の付与の１つまたは両方に適した量であり、植物成長への利益を与えるのに適した量であり、第１および第２組成物の組み合わせを、植物の葉、植物の樹皮、植物の果実、植物の花、植物の種子、植物の根、植物の切断片、植物の移植片、植物のカルス組織、植物の周囲の土壌もしくは成長培地、植物の種子を播種する前の土壌もしくは成長培地もしくは植物、植物切断片、植物移植片、植物カルス組織を植え付ける前の土壌または成長培地に送達するための指示書を含む製品が提供される。
【０１０９】
製品では、殺虫剤は、ピレスロイド、ビフェントリン、テフルトリン、ゼータ−シペルメトリン、有機フォスフェート、クロレトキシフォス、クロルピリホス、テブピリムフォス、シフルトリン、フィプロール（ｆｉｐｒｏｌｅ）、フィプロニル、ニコチノイド、またはクロチアニジンの１つまたは組み合わせであり得る。
【０１１０】
製品では、第１組成物は、担体、界面活性剤、分散剤、または酵母抽出物の１つまたは組合せをさらに含み得る。
【０１１１】
製品では、第１および第２組成物は、液体、粉剤、展延性顆粒剤、乾燥水和性粉末剤または乾燥水和性顆粒剤の形態であり得る。一実施形態では、第１組成物は液体の形態であり、バチルス・アミロリケファシエンスＲＴＩ４７２は、約１．０×１０８ＣＦＵ／ｍｌ〜約１．０×１０１２ＣＦＵ／ｍｌの濃度で存在する。一実施形態では、第１組成物は粉剤、乾燥水和性粉末剤、展延性顆粒剤または乾燥水和性顆粒剤の形態であり、バチルス・アミロリケファシエンスＲＴＩ４７２は、約１．０×１０８ＣＦＵ／ｇ〜約１．０×１０１２ＣＦＵ／ｇの量で存在する。一実施形態では、第１組成物は油分散体の形態であり、バチルス・アミロリケファシエンスＲＴＩ４７２は、約１．０×１０８ＣＦＵ／ｍｌ〜約１．０×１０１２ＣＦＵ／ｍｌの濃度で存在する。
【０１１２】
本発明の一実施形態では、組成物が提供され、該組成物は、感受性植物において病原体感染に対する保護を与えるのに適切な量の単離されたフェンギシン−ＭＡ化合物、単離されたフェンギシンＭＢ化合物、単離されたフェンギシンＭＣ化合物、単離されたデヒドロキシフェンギシンＭＡ化合物、単離されたデヒドロキシフェンギシンＭＢ化合物、単離されたフェンギシンＨ化合物、単離されたフェンギシンＩ化合物、および単離されたデヒドロキシフェンギシンＩ化合物のうちの少なくとも１つを含み、該化合物は、以下の式を有する。
【化２】
2018508472.tif 000003
【０１１３】
式中、ＲはＯＨであり、ｎは８から２０までの範囲であり、ＦＡは直鎖状、イソ、またはアンテイソであり、ならびにフェンギシンＭＡについてＸ１はＡｌａであり、Ｘ２はＴｈｒであり、およびＸ３はＭｅｔであり；フェンギシンＭＢについてＸ１はＶａｌであり、Ｘ２はＴｈｒであり、およびＸ３はＭｅｔであり；フェンギシンＭＣについてＸ１はＡｂａであり、Ｘ２はＴｈｒであり、およびＸ３はＭｅｔであり；フェンギシンＨについてＸ１はＶａｌであり、Ｘ２はＴｈｒであり、およびＸ３はＨｃｙであり；ならびにフェンギシンＩＩについてＸ１はＩｌｅであり、Ｘ２はＴｈｒであり、およびＸ３はＩｌｅであり；ならびに、
式中、ＲはＨであり、ｎは８から２０までの範囲であり、ＦＡは直鎖状、イソ、またはアンテイソであり、ならびにデヒドロキシフェンギシンＭＡについてＸ１はＡｌａであり、Ｘ２はＴｈｒであり、およびＸ３はＭｅｔであり；デヒドロキシフェンギシンＭＢについてＸ１はＶａｌであり、Ｘ２はＴｈｒであり、およびＸ３はＭｅｔであり；ならびにデヒドロキシフェンギシンＩについてＸ１はＩｌｅであり、Ｘ２はＴｈｒであり、およびＸ３はＩｌｅである。
【０１１４】
別の実施形態では、本組成物は、植物上の成長利益または感受性植物において病原体感染に対する保護の１つまたは両方を与えるのに適した量で、表ＸＶＩに示される追加の単離されたフェンギシン様およびデヒドロキシフェンギシン様化合物の１つまたは組合せをさらに含む。
【０１１５】
植物の成長利益および／または付与された保護は、改善された苗の活力、改善された根の発達、改善された植物成長、改善された植物健康、増加した収量、改善された外観、植物病原体に対する改善された耐性、病原体感染の減少、またはそれらの組み合わせにより示され得る。
【０１１６】
フェンギシン−ＭＡ、−ＭＢ、−ＭＣ、−Ｈ、および−Ｉ化合物およびでヒドロキシフェンギシン−ＭＡ、−ＭＢおよび−Ｉ化合物、ならびに追加のフェンギシン様およびデヒドロキシフェンギシン様化合物の１つまたは組合せは、例えば、限定されないが、８６９もしくはＭ２培地で３から６日間株を培養することを含む、本明細書の実施例に記載のこれらの条件のような、当業者にとってよく知られた適切な条件の下で、ＲＴＩ４７２バチルス・アミロリケファシエンス株、またはフェンギシン−ＭＡ、−ＭＢ、−ＭＣ、−Ｈ、および−Ｉ化合物ならびにデヒドロキシフェンギシン−ＭＡ、−ＭＢおよび−Ｉ化合物を産生する別のバチルス・アミロリケファシエンス株を最初に培養することにより単離され得る。バチルス・アミロリケファシエンス培養上清中に存在するフェンギシン様およびデヒドロキシフェンギシン様環状リポペプチドは、当業者に既知の方法を用いてさらに単離され得る。例えば、バチルス・アミロリケファシエンス培養上清は、実施例１６で本明細書に記載されるようにｐＨ２に酸性化され得、またはＣａＣｌ２で処理され得（Ａｊｅｓｈ，  Ｋ  ｅｔ  ａｌ．，  ２０１３，  “Ｐｕｒｉｆｉｃａｔｉｏｎ  ａｎｄ  ｃｈａｒａｃｔｅｒｉｚａｔｉｏｎ  ｏｆ  ａｎｔｉｆｕｎｇａｌ  ｌｉｐｏｐｅｐｔｉｄｅ  ｆｒｏｍ  ａ  ｓｏｉｌ  ｉｓｏｌａｔｅｄ  ｓｔｒａｉｎ  ｏｆ  Ｂａｃｉｌｌｕｓ  ｃｅｒｅｕｓ．”  Ｉｎ：  Ｗｏｒｌｄｗｉｄｅ  ｒｅｓｅａｒｃｈ  ｅｆｆｏｒｔｓ  ｉｎ  ｔｈｅ  ｆｉｇｈｔｉｎｇ  ａｇａｉｎｓｔ  ｍｉｃｒｏｂｉａｌ  ｐａｔｈｏｇｅｎｓ：  ｆｒｏｍ  ｂａｓｉｃ  ｒｅｓｅａｒｃｈ  ｔｏ  ｔｅｃｈｎｏｌｏｇｉｃａｌ  ｄｅｖｅｌｏｐｍｅｎｔｓ．  Ａ．  Ｍｅｎｄｅｚ−Ｖｉｌａｓ  （ｅｄｉｔｏｒ）．  ｐｐ：  ２２７−２３１）、またはＮＨ４ＳＯ４で処理され得（Ｋｉｍ，  ＳＨ  ｅｔ  ａｌ．，  ２０００，  Ｂｉｏｔｅｃｈｎｏｌ  Ａｐｐｌ  Ｂｉｏｃｈｅｍ．  ３１  （Ｐｔ  ３）：２４９−２５３）、これらの処理を、例えば、限定されないが、直接液体分配、膜限外ろ過、および発泡分別（Ｂａｋｅｒ，  ＳＣ  ｅｔ  ａｌ．，  ２０１０，    Ａｄｖ  Ｅｘｐ  Ｍｅｄ  Ｂｉｏｌ．  ６７２：２８１−２８８）を含む相分離の様々な形態のような有機物抽出工程（Ｋｉｍ，  ＰＩ  ｅｔ  ａｌ．，  ２００４，  Ｊ  Ａｐｐｌ  Ｍｉｃｒｏｂｉｏｌ．  ９７（５）：  ９４２−９４９）と組み合わせて、または組み合わせずに処理され得る。
【０１１７】
一実施形態では、表ＸＶＩＩに示されるフェンギシン−ＭＡ、−ＭＢ、−ＭＣ、−Ｈおよび−Ｉ化合物ならびにデヒドロキシフェンギシン−ＭＡ、−ＭＢ、および−Ｉ化合物ならびに追加のフェンギシン様およびデヒドロキシフェンギシン様化合物の１つまたは組み合わせは、これらの化合物を産生し得るバチルス・アミロリケファシエンス株の生物学的に純粋な培養物から単離され得る。
【０１１８】
一実施形態では、表ＸＶＩＩに示されるフェンギシン−ＭＡ、−ＭＢ、−ＭＣ、−Ｈおよび−Ｉ化合物ならびにデヒドロキシフェンギシン−ＭＡ、−ＭＢおよび−Ｉ化合物ならびに追加のフェンギシン様およびデヒドロキシフェンギシン様化合物の１つまたは組み合わせは、ＡＴＣＣ番号ＰＴＡ−１２１１６６で寄託されたバチルス・アミロリケファシエンスＲＴＩ４７２の生物学的に純粋な培養物から単離され得る。
【０１１９】
一実施形態では、バチルス・アミロリケファシエンス株の生物学的に純粋な培養物の抽出物が提供され、該抽出物は、表ＸＶＩＩに示されるフェンギシン−ＭＡ、−ＭＢ、−ＭＣ、−Ｈおよび−Ｉ化合物ならびにデヒドロキシフェンギシン−ＭＡ、−ＭＢおよび−Ｉ化合物ならびに追加のフェンギシン様およびデヒドロキシフェンギシン様化合物の１つまたは組み合わせを含む。
【０１２０】
一実施形態では、ＡＴＣＣ番号ＰＴＡ−１２１１６６として寄託されているバチルス・アミロリケファシエンスＲＴＩ４７２の生物学的に純粋な培養物の抽出物が提供され、該抽出物は、表ＸＶＩＩに示されるフェンギシン−ＭＡ、−ＭＢ、−ＭＣ、−Ｈおよび−Ｉ化合物ならびにデヒドロキシフェンギシン−ＭＡ、−ＭＢおよび−Ｉ化合物ならびに追加のフェンギシン様およびデヒドロキシフェンギシン様化合物の１つまたは組み合わせを含む。
【０１２１】
一実施形態では、表ＸＶＩＩに示される３３４１．６Ｄａに等しい分子量を有する単離されたエリシンＳ化合物、および２９８５．４Ｄａに等しい分子量を有する単離されたエリシンＡ化合物ならびに追加のフェンギシン様およびデヒドロキシフェンギシン様化合物の１つまたは組み合わせは、これらの化合物を産生し得るバチルス・アミロリケファシエンス株の生物学的に純粋な培養物から単離され得る。
【０１２２】
一実施形態では、表ＸＶＩＩに示される３３４１．６Ｄａに等しい分子量を有する単離されたエリシンＳ化合物、および２９８５．４Ｄａに等しい分子量を有する単離されたエリシンＡ化合物ならびに追加のフェンギシン様およびデヒドロキシフェンギシン様化合物の１つまたは組み合わせは、ＡＴＣＣ番号ＰＴＡ−１２１１６６として寄託されたバチルス・アミロリケファシエンスＲＴＩ４７２の生物学的に純粋な培養物から単離され得る。
【０１２３】
一実施形態では、抽出物は、バチルス・アミロリケファシエンスの生物学的に純粋な培養物から提供され、該抽出物は、３３４１．６Ｄａに等しい分子量を有する単離されたエリシンＳ化合物、または２９８５．４Ｄａに等しい分子量を有する単離されたエリシンＡ化合物のうちの少なくとも１つを含む。
【０１２４】
一実施形態では、抽出物は、ＡＴＣＣ番号ＰＴＡ−１２１１６６として寄託されたバチルス・アミロリケファシエンスＲＴＩ４７２の生物学的に純粋な培養物から提供され、該抽出物は、３３４１．６Ｄａに等しい分子量を有する単離されたエリシンＳ化合物、または２９８５．４Ｄａに等しい分子量を有する単離されたエリシンＡ化合物のうちの少なくとも１つを含む。
【０１２５】
一実施形態では、感受性植物において病原体感染に対する保護を与えるのに適切な量で、３３４１．６Ｄａに等しい分子量を有する単離されたエリシンＳ化合物、および２９８５．４Ｄａに等しい分子量を有する単離されたエリシンＡ化合物の１つまたは両方を含む組成物が提供される。単離されたエリシンＳ化合物および単離されたエリシンＡ化合物の１つまたは両方を含む組成物は、フェンギシン−ＭＡ、−ＭＢ、−ＭＣ、−Ｈおよび−Ｉ化合物ならびにデヒドロキシフェンギシン−ＭＡ、−ＭＢおよび−Ｉ化合物のうちの少なくとも１つをさらに含み得、任意で、追加の単離されたフェンギシン様およびデヒドロキシフェンギシン様化合物の１つまたは組み合わせも含み得る。
【０１２６】
エリシンＳおよびエリシンＡ化合物ならびにフェンギシン−ＭＡ、−ＭＢ、−ＭＣ、−Ｈおよび−Ｉ化合物ならびにデヒドロキシフェンギシン−ＭＡ、−ＭＢおよび−Ｉ化合物のうちの少なくとも１つならびに任意で追加の単離されたフェンギシン様およびデヒドロキシフェンギシン様化合物の１つまたは組み合わせを含む組成物は、植物成長に利益を与え、および／または感受性植物において病原体感染に対する保護を与えるのに適切な量で存在する、微生物学的、生物学的、もしくは化学的殺虫剤、殺真菌剤、殺線虫剤、殺細菌剤、除草剤、植物抽出物、植物成長調整剤、または肥料の１つもしくは組み合わせをさらに含み得る。
【０１２７】
殺真菌剤は、ルピナス・アルブス（Ｌｕｐｉｎｕｓ  ａｌｂｕｓ）からの抽出物を含み得る。殺真菌剤は、ＢＬＡＤポリペプチドを含み得る。ＢＬＡＤポリペプチドは、真菌の細胞壁を損傷させ、内部細胞膜を破壊することによって感受性真菌病原体に作用する甘ルーピン豆（ルピナス・アルブス）由来の天然の種子貯蔵タンパク質の断片であり得る。殺真菌剤は、約２０％のＢＬＡＤポリペプチドを含み得る。
【０１２８】
エリシンＳおよびエリシンＡ化合物ならびにフェンギシン−ＭＡ、−ＭＢ、−ＭＣ、−Ｈおよび−Ｉ化合物ならびにデヒドロキシフェンギシン−ＭＡ、−ＭＢおよび−Ｉ化合物のうちの少なくとも１つを含む組成物は、液体、油分散粒剤、粉剤、展延性顆粒剤、または乾燥水和性顆粒剤の形態であり得る。
【０１２９】
一実施形態では、植物成長に利益を与え、および／または植物病原体感染に対する保護を与えるために方法が提供され、該方法は、単離されたエリシンＳおよびエリシンＡ化合物ならびにフェンギシン−ＭＡ、−ＭＢ、−ＭＣ、−Ｈおよび−Ｉ化合物ならびにデヒドロキシフェンギシン−ＭＡ、−ＭＢおよび−Ｉ化合物ならびに追加の単離されたフェンギシン様およびデヒドロキシフェンギシン様化合物の１つもしくは組み合わせを含む、有効量の抽出物または組成物を植物もしくは果実、または根もしくは植物の根の周囲の土壌に適用することを含み、植物成長に利益を与え、および／または植物病原体感染に対する保護を与える。植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示され得る。
【０１３０】
単離されたエリシンＳおよびエリシンＡ化合物ならびにフェンギシン−ＭＡ、−ＭＢ、−ＭＣ、−Ｈおよび−Ｉ化合物ならびにデヒドロキシフェンギシン−ＭＡ、−ＭＢおよび−Ｉ化合物ならびに追加の単離されたフェンギシン様およびデヒドロキシフェンギシン様化合物の１つもしくは組み合わせを含む、有効量の抽出物または組成物を適用する方法において、植物は、例えば、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビまたはテンサイをを含み得る。
【０１３１】
単離されたエリシンＳおよびエリシンＡ化合物ならびにフェンギシン−ＭＡ、−ＭＢ、−ＭＣ、−Ｈおよび−Ｉ化合物ならびにデヒドロキシフェンギシン−ＭＡ、−ＭＢおよび−Ｉ化合物ならびに追加の単離されたフェンギシン様およびデヒドロキシフェンギシン様化合物の１つもしくは組み合わせを含む、有効量の抽出物または組成物を適用する方法において、病原体感染は、例えば、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィト��トラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属��（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、ベンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・マイディス（Helminthosporium maydis）、ヘルミントスポリウム・ソラニ（Helminthosporium solai）またはヘルミントスポリウム・トリチシ−レペンチス（Helminthosporium tritici-repentis）、またはこれらの組み合わせを含む植物病原体によって引き起こされ得る。
【実施例】
【０１３２】
以下に示す実施例は、本開示の主題の代表的な実施態様を実施するための当業者への指針を提供するために含まれている。本発明および当業者の全般的なレベルに照らして、当業者は、以下の実施例が例示的なものに過ぎず、本開示の主題の範囲から逸脱することなく、多くの変更、修正、および変更を採用することができることを理解し得る。
【０１３３】
実施例１
配列分析によるバチルス・アミロリケファシエンスとしての細菌分離株の同定
本明細書においてＲＴＩ４７２と命名された植物関連細菌株は、ノースカロライナ州で栽培されたアメリカニンジンの根から単離された。ＲＴＩ４７２株の１６Ｓ  ｒＲＮＡおよびｒｐｏＢ遺伝子を配列決定し、続いてＢＬＡＳＴを用いてＮＣＢＩおよびＲＤＰデータベース中の他の既知の細菌株と比較した。ＲＴＩ４７２（配列番号１）の１６Ｓ  ＲＮＡ部分配列は、バチルス・アミロリケファシエンス株ＮＳ６（ＫＦ１７７１７５）、バチルス・アミロリケファシエンス株ＦＺＢ４２（ＮＲ＿０７５００５）、およびバチルス・サブチリス亜種・サブチリス株ＤＳＭ１０（ＮＲ＿０２７５５２）の１６Ｓ  ｒＲＮＡ遺伝子配列と同一であることが判明した。さらに、ＲＴＩ４７２のｒｐｏＢ配列は、既知のバチルス・アミロリケファシエンス  ＡＳ４３．３株（すなわち、９９％配列同一性）と最も高いレベルの配列類似性を有することが判明した。しかし、ＤＮＡレベルに１０ヌクレオチドの差があり、これは、ＲＴＩ４７２がバチルス・アミロリケファシエンスの新しい株であることを示している。ＲＴＩ４７２株は、バチルス・アミロリケファシエンスとして同定された。ＤＮＡレベルでのｒｐｏＢ遺伝子の配列の相違は、ＲＴＩ４７２がバチルス・アミロリケファシエンスの新しい株であることを示している。バチルス・アミロリケファシエンスＲＴＩ４７２株は、米国バージニア州マナッサスのアメリカンタイプカルチャーコレクション（ＡＴＣＣ）で特許手続きのための微生物寄託の国際的承認に関するブダペスト条約の条件の下、２０１４年４月１７日に寄託され、特許アクセッション番号ＰＴＡ−１２１１６６を有する。
【０１３４】
実施例２
バチルス・アミロリケファシエンスＲＴＩ４７２株におけるランチビオティック生合成に関連する特有の遺伝子
バチルス・アミロリケファシエンスＲＴＩ４７２株のゲノムのさらなる配列分析は、この株が、他の密接に関連するバチルス・アミロリケファシエンスにおいてホモログが欠如しているランチビオティック生合成に関連する特有の遺伝子を有することを明らかにした。ランチペプチド生合成クラスターは、ＲＡＳＴ、抗ＳＭＡＳＨおよびＢＡＧＥＬバイオインフォマティクスプラットフォームを用いたコンピューター解析によりバチルス・アミロリケファシエンスＲＴＩ４７２において同定された。ＲＡＳＴゲノムアノテーションは、タンパク質配列がランチペプチド生合成に関与すると推定される遺伝子を有する領域を同定した。これは、ランチペプチド生合成クラスターを保持するのと同じゲノム領域を同定した抗ＳＭＡＳＨデータによって確認された。図１は、密接に関連した２つのアミロリケファシエンス株と比較した、バチルス・アミロリケファシエンスＲＴＩ４７２に見出されるランチビオティック生合成クラスターのゲノム構成の概略図を示す。図１において、矢印の一番上の組は、指示された転写の相対的な方向を有するＲＴＩ４７２株のタンパク質コード領域を表す。比較のために、２つの密接に関連するバチルス・アミロリケファシエンス参照株、ＦＺＢ４２（中）およびＴｒｉｇｏＣｏｒ１４４８（下）の対応する領域をＲＴＩ４７２株の下に示す。２つの参照株と比較した場合のＲＴＩ４７２株の遺伝子によってコードされるタンパク質のアミノ酸同一性の程度は、代表的な矢印の陰影の程度および矢印内に示される同一性パーセントの両方によって示される。ＦＺＢ４２およびＴｒｉｇｏＣｏｒ１４４８株は、このクラスターに存在する遺伝子の多くを欠いており、存在するいくつかの遺伝子内には低い程度の配列同一性があることが図１からわかり得る。
【０１３５】
ＲＡＳＴデータの最初の検査は、クラスＩのランチペプチド合成経路に属するＲＴＩ４７２株遺伝子の同定を導き、これはプレペプチド（クラスターの「Ａ」遺伝子）を除いて完全であると思われた。ＲＴＩ４７２株のＲＡＳＴデータをさらに調べたところ、関連する仮説遺伝子を持たない２つの遺伝子（推定生合成遺伝子と推定免疫遺伝子）の間の領域（約４００ｂｐ）が明らかになった。その後、この領域内の推定上のコアペプチド配列を同定するために、抗ＳＭＡＳＨを使用した。この結果を確認するために、この領域のヌクレオチド配列を、エリシンＳプレペプチドとして同定されたコアペプチドを予測するプログラムＢＡＧＥＬを用いて分析した。バチルス・アミロリケファシエンスＲＴＩ４７２は、バイオインフォマティクス分析に基づいてエリシンＡのプレペプチドを欠くようであったが、その後のＨＰＬＣ／ＭＳ／ＭＳデータは、ＲＴＩ４７２株の培養上清中のエリシンＡ（２９８５．４Ｄａの分子量）およびエリシンＳ（分子量３３４１．６Ｄａ）の両方の存在を明らかにした。バチルス・アミロリケファシエンスＲＴＩ４７２株および「ＦＢ００５」と命名された未公表のバチルス・アミロリケファシエンス株の代謝産物プロファイルの比較を図２Ａ示す。図２Ａのグラフは、ＲＴＩ４７２株がエリシンＡおよびエリシンＳペプチドを産生するが、エリシンＡまたはエリシンＳはＦＢ００５株において検出されないことを示す。
【０１３６】
ＲＴＩ４７２と利用可能なバチルス・アミロリケファシエンスゲノム間のゲノム−ゲノム比較は、その後、参照ゲノムのいずれも機能的なエリシンＳ生合成クラスターを有さないことを示した。しかし、ゲノムの多くは、この遺伝子クラスターの抵抗性部分に対する相同性の低いヒットを有する。また、図２Ｂ〜２Ｃは、ＲＴＩ４７２株で同定されたランチペプチド生合成クラスターと７つの参考バチルス・アミロリケファシエンスゲノムとの比較を示す表である。これらの表は、７つの参照バチルス・アミロリケファシエンスゲノムの領域におけるシンテニーの消失を示す。７つの参照株のいずれも機能的なエリシンＳ生合成クラスターを有さない。さらに、バチルス・サブチリスＡ１／３は、以前にエリシンＳの産生のための生合成クラスターを有すると報告された唯一の他の株であることが文献の検索に基づいて結論づけられた（Ｓｔｅｉｎ  ｅｔ  ａｌ．，  ２００２，  Ｊ．  Ｂａｃｔｅｒｉｏｌ．  Ｖｏｌ．  １８４，  Ｎｏ．  ６，  １７０３を参照）。したがって、新たに同定されたＲＴＩ４７２株は、ＭＷ＝３３４１．６ＤａのエリシンＳ分子および２９８５．４ＤａのＭＷのエリシンＡ分子（これはバチルス・アミロリケファシエンス株に独特である）を産生するランチペプチド合成経路を有する。
【０１３７】
実施例３
バチルス・アミロリケファシエンスＲＴＩ４７２単離物の抗微生物特性
単離物の主要な植物病原体に対するアンタゴニスト能力をプレートアッセイで測定した。植物真菌病原体に対する拮抗活性の評価のためのプレートアッセイは、４ｃｍの距離で８６９寒天プレート上に細菌分離株および病原性真菌を並べて培養することによって実施した。プレートを室温でインキュベートし、増殖阻害、ニッチ占領または効果なしなどの成長挙動について、２週間まで定期的に点検した。細菌性病原体に対する拮抗特性をスクリーニングする場合、病原体は最初に８６９寒天プレート上に菌叢として広げられた。続いて、ＲＴＩ４７２の培養物の２０μｌアリコートをプレート上にスポットした。プレートを室温でインキュベートし、ＲＴＩ４７２が適用された位置の周りの菌叢の阻害ゾーンについて２週間まで定期的にチェックした。拮抗活性の概要を以下の表Ｉに示す。
【表１】
2018508472.tif 000004
【０１３８】
実施例４
バチルス・アミロリケファシエンスＲＴＩ４７２単離物の表現型形質
アンタゴニスト特性に加えて、バチルス・アミロリケファシエンス４７２株について種々の表現型形質も測定し、データを以下の表ＩＩに示す。アッセイは、表ＩＩの下のテキストに記載の手順に従って行った。
【表２】
2018508472.tif 000005
【０１３９】
酸およびアセトイン試験。豊富な８６９培地中のスターター培養物２０μｌを１ｍｌのメチルレッド（Ｍｅｔｈｙ  Ｒｅｄ）−Ｖｏｇｅｓ  Ｐｒｏｓｋａｕｅｒ培地（Ｓｉｇｍａ  Ａｌｄｒｉｃｈ  ３９４８４）に移した。培養物を３０℃、２００ｒｐｍで２日間インキュベートした。０．５ｍｌの培養物を移し、５０μｌの０．２ｇ／ｌのメチルレッドを添加した。赤色は酸生成を示した。残りの０．５ｍｌの培養物を０．３ｍｌの５％アルファ−ナフトール（Ｓｉｇｍａ  Ａｌｄｒｉｃｈ  Ｎ１０００）、次いで０．１ｍｌの４０％ＫＯＨと混合した。インキュベーションの３０分後にサンプルを解釈した。赤色の発色はアセトイン生成を示した。酸およびアセトイン試験の両方について、非接種培地を陰性対照として使用した（Ｓｏｋｏｌ  ｅｔ  ａｌ．，  １９７９，  Ｊｏｕｒｎａｌ  ｏｆ  Ｃｌｉｎｉｃａｌ  Ｍｉｃｒｏｂｉｏｌｏｇｙ．  ９：  ５３８−５４０）。
【０１４０】
インドール−３−酢酸。豊富な８６９培地中のスターター培養物２０μｌを、０．５ｇ／ｌトリプトファン（Ｓｉｇｍａ  Ａｌｄｒｉｃｈ  Ｔ０２５４）を補充した１ｍｌ  １／１０  ８６９培地に移した。培養物を３０℃、２００ｒｐｍで４〜５日間暗所でインキュベートした。サンプルを遠心分離し、０．１ｍｌの上清を０．２ｍｌのＳａｌｋｏｗｓｋｉ試薬（３５％過塩素酸、１０ｍＭ  ＦｅＣｌ３）と混合した。暗所で３０分間インキュベートした後、ピンク色を呈するサンプルはＩＡＡ合成について陽性と記録された。陽性比較として、ＩＡＡ（Ｓｉｇｍａ  Ａｌｄｒｉｃｈ  Ｉ５１４８）の希釈液を用い、非接種培地を陰性対照として用いた（Ｔａｇｈａｖｉ，  ｅｔ  ａｌ．，  ２００９，  Ａｐｐｌｉｅｄ  ａｎｄ  Ｅｎｖｉｒｏｎｍｅｎｔａｌ  Ｍｉｃｒｏｂｉｏｌｏｇｙ  ７５：  ７４８−７５７）。
【０１４１】
リン酸塩可溶化試験。細菌を、オートクレーブした、１０ｇのグルコース、５ｇの三リン酸カルシウム、０．２ｇの塩化カリウム、０．５ｇの硫酸アンモニウム、０．２ｇの塩化ナトリウム、０．１ｇの硫酸マグネシウム七水和物、０．５ｇの酵母抽出物、２ｍｇの硫酸マンガン、２ｍｇの硫酸鉄および寒天１５ｇ／リットル、ｐＨ７からなるＰｉｋｏｖｓｋａｙａ（ＰＶＫ）寒天培地上に接種した。透明化の領域は、リン酸可溶化細菌の指標であった（Ｓｈａｒｍａ  ｅｔ  ａｌ．，  ２０１１，  Ｊｏｕｒｎａｌ  ｏｆ  Ｍｉｃｒｏｂｉｏｌｏｇｙ  ａｎｄ  Ｂｉｏｔｅｃｈｎｏｌｏｇｙ  Ｒｅｓｅａｒｃｈ  １：  ９０−９５）。
【０１４２】
キチナーゼ活性。１０％湿重量のコロイド状キチンを変性ＰＶＫ寒天培地（オートクレーブした１０ｇのグルコース、０．２ｇの塩化カリウム、０．５ｇの硫酸アンモニウム、０．２ｇの塩化ナトリウム、０．１ｇの硫酸マグネシウム七水和物、０．５ｇの酵母抽出物、２ｍｇの硫酸マンガン、２ｍｇの硫酸鉄および寒天１５ｇ／リットル、ｐＨ７）に加えた。これらのキチンプレート上に細菌を接種した；透明な領域はキチナーゼ活性を示した（Ｎ．  Ｋ．  Ｓ．  Ｍｕｒｔｈｙ  ＆  Ｂｌｅａｋｌｅｙ．，  ２０１２．  “Ｓｉｍｐｌｉｆｉｅｄ  Ｍｅｔｈｏｄ  ｏｆ  Ｐｒｅｐａｒｉｎｇ  Ｃｏｌｌｏｉｄａｌ  Ｃｈｉｔｉｎ  Ｕｓｅｄ  ｆｏｒ  Ｓｃｒｅｅｎｉｎｇ  ｏｆ  Ｃｈｉｔｉｎａｓｅ  Ｐｒｏｄｕｃｉｎｇ  Ｍｉｃｒｏｏｒｇａｎｉｓｍｓ”．  Ｔｈｅ  Ｉｎｔｅｒｎｅｔ  Ｊｏｕｒｎａｌ  ｏｆ  Ｍｉｃｒｏｂｉｏｌｏｇｙ．  １０（２））。
【０１４３】
プロテアーゼ活性。細菌を、１０％ミルクを補充した８６９寒天培地に接種した。透明領域は、プロテアーゼ活性を示唆するタンパク質を分解する能力を示した（Ｓｏｋｏｌ  ｅｔ  ａｌ．，  １９７９，  Ｊｏｕｒｎａｌ  ｏｆ  Ｃｌｉｎｉｃａｌ  Ｍｉｃｒｏｂｉｏｌｏｇｙ．  ９：  ５３８−５４０）。
【０１４４】
実施例５
ウロマイセス・アペンディキュラタスおよびボトリチス・シネレアのＢ．アミロリケファシエンスＲＴＩ４７２拮抗活性
植物病原体豆さび（ウロマイセス・アペンディキュラタス）および植物病原体ボトリチス・シネレアの影響を予防および／または改善するＢ．アミロリケファシエンスＲＴＩ４７２株の能力を決定するために、一般的な豆植物に対して温室で研究を行った。
【０１４５】
第１組の実験では、バチルス・アミロリケファシエンスＲＴＩ４７２株の異なる製剤を、植物病原体ウロマイセス・アペンディキュラタス（Ｕｒｏｍｙｃｅｓ  ａｐｐｅｎｄｉｃｕｌａｔｕｓ）およびボトリチス・シネレアを防除するための葉面適用について試験した。ＲＴＩ４７２に加えて、分離して新たに同定されたＢ．アミロリケファシエンス菌株ＲＴＩ３０１も試験した。実験デザインおよび製剤は以下の通りであった：
【０１４６】
製剤：
水中で約１００倍に希釈された使用済み発酵ブロス（ＳＦＢ）中のＢ．アミロリケファシエンスＲＴＩ４７２胞子を１×１０８ｃｆｕ／ｍｌの割合で葉に適用した。
【０１４７】
酵母抽出物を加えた水中で約１００倍に希釈された使用済み発酵ブロス（ＳＦＢ）中のＢ．アミロリケファシエンスＲＴＩ４７２胞子を１×１０８ｃｆｕ／ｍｌの割合および約０．２％の酵母抽出物で葉に適用した。
【０１４８】
水中で約１００倍に希釈された使用済み発酵ブロス（ＳＦＢ）中のＢ．アミロリケファシエンスＲＴＩ３０１胞子を１×１０８ｃｆｕ／ｍｌの割合で葉に適用した。
【０１４９】
酵母抽出物を加えた水中で約１００倍に希釈された使用済み発酵ブロス（ＳＦＢ）中のＢ．アミロリケファシエンスＲＴＩ３０１胞子を１×１０８ｃｆｕ／ｍｌの割合および約０．２％の酵母抽出物で葉に適用した。
【０１５０】
ＳＥＲＥＮＡＤＥ  ＯＰＴＩＭＵＭ（ＢＡＹＥＲ  ＣＲＯＰ  ＳＣＩＥＮＣＥ、ＩＮＣ）製品を、１×１０８ｃｆｕ／ｍｌのＢ．サブチリス株ＱＳＴ７１３胞子の割合で適用した。
【０１５１】
ＨＯＲＩＺＯＮ（ＨＯＲＩＺＯＮ  ＡＧ−ＰＲＯＤＵＣＴＳ）製品を５０ｇ  ａ．ｉ．／ｈａ（テブコナゾール）の割合で適用した。
【０１５２】
ＢＲＡＶＯ  ＷＥＡＴＨＥＲ  ＳＴＩＫ（ＳＹＮＧＥＮＴＡ  ＣＲＯＰ  ＰＲＯＴＥＣＴＩＯＮ、ＩＮＣ）製品を５００ｇ  ａ．ｉ．／ｈａ（クロロタロニル）の割合で適用した。
【０１５３】
ＴＡＣＴＩＣ（Ｌｏｖｅｌａｎｄ  Ｐｒｏｄｕｃｔｓ、Ｉｎｃ）製品を０．１８７５％ｖ／ｖの濃度で上記の全ての製剤に含めた。
【０１５４】
処理の適用方法：
トラック噴霧器を使用して、圧力＝２７６ｋＰａ（４０ｐｓｉ）で単一オーバーヘッドノズル（ＴｅｅＪｅｔ  ＳＳ８００１Ｅフラットファン）を有する、上記に列挙した様々な処理を施した２１日齢の一般的な豆植物（２つの三葉体を有する）に接種した。ノズルの高さは、豆の植物の葉の上に３６ｃｍ（１４インチ）であった。適用量は２００Ｌ／ｈａであり、実験における反復回数は６回であった。処理植物は、処理を受けていない対照植物と共に１回接種した。
【０１５５】
感染率：
処理適用の１日後、試験植物を２００Ｋ分生子／ｍｌの接種率で豆さび（ウロマイセス・アペンディキュラタス）に感染させた。
【０１５６】
豆さび（ウロマイセス・アペンディキュラタス）の感染の９日後に、病気防除のパーセントを以下のそれぞれについて評価した：水のみ（「ＲＴＩ４７２＋１％ＳＦＢ」）で希釈した使用済み発酵ブロス中の胞子、水と酵母抽出物（「ＲＴＩ４７２＋１％ＳＦＢ＋酵母抽出物」）で希釈した使用済み発酵ブロス中の胞子、（「ＲＴＩ３０１＋１％ＳＦＢ」）で１００倍に希釈した使用済み発酵ブロス中の胞子、（「ＲＴＩ３０１＋１％ＳＦＢ＋酵母抽出物」）で１００倍に希釈した使用済み発酵ブロス中の胞子、上記の適用割合に従った、ＢＲＡＶＯ  ＷＥＡＴＨＥＲ  ＳＴＩＫ、ＨＯＲＩＺＯＮ、およびＳＥＲＥＮＡＤＥ  ＯＰＴＩＭＵＭ。非処理対照（水のみ）は２８％の病害をもたらした。
【０１５７】
実験の結果を以下の表ＩＩＩに示す。結果は、ＲＴＩ４７２株およびＲＴＩ３０１株のそれぞれについて酵母抽出物を添加すると、酵母抽出物を添加しないで適用した株と比較して、病害防除が約４０％増加したことを示す。ＲＴＩ４７２＋１％ＳＦＢ＋酵母抽出物およびＲＴＩ３０１＋１％ＳＦＢ＋酵母抽出物によって示される病害防除の量は、ＲＴＩ４７２およびＲＴＩ３０１製剤中のＳＦＢの含量は１％で比較的低かったが、同じ割合（すなわち、１×１０８ｃｆｕ／ｍｌ）で適用された場合にＳＥＲＥＮＡＤＥ  ＯＰＴＩＭＵＭについて観察されたものと同様であり、ＳＦＢは抗真菌活性を有する分泌化合物を含むことが期待され得る。
【０１５８】
ボトリチス・シネレア病原体（データ示さず）によって引き起こされたペッパー・ボトリチス病害のＲＴＩ４７２およびＲＴＩ３０１によって示された病気防除の量を測定するために、上に列挙したのと同じ製剤および実験デザインを用いて、同様の結果が観察された。
【表３】
2018508472.tif 000006
【０１５９】
以下の実験は、植物病原体ウロマイセス・アペンディキュラタスによって引き起こされるＲＴＩ４７２による豆さびの病害防除を示す。実験デザインおよび製剤は以下の通りであった：
【０１６０】
製剤：
酵母抽出物を加えた水中で約１００倍に希釈された使用済み発酵ブロス（ＳＦＢ）中のＢ．アミロリケファシエンスＲＴＩ４７２胞子を１×１０８ｃｆｕ／ｍｌの割合および約０．２％の酵母抽出物で葉に適用した。
【０１６１】
ＳＥＲＥＮＡＤＥ  ＯＰＴＩＭＵＭ（ＢＡＹＥＲ  ＣＲＯＰ  ＳＣＩＥＮＣＥ、ＩＮＣ）製品を、１×１０８ｃｆｕ／ｍｌおよび４×１０８ｃｆｕ／ｍｌの胞子の割合で適用した。
【０１６２】
ＨＯＲＩＺＯＮ（ＨＯＲＩＺＯＮ  ＡＧ−ＰＲＯＤＵＣＴＳ）を５０ｇ  ａ．ｉ．／ｈａ（テブコナゾール）の割合で適用した。
【０１６３】
クロロタロニルを５００ｇ．ｉ．／ｈａの割合で適用した。
【０１６４】
ブランク対照として含まれるＴＡＣＴＩＣ（Ｌｏｖｅｌａｎｄ  Ｐｒｏｄｕｃｔｓ、Ｉｎｃ）も、全ての製剤に０．１８７５％ｖ／ｖの濃度で適用した。
【０１６５】
処理の適用方法：
トラック噴霧器を使用して、圧力＝２７６ｋＰａ（４０ｐｓｉ）で単一オーバーヘッドノズル（ＴｅｅＪｅｔ  ＳＳ８００１Ｅフラットファン）を有する、様々な処理を施した２１日齢の一般的な豆植物（２つの三葉体を有する）に接種した。ノズルの高さは、大豆植物の葉の上に３６ｃｍ（１４インチ）であった。適用量は２００Ｌ／ｈａであり、実験における反復回数は６回であった。処理植物は、処理を受けていない対照植物と共に１回接種した。
【０１６６】
感染率：
処理適用の１日後、試験植物を２００Ｋ分生子／ｍｌの接種率で豆さび（ウロマイセス・アペンディキュラタス）に感染させた。
【０１６７】
豆さび（ウロマイセス・アペンディキュラタス）の感染の１０日後に、疾病防除のパーセントを以下のそれぞれについて評価した：使用済み発酵ブロス（ＳＦＢ）中のＲＴＩ４７２胞子（１×１０８ｃｆｕ／ｍｌで適用）、テブコナゾール（５０ｇ  ａ．ｉ．／ｈａで適用）、クロロタロニル（５００ｇ  ａ．ｉ．／ｈａで適用）、ＳＥＲＥＮＡＤＥ  ＯＰＴＩＭＵＭ（１×１０８ｃｆｕ／ｍｌで適用）、およびＳＥＲＥＮＡＤＥ  ＯＰＴＩＭＵＭ（４×１０８ｃｆｕ／ｍｌで適用）。対照として含まれるＴＡＣＴＩＣ（０．１８７５％で適用）を全ての製剤に適用した。非処理対照は２３％の病害をもたらした（データに示されない）。実験の結果を以下の表ＩＶおよび図３に示し、同じ割合で適用した場合、ＳＥＲＥＮＡＤＥ  ＯＰＴＩＭＵＭと比較して、豆さび（ウロマイセス・アペンディキュラタス）の防除と同様のレベルを示す。
【表４】
2018508472.tif 000007
【０１６８】
実施例６
Ｂ．アミロリケファシエンスＲＴＩ４７２の大豆うどんこ病（ミクロスファエラ・ディフサ）に対する拮抗活性
大豆うどんこ病（ミクロスファエラ・ディフサ）植物病原体の影響を予防および／または改善するＢ．アミロリケファシエンスＲＴＩ４７２株の能力を決定するために、大豆に対して温室で研究を行った。
【０１６９】
製剤：
酵母抽出物を加えた水中で約１００倍に希釈された使用済み発酵ブロス（ＳＦＢ）中のＢ．アミロリケファシエンスＲＴＩ４７２胞子を１×１０８ｃｆｕ／ｍｌの割合および約０．２％の酵母抽出物で葉に適用した。
【０１７０】
ＳＥＲＥＮＡＤＥ  ＯＰＴＩＭＵＭ（ＢＡＹＥＲ  ＣＲＯＰ  ＳＣＩＥＮＣＥ、ＩＮＣ）胞子を、１×１０８ｃｆｕ／ｍｌの割合で適用した。
【０１７１】
ＨＯＲＩＺＯＮ（ＨＯＲＩＺＯＮ  ＡＧ−ＰＲＯＤＵＣＴＳ）を５０ｇ  ａ．ｉ．／ｈａ（テブコナゾール）の割合で適用した。
【０１７２】
ＴＡＣＴＩＣ（Ｌｏｖｅｌａｎｄ  Ｐｒｏｄｕｃｔｓ、Ｉｎｃ）を、全ての製剤に０．１８７５％ｖ／ｖの濃度で適用した。
【０１７３】
処理の適用方法：
トラック噴霧器を使用して、圧力＝２７６ｋＰａ（４０ｐｓｉ）で単一オーバーヘッドノズル（ＴｅｅＪｅｔ  ＳＳ８００１Ｅフラットファン）を有する、様々な処理を施した２１日齢の大豆植物（２つの三葉体を有する）に接種した。ノズルの高さは、大豆植物の葉の上に３６ｃｍ（１４インチ）であった。適用量は２００Ｌ／ｈａであり、実験における反復回数は６回であった。処理を受けている植物は、処理を受けていない対照植物と共に１回接種した。
【０１７４】
感染率：
処理適用の直後に、試験植物を、以前にミクロスファエラ・ディフサに感染した大豆のフラット（ｆｌａｔ）に置いた。
【０１７５】
ミクロスファエラ・ディフサ感染フラットの間に置かれてから９日後、病害防除の割合は、以下のそれぞれについて評価された：使用済み発酵ブロス（ＳＦＢ）中のＲＴＩ４７２胞子（１×１０８ｃｆｕ／ｍｌで適用）、ＳＥＲＥＮＡＤＥ  ＯＰＴＩＭＵＭ（１×１０８ｃｆｕ／ｍｌで適用）、およびＨＯＲＩＺＯＮ（テブコナゾールは５０ｇ  ａ．ｉ．／ｈａで適用）。非処理対照は７０％の病害をもたらした（データに示されない）。実験の結果を以下の表Ｖおよび図４に示し、同じ割合で適用した場合、ＳＥＲＥＮＡＤＥ  ＯＰＴＩＭＵＭと比較して、大豆うどんこ病（ミクロスファエラ・ディフサ）の防除レベルが勝ることを示す。
【表５】
2018508472.tif 000008
【０１７６】
図４のグラフは、以下のそれぞれの処理での接種後９日目のｙ軸における病害防除（平均）％を示す：使用済み発酵ブロス（ＳＦＢ）中のＲＴＩ４７２胞子（１×１０８ｃｆｕ／ｍｌで適用）、ＳＥＲＥＮＡＤＥ  ＯＰＴＩＭＵＭ（１×１０８ｃｆｕ／ｍｌで適用）、およびＨＯＲＩＺＯＮ（テブコナゾールは５０ｇ  ａ．ｉ．／ｈａで適用）。チェック対照は７０％の病害をもたらした（データに示されない）。
【０１７７】
実施例７
ペッパー・ボトリチス病害（ボトリチス・シネレア）に対するＢ．アミロリケファシエンスＲＴＩ４７２拮抗活性
ペッパー・ボトリチス病害（ボトリチス・シネレア）植物病原体の影響を予防および／または改善するＢ．アミロリケファシエンスＲＴＩ４７２株の能力を決定するために、ペッパーに対して温室で研究を行った。
【０１７８】
製剤：
酵母抽出物を加えた水中で約１００倍に希釈された使用済み発酵ブロス（ＳＦＢ）中のＢ．アミロリケファシエンスＲＴＩ４７２胞子を１×１０８ｃｆｕ／ｍｌの割合および約０．２％の酵母抽出物で葉に適用した。
【０１７９】
ＳＥＲＥＮＡＤＥ  ＯＰＴＩＭＵＭ（ＢＡＹＥＲ  ＣＲＯＰ  ＳＣＩＥＮＣＥ、ＩＮＣ）胞子を、１×１０８ｃｆｕ／ｍｌおよび４×１０８ｃｆｕ／ｍｌの割合で適用した。
【０１８０】
ＨＯＲＩＺＯＮ（ＨＯＲＩＺＯＮ  ＡＧ−ＰＲＯＤＵＣＴＳ）を５０ｇ  ａ．ｉ．／ｈａ（テブコナゾール）の割合で適用した。
【０１８１】
クロロタロニルを５００ｇ．ｉ．／ｈａの割合で適用した。
【０１８２】
ブランク対照として含まれるＴＡＣＴＩＣ（Ｌｏｖｅｌａｎｄ  Ｐｒｏｄｕｃｔｓ、Ｉｎｃ）も、全ての製剤に０．１８７５％ｖ／ｖの濃度で適用した。
【０１８３】
処理の適用方法：
トラック噴霧器を使用して、圧力＝２７６ｋＰａ（４０ｐｓｉ）で単一オーバーヘッドノズル（ＴｅｅＪｅｔ  ＳＳ８００１Ｅフラットファン）を有する、様々な処理を施した２８日齢のペッパー植物に接種した。ノズルの高さは、ペッパー植物の葉の上に３６ｃｍ（１４インチ）であった。適用量は２００Ｌ／ｈａであり、実験における反復回数は６回であった。処理植物は、処理を受けていない対照植物と共に１回接種した。
【０１８４】
感染率：
処理適用の１日後、試験植物を１Ｍ分生子／ｍｌの接種率でボトリチス・シネレアに感染させた。
【０１８５】
ペッパー・ボトリチス病害（ボトリチス・シネレア）の感染の７日後に、疾病防除のパーセントを以下のそれぞれについて評価した：使用済み発酵ブロス（ＳＦＢ）中のＲＴＩ４７２胞子（１×１０８ｃｆｕ／ｍｌで適用）、ＴＡＣＴＩＣ（０．１８７５％で適用）、テブコナゾール（５０ｇ  ａ．ｉ．／ｈａで適用）、クロロタロニル（５００ｇ  ａ．ｉ．／ｈａで適用）、ＳＥＲＥＮＡＤＥ  ＯＰＴＩＭＵＭ（１×１０８ｃｆｕ／ｍｌで適用）、およびＳＥＲＥＮＡＤＥ  ＯＰＴＩＭＵＭ（４×１０８ｃｆｕ／ｍｌで適用）。非処理対照は６％の病害をもたらした（データに示されない）。実験の結果を以下の表ＶＩおよび図５に示し、同じ割合で適用した場合、ＳＥＲＥＮＡＤＥ  ＯＰＴＩＭＵＭと比較して、ペッパー・ボトリチス病害（ボトリチス・シネレア）の防除レベルが勝ることを示す。
【表６】
2018508472.tif 000009
【０１８６】
別の実験では、ペッパー・ボトリチス病害（ボトリチス・シネレア）植物病原体の影響を予防および／または改善するＢ．アミロリケファシエンスＲＴＩ４７２株の最適用量を決定するために、ペッパーに対して温室で研究を行った。
【０１８７】
製剤：
Ｂ．アミロリケファシエンスＲＴＩ４７２胞子は、酵母抽出物を添加した使用済み発酵ブロス（ＳＦＢ）に入れ、２．５×１０６ｃｆｕ／ｍｌから２．５×１０８ｃｆｕ／ｍｌおよび０．０１％〜０．２％酵母抽出物の範囲の適用割合で葉に適用した。
【０１８８】
ＳＥＲＥＮＡＤＥ  ＯＰＴＩＭＵＭ（ＢＡＹＥＲ  ＣＲＯＰ  ＳＣＩＥＮＣＥ、ＩＮＣ）胞子を、２．５×１０６ｃｆｕ／ｍｌから４×１０８ｃｆｕ／ｍｌまでの適用割合で用いた。
【０１８９】
ＨＯＲＩＺＯＮ（ＨＯＲＩＺＯＮ  ＡＧ−ＰＲＯＤＵＣＴＳ）を５０ｇ  ａ．ｉ．／ｈａ（テブコナゾール）の割合で適用した。
【０１９０】
ブランク対照としても含まれるＴＡＣＴＩＣ（Ｌｏｖｅｌａｎｄ  Ｐｒｏｄｕｃｔｓ、Ｉｎｃ）を、全ての製剤に０．１８７５％ｖ／ｖの濃度で適用した。
【０１９１】
処理の適用方法：
トラック噴霧器を使用して、圧力＝２７６ｋＰａ（４０ｐｓｉ）で単一オーバーヘッドノズル（ＴｅｅＪｅｔ  ＳＳ８００１Ｅフラットファン）を有する、様々な処理を施した２８日齢のペッパー植物に接種した。ノズルの高さは、ペッパー植物の葉の上に３６ｃｍ（１４インチ）であった。適用量は２００Ｌ／ｈａであり、実験における反復回数は６回であった。処理植物は、処理を受けていない対照植物と共に１回接種した。
【０１９２】
感染率：
処理適用の１日後、試験植物を１Ｍ分生子／ｍｌの接種率でボトリチス・シネレアに感染させた。
【０１９３】
ペッパー・ボトリチス病害（ボトリチス・シネレア）による感染の３日後に、病害防除のパーセントを以下、ＴＡＣＴＩＣ（０．１８７５％で全ての製剤へ適用および対照として使用）、ＳＥＲＥＮＡＤＥ  ＯＰＴＩＭＵＭ（４×１０８で適用）、およびテブコナゾール（５０ｇ  ａ．ｉ．／ｈａで適用）と比較した、使用済み発酵ブロス（ＳＦＢ）（２．５×１０６、１×１０７、２．５×１０７、１×１０８、および２．５×１０８ｃｆｕ／ｍｌで適用）およびＥＲＥＮＡＤＥ  ＯＰＴＩＭＵＭ（２．５×１０６、１×１０７、２．５×１０７、１×１０８、および２．５×１０８ｃｆｕ／ｍｌで適用）中のＲＴＩ４７２胞子のそれぞれに対して評価した。非処理対照は７０％の病害をもたらした（データに示されない）。実験の結果を以下の表ＶＩＩおよび図６に示す。
【表７】
2018508472.tif 000010
【０１９４】
別の実験では、病原体の接種割合を変化させながら、ペッパー・ボトリチス病害（ボトリチス・シネレア）植物病原体の影響を予防および／または改善するＢ．アミロリケファシエンスＲＴＩ４７２株の能力を決定するために、ペッパーに対して温室で研究を行った。
【０１９５】
製剤：
酵母抽出物を加えた水中で約１００倍に希釈された使用済み発酵ブロス（ＳＦＢ）中のＢ．アミロリケファシエンスＲＴＩ４７２胞子を１×１０８ｃｆｕ／ｍｌの割合および約０．２％の酵母抽出物で葉に適用した。
【０１９６】
ＳＥＲＥＮＡＤＥ  ＯＰＴＩＭＵＭ（ＢＡＹＥＲ  ＣＲＯＰ  ＳＣＩＥＮＣＥ、ＩＮＣ）胞子を、１×１０８ｃｆｕ／ｍｌから４×１０８ｃｆｕ／ｍｌまでの適用割合で用いた。
【０１９７】
ＨＯＲＩＺＯＮ（ＨＯＲＩＺＯＮ  ＡＧ−ＰＲＯＤＵＣＴＳ）を５０ｇ  ａ．ｉ．／ｈａ（テブコナゾール）の割合で適用した。
【０１９８】
ブランク対照としても含まれるＴＡＣＴＩＣ（Ｌｏｖｅｌａｎｄ  Ｐｒｏｄｕｃｔｓ、Ｉｎｃ）を、全ての製剤に０．１８７５％ｖ／ｖの濃度で適用した。
【０１９９】
処理の適用方法：
トラック噴霧器を使用して、圧力＝２７６ｋＰａ（４０ｐｓｉ）で単一オーバーヘッドノズル（ＴｅｅＪｅｔ  ＳＳ８００１Ｅフラットファン）を有する、様々な処理を施した２８日齢のペッパー植物に接種した。ノズルの高さは、ペッパー植物の葉の上に３６ｃｍ（１４インチ）であった。適用量は２００Ｌ／ｈａであり、実験における反復回数は６回であった。処理植物は、処理を受けていない対照植物と共に１回接種した。
【０２００】
感染率：
処理適用の１日後、試験植物を５０ｋから２Ｍ分生子／ｍｌの範囲の接種率でボトリチス・シネレアに感染させた。
【０２０１】
ペッパー・ボトリチス病害（ボトリチス・シネレア）による感染の４日後に、病害防除の割合を以下、ＴＡＣＴＩＣ（全ての製剤に０．１８７５％で適用し、ならびに対照として使用）およびテブコナゾール（ＨＯＲＩＺＯＮ；５０ｇ  ａ．ｉ．／ｈａで適用）と比較した、使用済み発酵ブロス（ＳＦＢ）（約２．５×１０６ｃｆｕ／ｍｌで適用）およびＳＥＲＥＮＡＤＥ  ＯＰＴＩＭＵＭ（１×１０８および４×１０８ｃｆｕ／ｍｌで適用）中のＲＴＩ４７２胞子のそれぞれについて評価した。非処理対照（データは示されていない）の病害パーセントは、５０＝１５％、１００ｋ＝３０％、５００ｋ＝６５％、１Ｍ＝６５％および２Ｍ＝６５％であった。実験の結果を以下の表ＶＩＩＩおよび図７に示す。さらに、図８Ａ〜８Ｄは、ボトリチス・シネレアでの５０ｋ接種率での植物の画像を示し、図９Ａ〜９Ｄは、ボトリチス・シネレアを用いた１００ｋ接種率での植物の画像を示し、図１０Ａ〜１０Ｄは、ボトリチス・シネレアでの５００ｋ接種率での植物の画像を示し、図１１Ａ〜１１Ｄは、ボトリチス・シネレアを用いた１Ｍ接種率での植物の画像を示し、図１２Ａ〜１２Ｄは、ボトリチス・シネレアを用いた２Ｍ接種率での植物の画像を示す。３つの最も低い病原体接種率では、ＲＴＩ４７２株およびＳＥＲＥＮＡＤＥ  ＯＰＴＩＭＵＭについて同様のパーセンテージの病害防除が観察された。しかしながら、病原体接種の２つの最高割合（１Ｍおよび２Ｍ）において、ＳＥＲＥＮＡＤＥ  ＯＰＴＩＭＵＭと比較して、ＲＴＩ４７２株で処理した植物について統計的改善が観察された。
【表８】
2018508472.tif 000011
【０２０２】
実施例８
Ｂ．アミロリケファシエンスＲＴＩ４７２のウリ科におけるうどんこ病の拮抗活性  
フロリダ州のウリ科植物の野外試験において、バチルス・アミロリケファシエンスＲＴＩ４７２株が、植物病原体クルクビット病害うどんこ病（Ｃｕｃｕｒｂｉｔ  Ｄｉｓｅａｓｅ  Ｐｏｗｄｅｒｙ  Ｍｉｌｄｅｗ）の影響を予防および／または改善する能力を調べるための研究が行われた。
【０２０３】
合計で、以下の表ＩＸに示されるような割合を用いて各製品について６つの適用がなされた。ＲＴＩ４７２の場合、適用割合は、ｇ／ｈａであり、該適用割合は、１４００ｇ／ｈａの適用割合に基づくＳＥＲＥＮＡＤＥ  ＯＰＴＩＭＵＭに対して推奨されるのと同じコロニー形成単位／ｈａに対応した。
【０２０４】
全ての適用は、特に明記しない限り、適用間で５〜７日間の間隔で６回実行された。最初の適用のタイミングは、特定の作物に依存し、植え付け時、作物出芽後数週間、開花時、病害の出現時、または病害の出現を予期する直前の範囲内であった。生物有効成分を化学有効成分と組み合わせたプログラム４、５および６の場合、第１、第３および第５の適用（Ａ、ＣおよびＥ）は生物有効成分とともに行われ、第２、第４および第６の適用（Ｂ、ＤおよびＦ）は、化学有効成分とともに行われた。
【０２０５】
製剤：
ＳＥＲＥＮＡＤＥ  ＯＰＴＩＭＵＭ（ＢＡＹＥＲ  ＣＲＯＰ  ＳＣＩＥＮＣＥ，  ＩＮＣ）を１４００ｇ／ｈａの割合で適用し、これは１．８×１０＋１３ＣＦＵ／ｈａに相当する。
【０２０６】
Ｂ．アミロリケファシエンスＲＴＩ４７２胞子は、酵母抽出物を添加した使用済み発酵ブロス（ＳＦＢ）中に存在し、適用割合は、１４００ｇ／ｈａの適用割合および約０．０１％〜０．２％の範囲の酵母抽出物に基づくＳＥＲＥＮＡＤＥ  ＯＰＴＩＭＵＭに対して推奨される同じコロニー形成単位／ｈａ（ＣＦＵ／ｈａ）に対応した。
【０２０７】
ＴＡＣＴＩＣ（Ｌｏｖｅｌａｎｄ  Ｐｒｏｄｕｃｔｓ、Ｉｎｃ）を０．１８７５％ｖ／ｖの濃度で適用した。
【０２０８】
ＬＵＮＡ  ＥＸＰＥＲＩＥＮＣＥ（ＢＡＹＥＲ  ＣＲＯＰ  ＳＣＩＥＮＣＥ、ＩＮＣ）を５００ｇ  ａ．ｉ．／ｈａ（フルオピラム＋テブコナゾール殺真菌剤）の割合で適用した。
【０２０９】
ＢＲＡＶＯ  ＷＥＡＴＨＥＲ  ＳＴＩＫ（ＳＹＮＧＥＮＴＡ  ＣＲＯＰ  ＰＲＯＴＥＣＴＩＯＮ、ＩＮＣ）を２２４０ｇ  ａ．ｉ．／ｈａ（クロロタロニル）の割合で適用した。
【０２１０】
実験デザインは以下の通りであった：非処理対照、ＲＴＩ４７２＋ＴＡＣＴＩＣ、ＳＥＲＥＮＡＤＥ  ＯＰＴＩＭＵＭ＋ＴＡＣＴＩＣ、ＲＴＩ４７２＋ＬＵＮＡ  ＥＸＰＥＲＩＥＮＣＥ＋ＴＡＣＴＩＣ、ＳＥＲＥＮＡＤＥ  ＯＰＴＩＭＵＭ＋ＬＵＮＡ  ＥＸＰＥＲＩＥＮＣＥ＋ＴＡＣＴＩＣ、およびＢＲＡＶＯ  ＷＥＡＴＨＥＲ  ＳＴＩＫ＋ＬＵＮＡ  ＥＸＰＥＲＩＥＮＣＥ＋ＴＡＣＴＩＣ。
【０２１１】
処理の適用方法：
上記のようなタイミングで６つの適用物が作製された。適用噴霧器は、１エーカーあたり３０ガロンを供給するように設定された。個々のプロットは、フラットファンノズル（８００４タイプ）を備えたＣＯ２バックパック噴霧器を用いて４ｍｐｈの対地速度で噴霧し、各ノズルは１８インチ離して配置した。化学薬品を供給するためのキャリアは、水を２リットルのボトルに混合したものであった。  
【０２１２】
病害スコアリング：各処理について、植物の５枚の葉について、病害重症度の平均パーセントを評価した。各処理からの４つのプロットを、うどんこ病の作物応答および病害防除のために評価した。試験は、各適用の後、次の適用の直前に評価された。うどんこ病は自然に発生したものであった。キュウリの実験結果を以下の表ＩＸに示し、単独の生物殺真菌剤と同じ割合で、または処理プログラムの一部として適用した場合、キュウリにおけるうどんこ病の同様の防除をＳＥＲＥＮＡＤＥ  ＯＰＴＩＭＵＭと比較して示す。
【表９】
2018508472.tif 000012
【０２１３】
同様の実験は、植物病原体うどんこ病の影響を予防および／または改善するＲＴＩ４７２株の能力を決定するために、バナナスカッシュおよびキュウリの商業生産温室野外試験における同じ形式および適用割合を用いて行った。キュウリおよびバナナスカッシュについては、最初の処理は、作物出芽後約３週間であった。データは、それぞれ表ＸおよびＸＩに、バナナスカッシュおよびキュウリについて以下に示す。「病害圧力曲線下面積」（ＡＵＤＰＣ）として表される病害の重症度は、上葉面上のうどんこ病の重症度（影響を受けた葉面積％）の関数として決定された。
【０２１４】
ＳＥＲＥＮＡＤＥ  ＯＰＴＩＭＵＭと比較して、ＲＴＩ４７２は、バナナスカッシュでのうどんこ病に対する単独の生物殺真菌剤として、より良好な防除を提供した。３つのプログラムで、バナナスカッシュに対するうどんこ病の最良の防除が観察され、Ｂ．アミロリケファシエンスＲＴＩ４７２とＬｕｎａ  Ｅｘｐｅｒｉｅｎｃｅ（Ｂａｙｅｒ  Ｃｒｏｐ  Ｓｃｉｅｎｃｅ）の組み合わせは、Ｂｒａｖｏ  Ｗｅａｔｈｅｒ  Ｓｔｉｋ（Ｓｙｎｇｅｎｔａ）とＬｕｎａ  Ｅｘｐｅｒｉｅｎｃｅを組み合わせた使用に基づく業界標準プログラムと同等であった。従って、Ｂ．アミロリケファシエンスＲＴＩ４７２は、キュウリのうどんこ病防除のプログラムにおいて、クロロタロニル殺真菌剤の代替物として使用することができた。これは、Ｂ．アミロリケファシエンスＲＴＩ４７２が単独で、業界標準Ｌｕｎａ  Ｅｘｐｅｒｉｅｎｃｅ（表ＸＩ参照）を使用したプログラムと同様の性能を示したキュウリに対するうどんこ病を防除する試験においてさらに確認された。
【表１０】
2018508472.tif 000013
【表１１】
2018508472.tif 000014
【０２１５】
実施例９
スナップ豆およびピーナッツにおける白かびおよびリーフ・スポットのＢ．アミロリケファシエンスＲＴＩ４７２拮抗活性
スナップ豆およびラッカセイ葉の斑点病菌（スクレロチニア・スクレロチオラム）によって引き起こされる植物病原体綿状腐敗（白かび）の影響を予防および／または改善するＢ．アミロリケファシエンスＲＴＩ４７２株の能力を決定するためにスナップ豆およびピーナッツの野外試験研究を行った。
【０２１６】
合計で、以下の表ＸＩＩに示されるような割合を用いて各製品について適用の間５〜７日間隔で６回適用が行われた。最初の適用のタイミングは、特定の作物に依存し、植え付け時、作物出芽後数週間、開花時、病害の出現時、または病害の出現を予期する直前の範囲内であった。ＲＴＩ４７２の場合（＊適用割合ｇ／ｈａ）、該適用割合は、１４００ｇ／ｈａの適用割合に基づくＳＥＲＥＮＡＤＥ  ＯＰＴＩＭＵＭに対して推奨されるのと同じコロニー形成単位／ｈａに対応した。生物有効成分を化学有効成分と組み合わせたプログラム４、５および６の場合、第１、第３および第５の適用（Ａ、ＣおよびＥ）は生物有効成分とともに行われ、第２、第４および第６の適用（Ｂ、ＤおよびＦ）は、化学有効成分とともに行われた。
【０２１７】
製剤：
ＳＥＲＥＮＡＤＥ  ＯＰＴＩＭＵＭ（ＢＡＹＥＲ  ＣＲＯＰ  ＳＣＩＥＮＣＥ，  ＩＮＣ）を１４００ｇ／ｈａの割合で適用し、これは１．８×１０＋１３ＣＦＵ／ｈａに相当する。
【０２１８】
Ｂ．アミロリケファシエンスＲＴＩ４７２胞子は、酵母抽出物を添加した使用済み発酵ブロス（ＳＦＢ）中に存在し、適用割合は、約０．０１％〜０．２％の範囲の酵母抽出物を有する１４００ｇ／ｈａの適用割合に基づくＳＥＲＥＮＡＤＥ  ＯＰＴＩＭＵＭに対して推奨される同じコロニー形成単位／ｈａに対応した。
【０２１９】
ＴＡＣＴＩＣ（Ｌｏｖｅｌａｎｄ  Ｐｒｏｄｕｃｔｓ、Ｉｎｃ）を０．１８７５％ｖ／ｖの濃度で適用した。
【０２２０】
ＴＯＰＳＩＮ  Ｍ  ７０Ｗ（ＣＥＲＥＸＡＧＲＩ、ＩＮＣ．）を１５７０ｇ  ａ．ｉ．／ｈａ（チオファネート−メチル殺真菌剤）の割合で適用した。
【０２２１】
ＰＲＯＬＩＮＥ（ＢＡＹＥＲ  ＣＲＯＰ  ＳＣＩＥＮＣＥ）を２００ｇ  ａ．ｉ．／ｈａ（プロチオコナゾール殺真菌剤）の割合で適用した。
【０２２２】
実験デザインは以下の通りであった：非処理対照、ＲＴＩ４７２＋ＴＡＣＴＩＣ、ＳＥＲＥＮＡＤＥ  ＯＰＴＩＭＵＭ＋ＴＡＣＴＩＣ、ＲＴＩ４７２＋ＴＯＰＳＩＮ  Ｍ  ７０Ｗ＋ＴＡＣＴＩＣ、ＳＥＲＥＮＡＤＥ  ＯＰＴＩＭＵＭ＋ＴＯＰＳＩＮ  Ｍ  ７０Ｗ＋ＴＡＣＴＩＣ、およびＰＲＯＬＩＮＥ＋ＴＯＰＳＩＮ  Ｍ  ７０Ｗ＋ＴＡＣＴＩＣ。
【０２２３】
処理の適用方法：全ての適用は、特に明記しない限り、適用間で５〜７日間の間隔で６回実行された。適用噴霧器は、１エーカーあたり３０ガロンを供給するように設定された。個々のプロットは、フラットファンノズル（８００４タイプ）を備えたＣＯ２バックパック噴霧器を用いて４ｍｐｈの対地速度で噴霧し、各ノズルは１８インチ離して配置した。化学薬品を供給するためのキャリアは、水を２リットルのボトルに混合したものであった。 
【０２２４】
病害スコアリング：
スナップ豆の白かび試験：茎の評価−プロットごとに１０本の茎を評価した。病害の重症度は、病害の影響を受けた各茎の量を視覚的に評価することによって決定した。キャノピー−葉、発育して成熟した果実を植物で評価した。プロットごとに６つの２フィートセクションをサブサンプルとして評価し、白かびの症状を示したキャノピーのパーセンテージを推定することによって重症度を判定した。キャノピー全体を評価した。
【０２２５】
実験の結果を以下の表ＸＩＩに示す。ＳＥＲＥＮＡＤＥ  ＯＰＴＩＭＵＭと比較して、ＲＴＩ４７２は、スナップ豆での白かびに対する単独の生物殺真菌剤として、より良好な防除を提供した。Ｂ．アミロリケファシエンスＲＴＩ４７２とＴＯＰＳＩＮ（チオファナート−メチル殺真菌剤）の組み合わせを用いたプログラムでは、スナップ豆の白かびの最良の防除が観察されたが、これは、ＴＯＰＳＩＮと組み合わせたＰｒｏｌｉｎｅ（プロチオコナゾール殺真菌剤）の使用に基づく化学プログラムよりも優れていた。したがって、Ｂ．アミロリケファシエンスＲＴＩ４７２は、乾燥豆、キャノーラ、コーン、ピーナッツ、大豆およびシュガービーツに見いだされるセルコスポラ葉の斑点、セプトリアブラウンスポット、Ｓｃｌｅｒｏｔｉｎｉａおよびリゾクトニアのような疾患の防除のためのプロチオコナゾール殺真菌剤の代替物として使用され得る。
【表１２】
2018508472.tif 000015
【０２２６】
ピーナッツのセルコスポラ／セルコスポリジウム（Ｃｅｒｃｏｓｐｏｒａ／Ｃｅｒｃｏｓｐｏｒｉｄｉｕｍ）によって引き起こされる植物病原体サザン白かびおよびリーフ・スポットの自然発生の影響を防止および／または改善するＢ．アミロリケファシエンスＲＴＩ４７２株能力を決定するためにグルジアのピーナッツの野外試験で同様の研究が行われた。上述のＲＴＩ４７２およびＳＥＲＥＮＡＤＥ  ＯＰＴＩＭＵＭには同じ適用量を使用し、各株の個別の適用を適用間で５〜７日間隔で６回行った場合と同じ形式を使用した。茎をスナップ豆の白かび試験と同様に評価した。キャノピー−プロットごとに６つの２フィートセクションをサブサンプルとして評価し、全キャノピーから症状を示した葉のパーセンテージを推定することによって重症度を判定した。白かびとリーフ・スポット指数についての１ｍ列当たりのヒット数が１〜１０の評価で得られるように病害重症度を評価した。全てのピーナッツは、収穫され、数えられ、計量され、販売可能かまたは病害かに分けられて、１エーカー当たりの収量が決定された。
【０２２７】
実験の結果を、表ＸＩＩＩおよびＸＩＶに中程度の病害圧力および重度の病害圧力についてそれぞれ以下に示す。ＲＴＩ４７２は、ＳＥＲＥＮＡＤＥ  ＯＰＴＩＭＵＭおよび非処理対照よりも良好にピーナツのリーフ・スポットを防除する。これらの結果は、中程度の圧力１つと重度の圧力１つの２つの試験で観察された。ＲＴＩ４７２は、ＳＥＲＥＮＡＤＥ  ＯＰＴＩＭＵＭおよび非処理対照よりも良好にピーナッツサザン白かびを抑制した。これらの結果は、中程度の圧力のものと重度の圧力のものとの２つの試験で観察された。ＲＴＩ４７２について、６つの施用時期を含む噴霧プログラムにわたって陰性作物応答は観察されなかった。農場で両方の病害が存在していたピーナッツの収量は、ＲＴＩ４７２による処理がＳＥＲＥＮＡＤＥ  ＯＰＴＩＭＵＭおよび非処理対照に対してより高い収量応答をもたらすことを示した。
【表１３】
2018508472.tif 000016
【表１４】
2018508472.tif 000017
【０２２８】
実施例１０
小麦頭部腐敗病（Ｗｈｅａｔ  Ｈｅａｄ  Ｓｃａｂ）、大豆さびおよびアルテルナリア・ソラニのＢ．アミロリケファシエンスＲＴＩ４７２拮抗活性
ジョージア州の小麦、大豆およびトマトの野外試験において、Ｂ．アミロリケファシエンスＲＴＩ４７２株が、植物病原体小麦頭部腐敗病、大豆さび、およびアルテルナリア・ソラニの影響を予防および／または改善する能力を調べるための研究が行われた。
【０２２９】
適用は、ＳＥＲＥＮＡＤＥ  ＯＰＴＩＭＵＭについて１４００ｇ／ｈａの適用割合および１４００ｇ／ｈａ適用割合に基づいたＳＥＲＥＮＡＤＥ  ＯＰＴＩＭＵＭに推奨されるものと同じコロニー形成単位／ｈａに対応するＲＴＩ４７２についての適用割合を用いてＲＴＩ４７２およびＳＥＲＥＮＡＤＥ  ＯＰＴＩＭＵＭのそれぞれについて行った。処理剤は、特に明記しない限り、適用間で５〜７日間の間隔で作物に送達された。適用回数および最初の適用のタイミングは、特定の作物に依存し、植え付け時、作物出芽後数週間、開花時、病害の出現時、または病害の出現を予期する直前の範囲内であった。適用噴霧器は、１エーカーあたり２０ガロンを供給するように設定された（１８９ｌ／ｈａ）。個々のプロットは、ツインフラットファンノズル（８００３タイプ）を備えたＣＯ２バックパック噴霧器を用いて３ｍｐｈの対地速度で噴霧し、各ノズルは１８インチ離して配置した。化学薬品を供給するためのキャリアは、水を２リットルのボトルに混合したものであった。
【０２３０】
小麦頭部腐敗病について、作物開花時には１回の処理が適用された。処理の３日後に、植物を頭部疥癬病原体ジベラ・ゼエ（Ｇｉｂｂｅｒｅｌｌａ  ｚｅａｅ）（フザリウム・グラミネアラムとしても知られる）に人工的に感染させた。病害の重症度は、頭部疥癬（小穂の漂白）によって影響を受ける小麦頭のパーセンテージを決定することによって測定した。病害防除パーセンテージは、病害のある、非処理対照植物を１００％とすることに基づく。結果を表ＸＶに示す。
【０２３１】
大豆さびについては、６回の適用が行われた。最初の適用剤は、成長のＲ１段階で送達された。この試験には自然発生があった。病害の重症度は、白かび試験のように茎を評価することによって測定した。キャノピー−プロットごとに６つの２フィートセクションをサブサンプルとして評価し、全キャノピーからさびの症状を示した葉のパーセンテージを推定することによって重症度を判定した。病害防除パーセンテージは、病害のある、非処理対照植物を１００％とすることに基づく。結果を表ＸＶに示す。
【０２３２】
トマトについては、２回の適用が行われた。病害の重症度は、キャノピーを見て影響を受けた葉の割合を見積もることによって測定した。病害防除パーセンテージは、病害のある、非処理対照植物を１００％とすることに基づく。結果を表ＸＶに示す。
【表１５】
2018508472.tif 000018
【０２３３】
ＲＴＩ４７２は、非処理対照のパーセントで測定したＳＥＲＥＮＡＤＥ  ＯＰＴＩＭＵＭよりも良好に小麦頭部腐敗病を防除した。小麦腐敗病の試験では、非処理対照において重度重症度／圧力が８５％であった。ＲＴＩ４７２は、非処理対照のパーセントで測定したＳＥＲＥＮＡＤＥ  ＯＰＴＩＭＵＭよりも良好に大豆さびを防除した。大豆さびの試験では、非処理対照において中程度重症度／圧力が４４％であった。小麦に１回、トマトに２回、大豆に６回の適用を含む処理適用プログラムにわたり、ＲＴＩ４７２での陰性作物応答は認められなかった。
【０２３４】
実施例１１
ジョージア州の野外試験におけるトマトの細菌スポットトマト病（キサントモナス）のＢ．アミロリケファシエンスＲＴＩ４７２拮抗活性
トマトの野外試験において、バチルス・アミロリケファシエンスＲＴＩ４７２株が、植物病原体細菌スポットトマト病（キサントモナス）の影響を予防および／または改善する能力を調べるための研究が行われた。
【０２３５】
作物への合計４回の適用は、適用の間に５〜７日間の間隔で行われた。生物有効成分を化学有効成分と組み合わせたプログラム４および５の場合、第１および第３の適用は生物有効成分とともに行われ、第２および第４の適用は、化学有効成分とともに行われた。
【０２３６】
製剤：
ＳＥＲＥＮＡＤＥ  ＯＰＴＩＭＵＭを１４００ｇ／ｈａの割合で適用し、これは１．８×１０＋１３ＣＦＵ／ｈａに相当する。
【０２３７】
Ｂ．アミロリケファシエンスＲＴＩ４７２胞子は、酵母抽出物を添加した使用済み発酵ブロス（ＳＦＢ）中に存在し、適用割合は、約０．０１％〜０．２％の範囲の酵母抽出物を有する１４００ｇ／ｈａの適用割合に基づくＳＥＲＥＮＡＤＥ  ＯＰＴＩＭＵＭに対して推奨される同じコロニー形成単位／ｈａに対応した。
【０２３８】
ＴＡＣＴＩＣ（Ｌｏｖｅｌａｎｄ  Ｐｒｏｄｕｃｔｓ、Ｉｎｃ）を０．１８７５％ｖ／ｖの濃度で適用した。
【０２３９】
Ｋｏｃｉｄｅ  ３０００（ＤＵＰＯＮＴ  ＵＳＡ）を１８５０ｇ  ａ．ｉ．／ｈａ（水酸化銅殺真菌剤）の割合で適用した。
【０２４０】
ＢＲＡＶＯ  ＷＥＡＴＨＥＲ  ＳＴＩＫ（ＳＹＮＧＥＮＴＡ  ＣＲＯＰ  ＰＲＯＴＥＣＴＩＯＮ、ＩＮＣ）を２２４０ｇ  ａ．ｉ．／ｈａ（クロロタロニル）の割合で適用した。
【０２４１】
実験デザインは以下の通りであった：非処理対照、ＲＴＩ４７２＋ＴＡＣＴＩＣ、ＳＥＲＥＮＡＤＥ  ＯＰＴＩＭＵＭ＋ＴＡＣＴＩＣ、ＲＴＩ４７２＋Ｋｏｃｉｄｅ  ３０００＋ＴＡＣＴＩＣ、ＳＥＲＥＮＡＤＥ  ＯＰＴＩＭＵＭ＋Ｋｏｃｉｄｅ  ３０００＋ＴＡＣＴＩＣ、およびＢＲＡＶＯ  ＷＥＡＴＨＥＲ  ＳＴＩＫ＋Ｋｏｃｉｄｅ  ３０００＋ＴＡＣＴＩＣ。
【０２４２】
処理の適用方法：
４つの別々の処理適用剤が、各適用の間に５〜７の間隔で作物に送達された。適用噴霧器は、１エーカーあたり４０ガロンを供給するように設定された。個々のプロットは、円錐ノズル（８００４タイプ）を備えたＣＯ２バックパック噴霧器を用いて３ｍｐｈの対地速度で噴霧し、各ノズルは１２インチ離して配置した。化学薬品を供給するためのキャリアは、水を２．５リットルのボトルに混合したものであった。  
【０２４３】
病害重症度は、キャノピーを評価することによって測定した。各処理について、植物の中央で病害重症度の平均パーセントを評価した。病害防除パーセンテージは、病害のある、非処理対照植物を１００％とすることに基づく。結果を表ＸＶＩに示す。処理剤は：非処理対照、ＲＴＩ４７２＋ＴＡＣＴＩＣ、ＳＥＲＥＮＡＤＥ  ＯＰＴＩＭＵＭ＋ＴＡＣＴＩＣ、ＲＴＩ４７２＋Ｋｏｃｉｄｅ  ３０００＋ＴＡＣＴＩＣ、ＳＥＲＥＮＡＤＥ  ＯＰＴＩＭＵＭ＋Ｋｏｃｉｄｅ  ３０００＋ＴＡＣＴＩＣ、およびＢＲＡＶＯ  ＷＥＡＴＨＥＲ  ＳＴＩＫ＋Ｋｏｃｉｄｅ  ３０００＋ＴＡＣＴＩＣ、を含む。トマトの細菌スポットトマト病（キサントモナス）の最善の防除は、単独またはＫＯＣＩＤＥを用いたプログラムでのＢ．アミロリケファシエンスＲＴＩ４７２について観察され、ＫＯＣＩＤＥ  ３０００と組み合わせたＢｒａｖｏ  Ｗｅａｔｈｅｒ  Ｓｔｉｋ（クロロタロニル；Ｓｙｎｇｅｎｔａ）の使用に基づくプログラムを上回った。
【表１６】
2018508472.tif 000019
【０２４４】
実施例１２
バチルス・アミロリケファシエンスＲＴＩ４７２単離株で被覆したコーン種子の効果
典型的な化学的防除に加えて、Ｂ．アミロリケファシエンスＲＴＩ４７２株の胞子で被覆したコーン種子の効果を決定するための実験を行った。ウィスコンシン州での平均３回の野外試験について、出芽、プラントスタンド、植物の活力、および穀物収量に対する時間への影響を測定した。以下のようにして実験を行った。
【０２４５】
製剤：
水中のＢ．アミロリケファシエンスＲＴＩ４７２胞子濃縮物（１．０×１０＋１０ｃｆｕ／ｍｌ）を１．０×１０＋５ｃｆｕ／種子の量で適用した。
【０２４６】
ＭＡＸＩＭ（ＳＹＮＧＥＮＴＡ  ＣＲＯＰ  ＰＲＯＴＥＣＴＩＯＮ、ＩＮＣ）を０．００６４ｍｇ  ＡＩ／カーネル（フルジオキソニル）で種子に適用した。
【０２４７】
メタラキシルは、０．００５ｍｇ  ＡＩ／カーネルで種子に適用した。
【０２４８】
ＰＯＮＣＨＯ  ２５０（Ｂａｙｅｒ  Ｃｒｏｐ  Ｓｃｉｅｎｃｅ）を０．２５ｍｇ  ＡＩ／カーネル（クロチアニジン）で種子に適用した。
【０２４９】
処理の適用方法：
種子処理は、上記で詳述したように、種子当たり平均して１×１０５ｃｆｕおよび標識表示濃度での化学的活性成分をもたらしたＢ．アミロリケファシエンスＲＴＩ４７２および化学的対照ＭＡＸＩＭ＋メタラキシル＋ＰＯＮＣＨＯ  ２５０の胞子を含有する溶液とコーン種子とを混合することによって行った。この実験は、非処理種子および対照として化学対照単独で処理した種子で行った。非処理の種子および処理されたコーン種子のそれぞれをウィスコンシン州の３つの別々の野外試験場に植え付け、ブッシェル／エーカーにおける出芽、プラントスタンド、植物活力および穀物収量に対する時間の長さによって分析した。３回の野外試験から得られたデータの平均を用いると、非処理種子と比較した化学的対照の添加は、出芽、プラントスタンド、植物活力および穀物収量への各時間における統計的に有意な増加がもたらされた。化学的防除単独で処理した種子と比較して、種子処理にＢ．アミロリケファシエンスＲＴＩ４７２を含めることは、出芽、プラントスタンド、または植物の活力に対する時間に統計的に有意な効果を有さないが、６ブッシェル／エーカーの穀物（２３１〜２３７ブッシェル／エーカー）の増加をもたらし、穀物収量は２．６％増加した。
【０２５０】
コーン植物を病原体リゾクトニアおよびフザリウム・グラミネアラムに別々に暴露したことを除いて、上記のように関連する試験を行った。病害の重症度は、目視検査により１〜５のスケールで評価した。Ｂ．アミロリケファシエンスＲＴＩ４７２による種子の処理は、化学的対照のみで処理した種子と比較して、リゾクトニアおよび自然発生病害の病害重症度において統計的に有意な低下をもたらした。
【０２５１】
実施例１３
イタリアおよびスペインの野外試験におけるイチゴにおける茶色がかった灰色かび（ボトリチス・シネレア）のＢ．アミロリケファシエンスＲＴＩ４７２拮抗活性
研究は、植物病原体である茶色がかった灰色かび（ボトリチス・シネレア）の効果を予防および／または改善するＢ．アミロリケファシエンスＲＴＩ４７２株の能力を決定するためにイチゴの野外試験で行われた。
【０２５２】
作物への合計４回の適用は、適用の間に７日間の間隔で行われた。
【０２５３】
製剤：
Ｓｅｒｅｎａｄｅ  ＭＡＸは、バチルス・サブチリス株ＱＳＴ７１３の２．０×１０＋１４ＣＦＵ／ｈａに相当する４０００ｇ／ｈａの割合で適用した。
【０２５４】
Ｂ．アミロリケファシエンスＲＴＩ４７２胞子は、酵母抽出物を添加した使用済み発酵ブロス（ＳＦＢ）に入れられ、適用割合は、２．０×１０＋１３ＣＦＵ／ｈａであり、約０．０１％〜０．２％の範囲の酵母抽出物を含んだ。さらに、非イオン性オルガノシリコーン界面活性剤であるＳＩＬＷＥＴ  Ｌ７７（ＨＥＬＥＮＡ  ＣＨＥＭＩＣＡＬ）を１００リットルのスプレー溶液につき０．１５リットルの割合で添加した。
【０２５５】
作物への最初の２回の適用は、ＳＷＩＴＣＨ（シプロジニル３７５ｇ／ｋｇ＋フルジオキソニル２５０ｇ／ｋｇ；ＳＹＮＧＥＮＴＡ  ＣＲＯＰ  ＰＲＯＴＥＣＴＩＯＮ、ＩＮＣ）を０．８ｋｇ／ｈａの割合で行い、続いてＳＩＧＮＵＭ（ボスカリド２６７ｇ／ｋｇ＋ピラクロストロビン６７ｇ／ｋｇ；ＢＡＹＥＲ  ＣＲＯＰ  ＳＣＩＥＮＣＥ，ＩＮＣ）を１．８ｋｇ／ｈａの割合で２回適用した。これを本明細書では「ファーマープログラム」と呼ぶ。
【０２５６】
実験デザインは以下の通りであった：非処理対照（ＵＴＣ）、ファーマープログラム、ＲＴＩ４７２＋ＳＩＬＷＥＴ  Ｌ７７、およびＳＥＲＥＮＡＤＥ  ＭＡＸ。 
【０２５７】
処理の適用方法：
４回の独立した野外試験を行い、それぞれ４回の反復試験を行い、試験の結果をまとめ、平均結果として示した。４つの別々の処理適用剤が、各適用の間に７日の間隔で作物に送達された。処置開始の３日前に、未処置対照を含む全てのプロットを初期病害発症を抑制するためにＳＷＩＴＣＨで処置した。適用噴霧器は、適用時の作物密度に依存して１エーカーあたり５３〜１０７ガロンを供給するように設定された。個々のプロットは、円錐ノズルを備えたＣＯ２バックパック噴霧器を用いて０．５６ｍｐｈ（０．２５ｍ／ｓまたは０．９ｋｍ／ｈ）の対地速度で噴霧し、各ノズルは２インチ（５．５ｃｍ）離して配置した。 
【０２５８】
全てのイチゴは、収穫され、数えられ、計量され、収量が決定され、販売可能かまたは病害かに分けられた。病害発生率（茶色がかった灰色かびにより影響された果実の％）は、６つの別々の日付での収穫時の各処理の果実を評価して測定し、「病害圧力曲線下面積」（ＡＵＤＰＣ）として表した。非処理対照に対する発病率および収量の％増加を以下の表ＸＶＩＩＩに示す。ＵＴＣにおける発病率を時間の関数として以下のグラフに示した（図１３）および試験中に進んだ病害圧力が、感染した果実の約２０％〜４５％の最高の病害圧力に達することを示す。
【０２５９】
以下の表ＸＶＩＩＩの結果は、ＲＴＩ４７２による処理の収量の数値的増加がわずかに高い、３つの処理、Ｂ．アミロリケファシエンスＲＴＩ４７２、ＳＥＲＥＮＡＤＥ  ＭＡＸ、およびファーマープログラムの全てについて、非処理の対照に対するイチゴへの茶色がかった灰色かび（ボトリチス・シネレア）の改善された防除が観察されたことを示す。
【表１７】
2018508472.tif 000020
【０２６０】
実施例１４
サマースカッシュにおけるうどんこ病のＢ．アミロリケファシエンスＲＴＩ４７２の拮抗活性
研究は、サマースカッシュにおいてグロビノミセス・シコラシーラム（Ｇｏｌｏｖｉｎｏｍｙｃｅｓ  ｃｉｃｈｏｒａｃｅａｒｕｍ）（ＥＲＹＳＣＩ）によって引き起こされるうどんこ病の効果を予防および／または改善するために、単独としてまたはＦＲＵＣＴＵＲＥ中との混合物としてＢ．アミロリケファシエンスＲＴＩ４７２株の能力を決定するためのサマースカッシュの野外試験で行われた。ＦＲＡＣＴＵＲＥ（Ｃｏｎｓｕｍｏ  ｅｍ  Ｖｅｒｄｅ（ＣＥＶ）、Ｂｉｏｔｅｃｎｏｌｏｇｉａ  ｄａｓ  Ｐｌａｎｔａｓ  Ｓ．Ａ．、Ｐｏｒｔｕｇａｌ）は、有効成分として２０％ＢＬＡＤポリペプチドを含有する植物抽出物に基づく製剤である。ＢＬＡＤポリペプチドは、真菌の細胞壁を損傷させ、内部細胞膜を破壊することによって感受性真菌病原体に作用する甘ルーピン豆（ルピナス・アルブス）に天然の種子貯蔵タンパク質の断片である。
【０２６１】
合計で、以下の表ＸＩＸに示されるような割合を用いて各製品について適用の間５〜７日間隔で６回適用が行われた。最初の適用のタイミングは、病気の出現が予想される直前に行われた。ＲＴＩ４７２の場合（＊＊１．８×１０＋１３ＣＦＵ／ｈａの適用割合）、該適用割合は、１４００ｇ／ｈａの適用割合に基づくＳＥＲＥＮＡＤＥ  ＯＰＴＩＭＵＭに対して推奨されるのと同じコロニー形成単位／ｈａに対応した。 
【０２６２】
製剤：
ＳＥＲＥＮＡＤＥ  ＯＰＴＩＭＵＭ（ＢＡＹＥＲ  ＣＲＯＰ  ＳＣＩＥＮＣＥ，  ＩＮＣ）を１４００ｇ／ｈａの割合で適用し、これは１．８×１０＋１３ＣＦＵ／ｈａに相当する。
【０２６３】
ＦＲＡＣＴＵＲＥ（Ｃｏｎｓｕｍｏ  ｅｍ  Ｖｅｒｄｅ（ＣＥＶ）、Ｂｉｏｔｅｃｎｏｌｏｇｉａ  ｄａｓ  Ｐｌａｎｔａｓ  Ｓ．Ａ．、Ｐｏｒｔｕｇａｌ）を６７２ｇ  ａ．ｉ．／ｈａ（ＢＬＡＤ）で適用した。
【０２６４】
０．１５％の酵母抽出物、０．２％のスクロース、０．０２％のＭｇＳＯ４および０．００２％のＣａＣｌ２を添加したＢ．アミロリケファシエンスＲＴＩ４７２胞子＋使用済み発酵ブロス（ＳＦＢ）および適量率は、１４００ｇ／ｈａの適量率に基づいたＳＥＲＥＮＡＤＥ  ＯＰＴＩＭＵＭに対して推奨されたものと同じコロニー形成単位／ＨＡに対応した。
【０２６５】
ＢＲＡＶＯ  ＷＥＡＴＨＥＲ  ＳＴＩＫ（ＳＹＮＧＥＮＴＡ  ＣＲＯＰ  ＰＲＯＴＥＣＴＩＯＮ、ＩＮＣ）製品を１６８０ｇ  ａ．ｉ．／ｈａ（クロロタロニル）の割合で適用した。
【０２６６】
ＬＵＮＡ  ＥＸＰＥＲＩＥＮＣＥ（ＢＡＹＥＲ  ＣＲＯＰ  ＳＣＩＥＮＣＥ、ＩＮＣ）を５００ｇ  ａ．ｉ．／ｈａ（フルオピラム＋テブコナゾール殺真菌剤）の割合で適用した。
【０２６７】
ＴＡＣＴＩＣ（Ｌｏｖｅｌａｎｄ  Ｐｒｏｄｕｃｔｓ、Ｉｎｃ）を０．１８７５％ｖ／ｖの濃度で適用した。
【０２６８】
実験デザインは以下の通りであった：非処理対照、ＦＲＡＣＴＵＲＥ、ＳＥＲＥＮＡＤＥ  ＯＰＴＩＭＵＭ＋ＴＡＣＴＩＣ、ＢＲＡＶＯ  ＷＥＡＴＨＥＲ  ＳＴＩＫ＋ＴＡＣＴＩＣ、ＬＵＮＡ  ＥＸＰＥＲＩＥＮＣＥ＋ＴＡＣＴＩＣ、ＲＴＩ４７２＋ＴＡＣＴＩＣ、ＲＴＩ４７２＋ＦＲＡＣＴＵＲＥ＋ＴＡＣＴＩＣ。
【０２６９】
処理の適用方法：
全ての適用は、特に明記しない限り、適用間で５〜７日間の間隔で６回実行された。適用噴霧器は、１エーカーあたり３０ガロンを供給するように設定された。個々のプロットは、フラットファンノズル（８００４タイプ）を備えたＣＯ２バックパック噴霧器を用いて４ｍｐｈの対地速度で噴霧し、各ノズルは１８インチ離して配置した。化学薬品を供給するためのキャリアは、水を２リットルのボトルに混合したものであった。ＲＴＩ４７２＋ＦＲＡＣＴＵＲＥの適用については、両方の生成物をタンク混合し、個々の製品と同じ濃度で適用した。
【０２７０】
病害スコアリング：サマースカッシュのうどんこ病は、上の葉のレベルで評価した。「病害圧力曲線下面積」（ＡＵＤＰＣ）として表される病害の重症度は、上葉面上のうどんこ病の重症度（影響を受けた葉面積％）の関数として決定された。非処理植物は、病害発生率が１００％であり、病害重症度が６２．８％であると判定された。  
【０２７１】
実験の結果を以下の表ＸＩＸに示す。ＳＥＲＡＧＡＤ  ＯＰＴＩＭＵＭおよびＲＴＩ４７２は病害重症度の約３０％低下をもたらしたが、ＦＲＡＣＴＵＲＥは病害重症度の約１５％の低下をもたらした。ＢＲＡＶＯ  ＷＥＡＴＨＥＲ  ＳＴＩＫ（４５％）およびＬＵＮＡ  ＥＸＰＥＲＩＥＮＣＥ（９４％）では、病害重症度の最も顕著な低下が観察された。興味深いことに、ＲＴＩ４７２およびＦＲＡＣＴＵＲＥを一緒に適用すると、病害防除の累積効果が観察され、その結果、病害重症度が４７％低下した。これは、ＢＲＡＶＯ  ＷＥＡＴＨＥＲ  ＳＴＩＫ（４５％）の病害重症度の低下に匹敵する。従って、Ｂ．アミロリケファシエンスＲＴＩ４７２およびＦＲＡＣＴＵＲＥに基づく製品組み合わせは、キュウリのうどんこ病防除のプログラムにおいて、クロロタロニル殺真菌剤の代替物として使用することができた。
【表１８】
2018508472.tif 000021
【０２７２】
実施例１５
バチルス・アミロリケファシエンスＲＴＩ４７２単離株による新規代謝産物の同定
フェンギシン型代謝産物およびデヒドロキシフェンギシン型代謝産物の５つのクラスが、バチルス・アミロリケファシエンスを含む微生物種によって産生されることが以前に報告されている（例えば、  Ｌｉ，  Ｘｉｎｇ−Ｙｕ，  ｅｔ  ａｌ．  ，  ２０１３，  Ｊ．  Ｍｉｃｒｏｂｉｏｌ．  Ｂｉｏｔｅｃｈｎｏｌ．  ２３（３），  ３１３−３２１；  Ｐｅｃｃｉ  Ｙ，  ｅｔ  ａｌ．  ２０１０，  Ｍａｓｓ  Ｓｐｅｃｔｒｏｍ．，  ４５（７）：７７２−７７を参照）。これらの代謝産物、環状リポペプチドは、脂肪酸基も含む環状ペプチド分子である。フェンギシンおよびデヒドロキシフェンギシン型代謝産物の５つのクラスは、Ａ、Ｂ、Ｃ、ＤおよびＳと呼ばれる。これらの代謝産物の骨格構造および５つのクラスのそれぞれのための特定のアミノ酸配列を図１３に示す。
【０２７３】
バチルス・アミロリケファシエンスＲＴＩ４７２によって産生されたフェンギシンおよびデヒドロキシフェンギシン型代謝産物を、ＵＨＰＬＣ−ＴＯＦ  ＭＳを用いて分析した。３０℃で８６９培地中で３および６日成長させた後にＲＴＩ４７２株によって産生されたフェンギシン型代謝産物の分子量を、フェンギシンおよびデヒドロキシフェンギシン型代謝産物について予想される理論的分子量と比較した。さらに、ＲＴＩ４７２株によって産生された種々のフェンギシン型代謝産物のアミノ酸組成を決定するために、ＵＨＰＬＣ−ＴＯＦ  ＭＳによって以前に同定されたフェンギシン型代謝産物のそれぞれについてＬＣ−ＭＳ−ＭＳを用いたペプチド配列決定を行った。このようにして、バチルス・アミロリケファシエンスＲＴＩ４７２は、フェンギシンＡ、Ｂ、Ｃ、ＤおよびＳならびにデヒドロキシフェンギシンＡ、Ｂ、Ｃ、ＤおよびＳを産生することが決定された。驚くべきことに、これらの既知の化合物に加えて、ＲＴＩ４７２株もまた、これらの化合物の以前に同定されていない誘導体のいくつかのクラスを産生することも決定された。
【０２７４】
例えば、バチルス・アミロリケファシエンスＲＴＩ４７２株は、環状ペプチド鎖の８位のＬ−イソロイシン（図１４のＸ３と呼ぶ）がＬ−メチオニンに置き換えられている、フェンギシン様およびデヒドロキシフェンギシン様化合物を産生することが決定される。フェンギシンおよびデヒドロキシフェンギシンの新しいクラスは、本明細書ではＭＡ、ＭＢおよびＭＣと称され、図１４のＸ３におけるＬ−イソロイシンが、Ｌ−メチオニンにより置き換えられているクラスＡ、ＢおよびＣの誘導体を指す。新たに同定された分子を以下の図１４および表ＸＸにおいて太字で示す。表ＸＸに示したように、デヒドロキシフェンギシンＭＣ化合物はＲＴＩ４７２株の培養では観察されなかった。
【０２７５】
バチルス・アミロリケファシエンスＲＴＩ４７２株は、以前に同定されていないフェンギシン（および推測では、デヒドロキシフェンギシン）代謝産物のさらなるクラスを産生することがさらに判明した。このクラスでは、フェンギシンＢのＬ−イソロイシン（図１３の位置Ｘ３）がＬ−ホモシステイン（Ｈｃｙ）により置き換えられている。この以前に同定されていない代謝産物は、本明細書中ではフェンギシンＨと呼ばれる。  
【０２７６】
ＲＴＩ４７２株は、以前に同定されていないフェンギシンおよびデヒドロキシフェンギシン代謝産物のさらなるクラスを産生することがさらに判明した。このクラスでは、環状ペプチド骨格構造の４位のアミノ酸（図１４の位置Ｘ１）がＬ−イソロイシンにより置換されている。これらの以前に同定されていない代謝産物は、本明細書では、フェンギシンＩおよびデヒドロキシフェンギシンＩと呼ばれ、図１４および表ＸＸに太字で示されている。
【０２７７】
以前に報告されたフェンギシンおよびデヒドロキシフェンギシン型リポペプチドおよび新たに同定された代謝産物のアミノ酸配列の要約を以下の表ＸＸに示す。
【表１９】
2018508472.tif 000022
【０２７８】
実施例１６
ＲＴＩ４７２の単離されたリポペプチド代謝産物の抗菌活性
Ｂ．アミロリケファシエンス株ＲＴＩ４７２由来の拮抗性リポペプチドをＲＴＩ４７２使用済み発酵ブロスから単離し、それらの活性を保持することが示された。
【０２７９】
この実験では、Ｓｍｙｔｈ，  ＴＪＰ  ｅｔ  ａｌ．，  ２０１０，  “Ｉｓｏｌａｔｉｏｎ  ａｎｄ  Ａｎａｌｙｓｉｓ  ｏｆ  Ｌｉｐｏｐｅｐｔｉｄｅｓ  ａｎｄ  Ｈｉｇｈ  Ｍｏｌｅｃｕｌａｒ  Ｗｅｉｇｈｔ  Ｂｉｏｓｕｒｆａｃｔａｎｔｓ．”  Ｉｎ：  Ｈａｎｄｂｏｏｋ  ｏｆ  Ｈｙｄｒｏｃａｒｂｏｎ  ａｎｄ  Ｌｉｐｉｄ  Ｍｉｃｒｏｂｉｏｌｏｇｙ，  Ｋ．  Ｎ．  Ｔｉｍｍｉｓ  （Ｅｄｉｔｏｒ）．  ｐｐ  ３６８７−３７０４に記載の手順に従って、バチルス・アミロリケファシエンス培養上清をｐＨ２に酸性化した。リポペプチドの回収物をＵＨＰＬＣ−ＴＯＦ  ＭＳで分析し、ボトリチス・シネレアおよびフザリウム・グラミネアラムに対するそれらの拮抗活性を試験した。 
【０２８０】
ＲＴＩ４７２をＭ２胞子形成培地で３０℃で６日間培養し、使用済み発酵ブロス（４７２−ＳＦＢ）を１８，５１４ｇで２０分間遠心分離して胞子を除去した。その後、上清を濃ＨＣｌの添加によりｐＨ２．０に酸性化し、４℃で一晩沈殿させた。その後、サンプルを１８，５１４ｇで２０分間遠心分離して、固体の粗リポペプチドを得た。ペレットを一晩凍結乾燥し、元の体積のＭ２培地に溶解し、ＬＣＭＳで分析した。イツリン（ｉｔｕｒｉｎ）（Ｃ１４、Ｃ１５、Ｃ１６）、サーファクチン（Ｃ１２、Ｃ１３、Ｃ１４、Ｃ１５、Ｃ１６、Ｃ１７）およびフェンギシン（Ａ、Ｂ、Ｃ、Ｄ、Ｓ）の塊を抽出し、各サンプルからのリポペプチドの相対存在量を比較してまとめた。図１５は、酸沈殿後のＲＴＩ４７２使用済み発酵ブロス（ＳＦＢ）から回収されたリポペプチドのパーセンテージを示すグラフである。用語「４７２−ＡＰ−ペレット」および「４７２−ＡＰ−上清」は、遠心分離したＳＦＢの酸沈殿後に得られた再懸濁ペレットおよび上清をそれぞれ意味する。図１５のグラフの結果は、リポペプチドの全量の８３％が酸沈殿によって回収されたことを示す。イツリンについては６５％が沈殿したが、イツリンの２６％は酸沈殿法によって回収されなかった。サーファクチンおよびフェンギシンは、酸沈殿を用いて１００％回収された。ＬＣＭＳの結果がアンタゴニスト活性と相関することを確認するために、同じサンプルをＬＣＭＳで分析してバイオアッセイを行った。バイオアッセイのために、２０μｌのボトリチス・シネレアまたはフザリウム・グラミネアラム接種物を、プレートの中央にスポットし、４７２−ＡＰペレットサンプルを１０μｌ、２０μｌおよび４０μｌのアリコートにスポットした。ボトリチス・シネレアおよびフザリウム・グラミネアラム接種物について、３０℃で５日間または７日間のインキュベーション後に、抗真菌活性をチェックし、画像化した。結果を、図１６Ａ〜図１６Ｄのプレートアッセイの画像に示す。図１６Ａおよび１６Ｂは、Ａ）ＲＴＩ４７２使用済み発酵ブロス（４７２−ＳＦＢ）；およびＢ）酸沈殿＋遠心分離（４７２−ＡＰ−ペレット）後に得られた再懸濁ペレット材料で８６９寒天プレート上にスポットされたボトリチス・シネレアの画像である。また、図１６Ｃおよび１６Ｄは、Ｃ）ＲＴＩ４７２使用済み発酵ブロス（４７２−ＳＦＢ）；およびＤ）酸沈殿＋遠心分離（４７２−ＡＰ−ペレット）後に得られた再懸濁ペレット材料で８６９寒天プレート上にスポットされたフザリウム・グラミネアラムの画像である。陽性対照については、１０μｌのＲＴＩ４７２の細胞培養物を真菌の隣の各プレートの左側にスポットした。その結果は、酸沈殿したサンプル（４７２−ＡＰ−ペレット）が、ボトリチス・シネレアおよびフザリウム・グラミネアラムの両方に対する出発使用済み発酵ブロスと同様のレベルの拮抗活性を有することを示す。バイオアッセイの結果は、図１５のＬＣＭＳデータとよく相関している。
【０２８１】
参考文献
本明細書に記載されている全ての刊行物、特許出願、特許および他の参考文献は、参照によりその全体が本明細書に組み込まれる。
【０２８２】
前述の主題は、理解を明確にするために例示および実施例によってある程度詳細に記載されているが、添付の特許請求の範囲内である種の変更および改変を実施できることは当業者には理解されるであろう。
【０２８３】
（付記）
（付記１）
植物成長に利益を与え、または感受性植物において病原体感染に対する保護を与えることの１つまたは両方を植物に適用するための、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物を含む組成物。
【０２８４】
（付記２）
前記植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示される、付記１の組成物。
【０２８５】
（付記３）
前記組成物は、液体、粉剤、乾燥水和性粉末剤、展延性顆粒剤、または乾燥水和性顆粒剤の形態である、付記１の組成物。
【０２８６】
（付記４）
前記組成物は液体の形態であり、バチルス・アミロリケファシエンスＲＴＩ４７２は、約１．０×１０８ＣＦＵ／ｍｌ〜約１．０×１０１２ＣＦＵ／ｍｌの濃度で存在する、付記１の組成物。
【０２８７】
（付記５）
前記組成物は、粉剤、乾燥水和性粉末剤、展延性顆粒剤、または乾燥水和性顆粒剤の形態であり、バチルス・アミロリケファシエンスＲＴＩ４７２は、約１．０×１０８ＣＦＵ／ｇ〜約１．０×１０１２ＣＦＵ／ｇの量で存在する、付記１の組成物。
【０２８８】
（付記６）
前記組成物は、油分散体の形態であり、バチルス・アミロリケファシエンスＲＴＩ４７２は、約１．０×１０８ＣＦＵ／ｍｌ〜約１．０×１０１２ＣＦＵ／ｍｌの濃度で存在する、付記１の組成物。
【０２８９】
（付記７）
前記バチルス・アミロリケファシエンスＲＴＩ４７２は、胞子または栄養細胞の形態である、付記１の組成物。
【０２９０】
（付記８）
植物成長に利益を与え、および／または感受性植物において病原体感染に対する保護を与えるのに適した量で存在する、微生物学的、生物学的もしくは化学的な、殺虫剤、殺真菌剤、殺線虫剤、殺細菌剤、除草剤、植物抽出物、植物成長調整剤または肥料の１つまたは組み合わせをさらに含む、付記１の組成物。
【０２９１】
（付記９）
担体、界面活性剤、分散剤、または酵母抽出物の１つまたは組合せをさらに含む、付記１の組成物。
【０２９２】
（付記１０）
前記組成物は、植付用の基盤（ｍａｔｒｉｘ）の形態である、付記１の組成物。
【０２９３】
（付記１１）
前記植付用の基盤は、鉢植え用の土の形態である、付記１０の組成物。
【０２９４】
（付記１２）
植物成長に利益を与え、および／または感受性植物において病原体感染に対する保護を与えるのに適した量で存在する、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物の胞子、を含む組成物で被覆された植物種子。
【０２９５】
（付記１３）
前記植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示される、付記１２の植物種子。
【０２９６】
（付記１４）
前記組成物は、約１．０×１０２ＣＦＵ／種子〜約１．０×１０９ＣＦＵ／種子の量のバチルス・アミロリケファシエンス胞子を含む、付記１２の植物種子。
【０２９７】
（付記１５）
前記種子は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、または芝草（Ｔｕｒｆ  ｇｒａｓｓ）の種子を含む、付記１２の植物種子。
【０２９８】
（付記１６）
前記植物は、ドライビーン、コーン、小麦、大豆、キャノーラ、米、キュウリ、ペッパー、トマト、スカッシュ、綿、草、または芝草を含む、付記１４の植物種子。
【０２９９】
（付記１７）
前記組成物は、植物成長に利益を与え、および／または感受性植物において病原体感染に対する保護を与えるのに適した量で存在する、微生物学的、生物学的もしくは化学的な、殺虫剤、殺真菌剤、殺線虫剤、殺細菌剤、または植物成長調整剤の１つまたは組み合わせをさらに含む、付記１２の植物種子。
【０３００】
（付記１８）
前記植物成長に利益を与え、および／または感受性植物において病原体感染に対する保護を与えるのに適した量で、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物、ならびに、
前記植物成長に利益を与え、および／または感受性植物において病原体感染に対する保護を与えるのに適した量で、微生物学的、生物学的もしくは化学的な、殺虫剤、殺真菌剤、殺線虫剤、殺細菌剤、除草剤、植物抽出物、植物成長調整剤または肥料の１つまたは組み合わせを含む、
植物成長に利益を与えること、または感受性植物において病原体感染に対する保護を与えることの１つまたは両方のための組成物。
【０３０１】
（付記１９）
前記植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示される、付記１８の組成物。
【０３０２】
（付記２０）
前記組成物は液体の形態であり、バチルス・アミロリケファシエンスＲＴＩ４７２は、約１．０×１０８ＣＦＵ／ｍｌ〜約１．０×１０１２ＣＦＵ／ｍｌの濃度で存在する、付記１８の組成物。
【０３０３】
（付記２１）
前記組成物は、粉剤、乾燥水和性粉末剤、展延性顆粒剤、または乾燥水和性顆粒剤の形態であり、バチルス・アミロリケファシエンスＲＴＩ４７２は、約１．０×１０８ＣＦＵ／ｇ〜約１．０×１０１２ＣＦＵ／ｇの量で存在する、付記１８の組成物。
【０３０４】
（付記２２）
前記組成物は、油分散体の形態であり、バチルス・アミロリケファシエンスＲＴＩ４７２は、約１．０×１０８ＣＦＵ／ｍｌ〜約１．０×１０１２ＣＦＵ／ｍｌの濃度で存在する、付記１８の組成物。
【０３０５】
（付記２３）
前記バチルス・アミロリケファシエンスＲＴＩ４７２は、胞子または栄養細胞の形態である、付記１８の組成物。
【０３０６】
（付記２４）
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビ、またはテンサイを含む、付記１８の組成物。
【０３０７】
（付記２５）
ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物の胞子を含む組成物を、植物成長に利益を与え、および／または感受性植物において病原体感染に対する保護を与えるのに適した量で、植物の葉、植物の樹皮、植物の果実、植物の花、植物の種子、植物の根、植物の切断片、植物の移植片、植物のカルス組織、植物の周囲の土壌または成長培地、植物の種子を播種する前の土壌もしくは成長培地、または植物、植物切断片、植物移植片、植物カルス組織を植える前の土壌もしくは成長培地に送達することを含む、植物成長に利益を与えることまたは感受性植物において病原体感染に対する保護を与えることの１つまたは両方のための方法。
【０３０８】
（付記２６）
前記組成物が前記植物の葉に送達される、付記２５の方法。
【０３０９】
（付記２７）
前記植物の成長利益および／または付与された保護は、改善された苗の活力、改善された根の発達、改善された植物成長、改善された植物の健康、増加した収量、改善された外観、植物病原体に対する改善された耐性、病原体感染の減少、またはそれらの組み合わせにより示される、付記２５の方法。
【０３１０】
（付記２８）
前記バチルス・アミロリケファシエンスＲＴＩ４７２は、約１．０×１０１０ＣＦＵ／ｈａ〜約１．０×１０１４ＣＦＵ／ｈａの割合で送達される、付記２５の方法。
【０３１１】
（付記２９）
前記バチルス・アミロリケファシエンスＲＴＩ４７２は、胞子または栄養細胞の形態である、付記２５の方法。
【０３１２】
（付記３０）
前記組成物は、液体、粉剤、乾燥水和性粉末剤、展延性顆粒剤、乾燥水和性顆粒剤、または油分散体の形態である、付記２５の方法。
【０３１３】
（付記３１）
前記組成物は、前記植物成長に利益を与え、および／または感受性植物において病原体感染に対する保護を与えるのに適した量で存在する、微生物学的、生物学的もしくは化学的な、殺虫剤、殺真菌剤、殺線虫剤、殺細菌剤、除草剤、植物抽出物、植物成長調整剤または肥料の１つまたは組み合わせをさらに含む、付記２５の方法。
【０３１４】
（付記３２）
前記組成物は、担体、界面活性剤、分散剤、または酵母抽出物の１つまたは組合せをさらに含む、付記２５の方法。
【０３１５】
（付記３３）
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビ、またはテンサイを含む、付記２５の方法。
【０３１６】
（付記３４）
前記植物は、大豆、豆、スナップ豆、小麦、綿、コーン、ペッパー、トマト、ジャガイモ、キャッサバ、ブドウ、イチゴ、バナナ、ピーナッツ、スカッシュ、カボチャ、ナス、またはキュウリを含む、付記３３の方法。
【０３１７】
（付記３５）
前記病原体感染は、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属種（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、���ンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・マイディス（Helminthosporium maydis）、ヘルミントスポリウム・ソラニ（Helminthosporium solai）またはヘルミントスポリウム・トリチシ−レペンチス（Helminthosporium tritici-repentis）、またはこれらの組み合わせによって引き起こされる、付記２５の方法。
【０３１８】
（付記３６）
前記病原体感染は、
大豆さび菌（ファコプソラ・パキリジ、ファコプソラ・メイボミエ）によって引き起こされ、前記植物は大豆を含む、
ボトリチス・シネレア（ボトリチス病害）によって引き起こされ、前記植物はブドウを含む、
ボトリチス・シネレア（ボトリチス病害）によって引き起こされ、前記植物はイチゴを含む、
アルテルナリア属種（例えば、Ａ．ソラニ）によって引き起こされ、前記植物はトマトを含む、
アルテルナリア属種（例えば、Ａ．ソラニ）によって引き起こされ、前記植物はジャガイモを含む、
豆さび（ウロマイセス・アペンディキュラタス）によって引き起こされ、前記植物は一般的な豆を含む、
ミクロスファエラ・ディフサ（大豆うどんこ病）によって引き起こされ、前記植物は大豆を含む、
マイコスフェレラ・フィジエンシス（ブラックシガトガ（Ｂｌａｃｋ  ｓｉｇａｔｏｇａ））またはフザリウム・オキシスポラムｆ属種キューベンセ（パナマ病）によって引き起こされ、前記植物はバナナを含む、
キサントモナス属種またはキサントモナス・オリゼ・パソバー・オリゼによって引き起こされ、前記植物は米を含む、
キサントモナス・アクソノポディスによって引き起こされ、前記植物はキャッサバを含む、
キサントモナス・カンペストリスによって引き起こされ、前記植物はトマトを含む、
ボトリチス・シネレア（ペッパー・ボトリチス病害）によって引き起こされ、前記植物はペッパーを含む、
うどんこ病によって引き起こされ、前記植物はククルビットを含む、
スクレロチニア・スクレロチオラム（白かび）によって引き起こされ、前記植物はスナップ豆を含む、
スクレロチニア・スクレロチオラム（白かび）によって引き起こされ、前記植物はジャガイモを含む、
スクレロチニア・ホメオカルパ（ドラースポット）によって引き起こされ、前記植物は芝草を含む、
サザン白かびによって引き起こされ、前記植物はピーナツを含む、
リーフ・スポット（セルコスポラ／セルコスポリディウム）によって引き起こされ、前記植物はピーナツを含む、
フザリウム・グラミネアラム（小麦頭部腐敗病）によって引き起こされ、前記植物は小麦を含む、
マイコスフェレラ・グラミノコラ（セプトリア・トリチシ・ブロッチ（Ｓｅｐｔｏｒｉａ  ｔｒｉｔｉｃｉ  ｂｌｏｔｃｈ））によって引き起こされ、前記植物は小麦を含む、
スタゴノスポラ・ノドラム（グルメ・ブロッチ（ｇｌｕｍｅ  ｂｌｏｔｃｈ）およびセプトリア・ノドラム・ブロッチ（ｓｅｐｔｏｒｉａ  ｎｏｄｏｒｕｍ  ｂｌｏｔｃｈ））によって引き起こされ、前記植物は小麦を含む、
エルウィニア・アミロボラによって引き起こされ、前記植物は、リンゴ、ナシおよび他のナシ果実を含む、
ベンチュリア・イネキュアリスによって引き起こされ、前記植物はリンゴ、ナシおよび他のナシ果実を含む、または、
リゾクトニア・ソラニによって引き起こされ、前記植物は、小麦、米、芝草、大豆、コーン、マメ科植物および野菜作物を含む、
場合の１つまたは組み合わせにより引き起こされる、付記３５の方法。
【０３１９】
（付記３７）
前記植物の種子を植えること、または前記植物の植物性切断片／組織を適切な成長培地に再生することを含み、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物を含む組成物で、前記種子が被覆されているまたは前記植物性切断片／組織が接種され、前記種子または前記植物性切断片／組織から植物の成長に利益が与えられ、および／または病原体感染に対する保護が与えられる、植物成長に利益を与えることまたは感受性植物において病原体感染に対する保護を与えることの１つまたは両方のための方法。
【０３２０】
（付記３８）
前記植物の成長利益は、改善された苗の活力、改善された根の発達、改善された植物成長、改善された植物の健康、増加した収量、改善された外観、植物病原体に対する改善された耐性、病原体感染の減少、またはそれらの組み合わせにより示される、付記３７の方法。
【０３２１】
（付記３９）
前記バチルス・アミロリケファシエンスＲＴＩ４７２は、約１．０×１０２ＣＦＵ／種子〜約１．０×１０９ＣＦＵ／種子の量で胞子の形態に存在する、付記３７の方法。
【０３２２】
（付記４０）
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビ、またはテンサイを含む、付記３７の方法。
【０３２３】
（付記４１）
前記植物は、大豆、豆、スナップ豆、小麦、綿、コーン、ペッパー、トマト、ジャガイモ、キャッサバ、ブドウ、イチゴ、バナナ、ピーナッツ、スカッシュ、カボチャ、ナス、またはキュウリを含む、付記３９の方法。
【０３２４】
（付記４２）
前記病原体感染は、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属種（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、���ンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・マイディス（Helminthosporium maydis）、ヘルミントスポリウム・ソラニ（Helminthosporium solai）またはヘルミントスポリウム・トリチシ−レペンチス（Helminthosporium tritici-repentis）、またはこれらの組み合わせによって引き起こされる、付記３７の方法。
【０３２５】
（付記４３）
前記組成物は、植物成長に利益を与え、および／または感受性植物において病原体感染に対する保護を与えるのに適した量で存在する、微生物学的、生物学的もしくは化学的な、殺虫剤、殺真菌剤、殺線虫剤、殺細菌剤、または植物成長調整剤の１つまたは組み合わせをさらに含む、付記３７の方法。
【０３２６】
（付記４４）
前記植物成長に利益を与え、および／または感受性植物において病原体感染に対する保護を与えるのに適した量でＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物の胞子を含む第１組成物；ならびに、
前記植物成長に利益を与え、および／または感受性植物において病原体感染に対する保護を与えるのに適した量で微生物学的、生物学的もしくは化学的な、殺虫剤、殺真菌剤、殺線虫剤、殺細菌剤、除草剤、植物抽出物、植物成長調整剤または肥料の１つまたは組み合わせを含む第２組成物、
の組み合わせを、
植物の葉、植物の樹皮、植物の果実、植物の花、植物の種子、植物の根、植物の切断片、植物の移植片、植物のカルス組織、植物の周囲の土壌または成長培地、植物の種子を播種する前の土壌もしくは成長培地、または植物、植物切断片、植物移植片、植物カルス組織を植える前の土壌もしくは生育培地に送達することを含む、植物成長に利益を与えることまたは感受性植物において病原体感染に対する保護を与えることの１つまたは両方のための方法。
【０３２７】
（付記４５）
前記組み合わせが、前記植物の葉に送達される、付記４４の方法。
【０３２８】
（付記４６）
前記第１組成物は、担体、界面活性剤、分散剤、または酵母抽出物の１つまたは組合せを含む、付記４４の方法。
【０３２９】
（付記４７）
前記植物の成長利益および／または付与された保護は、改善された苗の活力、改善された根の発達、改善された植物健康、増加した植物質量、増加した収量、改善された外観、植物病原体に対する改善された耐性、病原体感染の減少、またはそれらの組み合わせにより示される、付記４４の方法。
【０３３０】
（付記４８）
前記植物成長に利益を与え、および／または保護を与えるのに適した量は、約１．０×１０１０ＣＦＵ／ｈａ〜約１．０×１０１４ＣＦＵ／ｈａのバチルス・アミロリケファシエンスＲＴＩ４７２である、付記４４の方法。
【０３３１】
（付記４９）
前記バチルス・アミロリケファシエンスＲＴＩ４７２は、胞子または栄養細胞の形態である、付記４４の方法。
【０３３２】
（付記５０）
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビ、またはテンサイを含む、付記４４の方法。
【０３３３】
（付記５１）
前記植物は、大豆、豆、スナップ豆、小麦、綿、コーン、ペッパー、トマト、ジャガイモ、キャッサバ、ブドウ、イチゴ、バナナ、ピーナッツ、スカッシュ、カボチャ、ナス、またはキュウリを含む、付記５０の方法。
【０３３４】
（付記５２）
前記病原体感染は、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属種（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、���ンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・マイディス（Helminthosporium maydis）、ヘルミントスポリウム・ソラニ（Helminthosporium solai）またはヘルミントスポリウム・トリチシ−レペンチス（Helminthosporium tritici-repentis）、またはこれらの組み合わせによって引き起こされる、付記５０の方法。
【０３３５】
（付記５３）
前記病原体感染は、
大豆さび菌（ファコプソラ・パキリジ、ファコプソラ・メイボミエ）によって引き起こされ、前記植物は大豆を含む、
ボトリチス・シネレア（ボトリチス病害）によって引き起こされ、前記植物はブドウを含む、
ボトリチス・シネレア（ボトリチス病害）によって引き起こされ、前記植物はイチゴを含む、
アルテルナリア属種（例えば、Ａ．ソラニ）によって引き起こされ、前記植物はトマトを含む、
アルテルナリア属種（例えば、Ａ．ソラニ）によって引き起こされ、前記植物はジャガイモを含む、
豆さび（ウロマイセス・アペンディキュラタス）によって引き起こされ、前記植物は一般的な豆を含む、
ミクロスファエラ・ディフサ（大豆うどんこ病）によって引き起こされ、前記植物は大豆を含む、
マイコスフェレラ・フィジエンシス（ブラックシガトガ（Ｂｌａｃｋ  ｓｉｇａｔｏｇａ））またはフザリウム・オキシスポラムｆ属種キューベンセ（パナマ病）によって引き起こされ、前記植物はバナナを含む、
キサントモナス属種またはキサントモナス・オリゼ・パソバー・オリゼによって引き起こされ、前記植物は米を含む、
キサントモナス・アクソノポディスによって引き起こされ、前記植物はキャッサバを含む、
キサントモナス・カンペストリスによって引き起こされ、前記植物はトマトを含む、
ボトリチス・シネレア（ペッパー・ボトリチス病害）によって引き起こされ、前記植物はペッパーを含む、
うどんこ病によって引き起こされ、前記植物はククルビットを含む、
スクレロチニア・スクレロチオラム（白かび）によって引き起こされ、前記植物はスナップ豆を含む、
スクレロチニア・スクレロチオラム（白かび）によって引き起こされ、前記植物はジャガイモを含む、
スクレロチニア・ホメオカルパ（ドラースポット）によって引き起こされ、前記植物は芝草を含む、
サザン白かびによって引き起こされ、前記植物はピーナツを含む、
リーフ・スポット（セルコスポラ／セルコスポリディウム）によって引き起こされ、前記植物はピーナツを含む、
フザリウム・グラミネアラム（小麦頭部腐敗病）によって引き起こされ、前記植物は小麦を含む、
マイコスフェレラ・グラミノコラ（セプトリア・トリチシ・ブロッチ（Ｓｅｐｔｏｒｉａ  ｔｒｉｔｉｃｉ  ｂｌｏｔｃｈ））によって引き起こされ、前記植物は小麦を含む、
スタゴノスポラ・ノドラム（グルメ・ブロッチ（ｇｌｕｍｅ  ｂｌｏｔｃｈ）およびセプトリア・ノドラム・ブロッチ（ｓｅｐｔｏｒｉａ  ｎｏｄｏｒｕｍ  ｂｌｏｔｃｈ））によって引き起こされ、前記植物は小麦を含む、
エルウィニア・アミロボラによって引き起こされ、前記植物は、リンゴ、ナシおよび他のナシ果実を含む、
ベンチュリア・イネキュアリスによって引き起こされ、前記植物はリンゴ、ナシおよび他のナシ果実を含む、または、
リゾクトニア・ソラニによって引き起こされ、前記植物は、小麦、米、芝草、大豆、コーン、マメ科植物および野菜作物を含む、
場合の１つまたは組み合わせにより引き起こされる、付記５２の方法。
【０３３６】
（付記５４）
前記植物成長に利益を与え、および／または感受性植物において病原体感染に対する保護を与えるのに適した量で、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物、ならびに、
前記植物成長に利益を与え、および／または感受性植物において病原体感染に対する保護を与えるのに適した量で微生物学的、生物学的もしくは化学的な、殺虫剤、殺真菌剤、殺線虫剤、殺細菌剤、除草剤、植物抽出物、植物成長調整剤または肥料の１つまたは組み合わせ、
を含む組成物を、
植物の葉、植物の樹皮、植物の果実、植物の花、植物の種子、植物の根、植物の切断片、植物の移植片、植物のカルス組織、植物の周囲の土壌または成長培地、植物の種子を播種する前の土壌もしくは成長培地、または植物、植物切断片、植物移植片、植物カルス組織を植える前の土壌もしくは生育培地に送達することを含む、植物成長に利益を与えることまたは感受性植物において病原体感染に対する保護を与えることの１つまたは両方のための方法。
【０３３７】
（付記５５）
前記組成物が前記植物の葉に送達される、付記５４の方法。
【０３３８】
（付記５６）
前記植物の成長利益および／または病原体感染に対する付与された保護は、改善された苗の活力、改善された根の発達、改善された植物健康、増加した植物質量、増加した収量、改善された外観、植物病原体に対する改善された耐性、病原体感染の減少、またはそれらの組み合わせにより示される、付記５４の方法。
【０３３９】
（付記５７）
前記バチルス・アミロリケファシエンスＲＴＩ４７２は、胞子または栄養細胞の形態である、付記５４の方法。
【０３４０】
（付記５８）
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビ、またはテンサイを含む、付記５４の方法。
【０３４１】
（付記５９）
前記植物は、大豆、豆、スナップ豆、小麦、綿、コーン、ペッパー、トマト、ジャガイモ、キャッサバ、ブドウ、イチゴ、バナナ、ピーナッツ、スカッシュ、カボチャ、ナス、またはキュウリを含む、付記５４の方法。
【０３４２】
（付記６０）
前記病原体感染は、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属種（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、���ンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・マイディス（Helminthosporium maydis）、ヘルミントスポリウム・ソラニ（Helminthosporium solai）またはヘルミントスポリウム・トリチシ−レペンチス（Helminthosporium tritici-repentis）、またはこれらの組み合わせによって引き起こされる、付記５４の方法。
【０３４３】
（付記６１）
前記病原体感染は、
大豆さび菌（ファコプソラ・パキリジ、ファコプソラ・メイボミエ）によって引き起こされ、前記植物は大豆を含む、
ボトリチス・シネレア（ボトリチス病害）によって引き起こされ、前記植物はブドウを含む、
ボトリチス・シネレア（ボトリチス病害）によって引き起こされ、前記植物はイチゴを含む、
アルテルナリア属種（例えば、Ａ．ソラニ）によって引き起こされ、前記植物はトマトを含む、
アルテルナリア属種（例えば、Ａ．ソラニ）によって引き起こされ、前記植物はジャガイモを含む、
豆さび（ウロマイセス・アペンディキュラタス）によって引き起こされ、前記植物は一般的な豆を含む、
ミクロスファエラ・ディフサ（大豆うどんこ病）によって引き起こされ、前記植物は大豆を含む、
マイコスフェレラ・フィジエンシス（ブラックシガトガ（Ｂｌａｃｋ  ｓｉｇａｔｏｇａ））またはフザリウム・オキシスポラムｆ属種キューベンセ（パナマ病）によって引き起こされ、前記植物はバナナを含む、
キサントモナス属種またはキサントモナス・オリゼ・パソバー・オリゼによって引き起こされ、前記植物は米を含む、
キサントモナス・アクソノポディスによって引き起こされ、前記植物はキャッサバを含む、
キサントモナス・カンペストリスによって引き起こされ、前記植物はトマトを含む、
ボトリチス・シネレア（ペッパー・ボトリチス病害）によって引き起こされ、前記植物はペッパーを含む、
うどんこ病によって引き起こされ、前記植物はククルビットを含む、
スクレロチニア・スクレロチオラム（白かび）によって引き起こされ、前記植物はスナップ豆を含む、
スクレロチニア・スクレロチオラム（白かび）によって引き起こされ、前記植物はジャガイモを含む、
スクレロチニア・ホメオカルパ（ドラースポット）によって引き起こされ、前記植物は芝草を含む、
サザン白かびによって引き起こされ、前記植物はピーナツを含む、
リーフ・スポット（セルコスポラ／セルコスポリディウム）によって引き起こされ、前記植物はピーナツを含む、
フザリウム・グラミネアラム（小麦頭部腐敗病）によって引き起こされ、前記植物は小麦を含む、
マイコスフェレラ・グラミノコラ（セプトリア・トリチシ・ブロッチ（Ｓｅｐｔｏｒｉａ  ｔｒｉｔｉｃｉ  ｂｌｏｔｃｈ））によって引き起こされ、前記植物は小麦を含む、
スタゴノスポラ・ノドラム（グルメ・ブロッチ（ｇｌｕｍｅ  ｂｌｏｔｃｈ）およびセプトリア・ノドラム・ブロッチ（ｓｅｐｔｏｒｉａ  ｎｏｄｏｒｕｍ  ｂｌｏｔｃｈ））によって引き起こされ、前記植物は小麦を含む、
エルウィニア・アミロボラによって引き起こされ、前記植物は、リンゴ、ナシおよび他のナシ果実を含む、
ベンチュリア・イネキュアリスによって引き起こされ、前記植物はリンゴ、ナシおよび他のナシ果実を含む、または、
リゾクトニア・ソラニによって引き起こされ、前記植物は、小麦、米、芝草、大豆、コーン、マメ科植物および野菜作物を含む、
の場合の１つまたは組み合わせにより引き起こされる、付記６０の方法。
【０３４４】
（付記６２）
植物成長に利益を与え、および／または病原体感染に対して保護を与えるのに適した量は、約１．０×１０１０ＣＦＵ／ｈａ〜約１．０×１０１４ＣＦＵ／ｈａのバチルス・アミロリケファシエンスＲＴＩ４７２である、付記５４の方法。
【０３４５】
（付記６３）
感受性植物において病原体感染に対する保護を与える適切な量の単離されたフェンギシン−ＭＡ化合物、単離されたフェンギシンＭＢ化合物、単離されたフェンギシンＭＣ化合物、単離されたデヒドロキシフェンギシンＭＡ化合物、単離されたデヒドロキシフェンギシンＭＢ化合物、単離されたフェンギシンＨ化合物、単離されたフェンギシンＩ化合物、および単離されたデヒドロキシフェンギシンＩ化合物のうちの少なくとも１つを含む組成物であって、該組成物は以下の式を含み、
【化３】
2018508472.tif 000023
式中、ＲはＯＨであり、ｎは８から２０までの範囲であり、ＦＡは直鎖状、イソ、またはアンテイソであり、ならびにフェンギシンＭＡについてＸ１はＡｌａであり、Ｘ２はＴｈｒであり、およびＸ３はＭｅｔであり；フェンギシンＭＢについてＸ１はＶａｌであり、Ｘ２はＴｈｒであり、およびＸ３はＭｅｔであり；フェンギシンＭＣについてＸ１はＡｂａであり、Ｘ２はＴｈｒであり、およびＸ３はＭｅｔであり；フェンギシンＨについてＸ１はＶａｌであり、Ｘ２はＴｈｒであり、およびＸ３はＨｃｙであり；ならびにフェンギシンＩについてＸ１はＩｌｅであり、Ｘ２はＴｈｒであり、およびＸ３はＩｌｅであり；ならびに、
式中、ＲはＨであり、ｎは８から２０までの範囲であり、ＦＡは直鎖状、イソ、またはアンテイソであり、ならびにデヒドロキシフェンギシンＭＡについてＸ１はＡｌａであり、Ｘ２はＴｈｒであり、およびＸ３はＭｅｔであり；デヒドロキシフェンギシンＭＢについてＸ１はＶａｌであり、Ｘ２はＴｈｒであり、およびＸ３はＭｅｔであり；ならびにデヒドロキシフェンギシンＩについてＸ１はＩｌｅであり、Ｘ２はＴｈｒであり、およびＸ３はＩｌｅである、
組成物。
【０３４６】
（付記６４）
前記植物成長に利益を与え、および／または感受性植物において病原体感染に対する保護を与えるのに適した量で存在する、微生物学的、生物学的もしくは化学的な、殺虫剤、殺真菌剤、殺線虫剤、殺細菌剤、除草剤、植物抽出物、植物成長調整剤または肥料の１つまたは組み合わせをさらに含む、付記６３の組成物。
【０３４７】
（付記６５）
前記殺真菌剤が、フルオピラム＋テブコナゾール、クロロタロニル、チオファネート−メチル、プロチオコナゾール、および水酸化銅からなる群から選択される、付記６４の組成物。
【０３４８】
（付記６６）
前記組成物は、液体、粉剤、乾燥水和性粉末剤、展延性顆粒剤、または乾燥水和性顆粒剤の形態である、付記６３の組成物。
【０３４９】
（付記６７）
感受性植物において病原体感染に対する保護を与えるのに適切な量で、３３４１．６Ｄａに等しい分子量を有する単離されたエリシンＳ化合物、および２９８５．４Ｄａに等しい分子量を有する単離されたエリシンＡ化合物の１つまたは両方を含む、組成物。
【０３５０】
（付記６８）
前記植物成長に利益を与え、および／または感受性植物において病原体感染に対する保護を与えるのに適した量で存在する、微生物学的、生物学的もしくは化学的な、殺虫剤、殺真菌剤、殺線虫剤、殺細菌剤、除草剤、植物抽出物、植物成長調整剤または肥料の１つまたは組み合わせをさらに含む、付記６７の組成物。
【０３５１】
（付記６９）
前記殺真菌剤は、ベンゾビンジフルピル、アンチペロノスポリック（anitiperonosporic）、アメトクトラジン、アミスルブロム、水酸化銅、酸塩化銅、硫酸銅、過硫酸銅を含む銅塩、ボスカリド、チフルザミド（thiflumazide）、フルチアニル、フララキシル、チアベンダゾール、ベノダニル、メプロニル、イソフェタミド、フェンフラム、ビキサフェン（bixafen）、フルキサピロキサド、ペンフルフェン、セダキサン、クモキシストロビン、エノキサストロビン、フルフェノキシストロビン、ピラオキシストロビン、ピラメトストロビン、トリクロピリカルブ（triclopyricarb）、フェナミンストロビン、メトミノストロビン、ピリベンカルブ、メプチルジノカップ（meptyldinocap）、酢酸フェンチン、塩化フェンチン、水酸化フェンチン、オキシテトラシクリン、クロゾリネート（chlozolinate）、クロロネブ、テクナゼン、エトリジアゾール、ヨードカルブ、プロチオカルブ、バチルス・サブチリス・シノニム、ＱＳＴ  ７１３、ＦＺＢ２４、ＭＢＩ６００、Ｄ７４７株を含むバチルス・アミロリクエファシエンス、メラレウカ・アルテルニフォリア（Melaleuca alternifolia）抽出物、ピリソキサゾール（pyrisoxazole）、オキスポコナゾール、エタコナゾール（etaconazole）、フェンピラザミン、ナフチフィン、テルビナフィン、バリダマイシン、ピリモルフ、バリフェナレート、フタリド、プロベナゾール、イソチアニル、ラミナリン、レイノウトリア・サチャリネンシス（Reynoutria sachalinensis）抽出物、亜リン酸及び塩、テクロフタラム（teclofthalam）、トリアゾキシド（triazoxide）、ピリオフェノン、有機油、炭酸水素カリウム、クロロタロニル、フルオロイミド；ビテルタノール、ブロムコナゾール、シプロコナゾール、ジフェノコナゾール、ジニコナゾール、エニルコナゾール、エポキシコナゾール、フルキンコナゾール、フェンブコナゾール、フルシラゾール、フルトリアホール、ヘキサコナゾール、イミベンコナゾール、イプコナゾール、メトコナゾール、ミクロブタニル、ペンコナゾール、プロピコナゾール、プロチオコナゾール、シメコナゾール、トリアジメホン、トリアジメノール、テブコナゾール、テトラコナゾール、トリチコナゾール、プロクロラズ、ペフラゾエート、イマザリル、トリフルミゾール、シアゾファミド、ベノミル、カルベンダジム、チアベンダゾール、フベリダゾール、エタボキサム、エトリジアゾール、ヒメキサゾール、アザコナゾール、ジニコナゾール−Ｍ、オキスポコナゾール、パクロブトラゾール、ウニコナゾール、１−（４−クロロフェニル）−２−（［１，２，４］トリアゾール−１−イル）−シクロヘプタノール及びイマザリルスルフェートを含むアゾール；アゾキシストロビン、ジモキシストロビン、エネストロブリン、フルオキサストロビン、クレソキシム−メチル、メトミノストロビン、オリサストロビン、ピコキシストロビン、ピラクロストロビン、トリフロキシストロビン、エネストロブリン、メチル（２−クロロ−５−［１−（３−メチルベンジルオキシイミノ）エチル］ベンジル）カルバメート、メチル（２−クロロ−５−［１−（６−メチルピリジン−２−イルメトキシイミノ）エチル］ベンジル）カルバメート、メチル２−（オルト−（２，５−ジメチルフェニルオキシメチレン）−フェニル）−３−メトキシアクリレート、２−（２−（６−（３−クロロ−２−メチル−フェノキシ）−５−フルオロ−ピリミジン−４−イルオキシ）−フェニル）−２−メトキシイミノ−Ｎ−メチル−アセトアミド及び３−メトキシ−２−（２−（Ｎ−（４−メトキシ−フェニル）−シクロプロパンカルボキシイミドイルスルファニルメチル）−フェニル）−アクリル酸メチルエステルを含むストロビルリン；カルボキシン、ベナラキシル、ベナラキシル−Ｍ、フェンヘキサミド、フルトラニル、フラメトピル、メプロニル、メタラキシル、メフェノキサム、オフレース、オキサジキシル、オキシカルボキシン、ペンチオピラド、イソピラザム、チフルザミド、チアジニル、３，４−ジクロロ−Ｎ−（２−シアノフェニル）イソチアゾール−５−カルボキサミド、ジメトモルフ、フルモルフ、フルメトベル、フルオピコリド（ピコベンズアミド）、ゾキサミド、カルプロパミド、ジクロシメット、マンジプロパミド、Ｎ−（２−（４−［３−（４−クロロフェニル）プロパ−２−インイルオキシ］−３−メトキシフェニル）エチル）−２−メタンスルホニル−アミノ−３−メチルブチルアミド、Ｎ−（２−（４−［３−（４−クロロフェニル）プロパ−２−インイルオキシ］−３−メトキシ−フェニル）エチル）−２−エタンスルホニルアミノ−３−メチルブチルアミド、メチル３−（４−クロロフェニル）−３−（２−イソプロポキシカルボニル−アミノ−３−メチル−ブチリルアミノ）プロピオネート、Ｎ−（４’−ブロモビフェニル−２−イル）−４−ジフルオロメチル−メチルチアゾール−δ−カルボキサミド、Ｎ−（４’−トリフルオロメチル−ビフェニル−２−イル）−４−ジフルオロメチル−２−メチルチアゾール−５−カルボキサミド、Ｎ−（４’−クロロ−３’−フルオロビフェニル−２−イル）−４−ジフルオロメチル−２−メチル−チアゾール−５−カルボキサミド、Ｎ−（３，４’−ジクロロ−４−フルオロビフェニル−２−イル）−３−ジフルオロ−メチル−１−メチルピラゾール−４−カルボキサミド、Ｎ−（３’，４’−ジクロロ−５−フルオロビフェニル−２−イル）−３−ジフルオロメチル−１−メチルピラゾール−４−カルボキサミド、Ｎ−（２−シアノ−フェニル）−３，４−ジクロロイソチアゾール−５−カルボキサミド、２−アミノ−４−メチル−チアゾール−５−カルボキシアニリド、２−クロロ−Ｎ−（１，１，３−トリメチル−インダン−４−イル）−ニコチンアミド、Ｎ−（２−（１，３−ジメチルブチル）−フェニル）−１，３−ジメチル−５−フルオロ−１Ｈ−ピラゾール−４−カルボキサミド、Ｎ−（４’−クロロ−３’，５−ジフルオロ−ビフェニル−２−イル）−３−ジフルオロメチル−１−メチル−１Ｈ−ピラゾール−４−カルボキサミド、Ｎ−（４’−クロロ−３’，５−ジフルオロ−ビフェニル−２−イル）−３−トリフルオロメチル−１−メチル−１Ｈ−ピラゾール−４−カルボキサミド、Ｎ−（３’，４’−ジクロロ−５−フルオロ−ビフェニル−２−イル）−３−トリフルオロメチル−１−メチル−１Ｈ−ピラゾール−４−カルボキサミド、Ｎ−（３’，５−ジフルオロ−４’−メチル−ビフェニル−２−イル）−３−ジフルオロメチル−１−メチル−１Ｈ−���ラゾール−４−カルボキサミド、Ｎ−（３’，５−ジフルオロ−４’−メチル−ビフェニル−２−イル）−３−トリフルオロメチル−１−メチル−１Ｈ−ピラゾール−４−カルボキサミド、Ｎ−（シス−２−ビシクロプロピル−２−イル−フェニル）−３−ジフルオロメチル−１−メチル−１Ｈ−ピラゾール−４−カルボキサミド、Ｎ−（トランス−２−ビシクロプロピル−２−イル−フェニル）−３−ジフルオロ−メチル−１−メチル−１Ｈ−ピラゾール−４−カルボキサミド、フルオピラム、Ｎ−（３−エチル−３，５−５−トリメチル−シクロヘキシル）−３−ホルミルアミノ−２−ヒドロキシ−ベンズアミド、
オキシテトラサイクリン、シルチオファム、Ｎ−（６−メトキシ−ピリジン−３−イル）シクロプロパンカルボキサミド、２−ヨード−Ｎ−フェニル−ベンズアミド、Ｎ−（２−ビシクロ−プロピル−２−イル−フェニル）−３−ジフルオロメチル−１−メチルピラゾール−４−イルカルボキサミド、Ｎ−（３’，４’，５’−トリフルオロビフェニル−２−イル）−１，３−ジメチルピラゾール−４−イルカルボキサミド、Ｎ−（３’，４’，５’−トリフルオロビフェニル−２−イル）−１，３−ジメチル−５−フルオロピラゾール−４−イルカルボキサミド、Ｎ−（３’，４’，５’−トリフルオロビフェニル−２−イル）−５−クロロ−１，３−ジメチル−ピラゾール−４−イルカルボキサミド、Ｎ−（３’，４’，５’−トリフルオロビフェニル−２−イル）−３−フルオロメチル−１−メチルピラゾール−４−イルカルボキサミド、Ｎ−（３’，４’，５’−トリフルオロビフェニル−２−イル）−３−（クロロフルオロメチル）−１−メチルピラゾール−４−イルカルボキサミド、Ｎ−（３’，４’，５’−トリフルオロビフェニル−２−イル）−３−ジフルオロメチル−１−メチルピラゾール−４−イルカルボキサミド、Ｎ−（３’，４’，５’−トリフルオロビフェニル−２−イル）−３−ジフルオロメチル−５−フルオロ−１−メチルピラゾール−４−イルカルボキサミド、Ｎ−（３’，４’，５’−トリフルオロビフェニル−２−イル）−５−クロロ−３−ジフルオロメチル−１−メチルピラゾール−４−イルカルボキサミド、Ｎ−（３’，４’，５’−トリフルオロビフェニル−２−イル）−３−（クロロジフルオロメチル）−１−メチルピラゾール−４−イルカルボキサミド、Ｎ−（３’，４’，５’−トリフルオロビフェニル−２−イル）−１−メチル−３−トリフルオロメチルピラゾール−４−イルカルボキサミド、Ｎ−（３’，４’，５’−トリフルオロビフェニル−２−イル）−５−フルオロ−１−メチル−３−トリフルオロメチルピラゾール−４−イルカルボキサミド、Ｎ−（３’，４’，５’−トリフルオロビフェニル−２−イル）−５−クロロ−１−メチル−３−トリフルオロメチルピラゾール−４−イルカルボキサミド、Ｎ−（２’，４’，５’−トリフルオロビフェニル−２−イル）−１，３−ジメチルピラゾール−４−イルカルボキサミド、Ｎ−（２’，４’，５’−トリフルオロビフェニル−２−イル）−１，３−ジメチル−５−フルオロピラゾール−４−イルカルボキサミド、Ｎ−（２’，４’，５’−トリフルオロビフェニル−２−イル）−５−クロロ−１，３−ジメチルピラゾール−４−イルカルボキサミド、Ｎ−（２’，４’，５’−トリフルオロビフェニル−２−イル）−３−フルオロメチル−１−メチルピラゾール−４−イルカルボキサミド、Ｎ−（２’，４’，５’−トリフルオロビフェニル−２−イル）−３−（クロロフルオロメチル）−１−メチルピラゾール−４−イルカルボキサミド、Ｎ−（２’，４’，５’−トリフルオロビフェニル−２−イル）−３−ジフルオロメチル−１−メチルピラゾール−４−イルカルボキサミド、Ｎ−（２’，４’，５’−トリフルオロビフェニル−２−イル）−３−ジフルオロメチル−５−フルオロ−１−メチルピラゾール−４−イルカルボキサミド、Ｎ−（２’，４’，５’−トリフルオロビフェニル−２−イル）−５−クロロ−３−ジフルオロメチル−１−メチルピラゾール−４−イルカルボキサミド、Ｎ−（２’，４’，５’−トリフルオロビフェニル−２−イル）−３−（クロロジフルオロメチル）−１−メチルピラゾール−４−イルカルボキサミド、Ｎ−（２’，４’，５’−トリフルオロビフェニル−２−イル）−１−メチル−３−トリフルオロメチルピラゾール−４−イルカルボキサミド、Ｎ−（２’，４’，５’−トリフルオロビフェニル−２−イル）−５−フルオロ−１−メチル−３−トリフルオロメチルピラゾール−４−イルカルボキサミド、Ｎ−（２’，４’，５’−トリフルオロビフェニル−２−イル）−５−クロロ−１−メチル−３−トリフルオロメチルピラゾール−４−イルカルボキサミド、Ｎ−（３’，４’−ジクロロ−３−フルオロビフェニル−２−イル）−１−メチル−３−トリフルオロメチル−１Ｈ−ピラゾール−４−カルボキサミド、Ｎ−（３’，４’−ジクロロ−３−フルオロビフェニル−２−イル）−１−メチル−３−ジフルオロメチル−１Ｈ−ピラゾール−４−カルボキサミド、Ｎ−（３’，４’−ジフルオロ−３−フルオロビフェニル−２−イル）−１−メチル−３−トリフルオロメチル−１Ｈ−ピラゾール−４−カルボキサミド、Ｎ−（３’，４’−ジフルオロ−３−フルオロビフェニル−２−イル）−１−メチル−Ｓ−ジフルオロメチル−１Ｈ−ピラゾール−４−カルボキサミド、Ｎ−（３’−クロロ−４’−フルオロ−３−フルオロビフェニル−２−イル）−１−メチル−３−ジフルオロメチル−１Ｈ−ピラゾール−４−カルボキサミド、Ｎ−（３’，４’−ジクロロ−４−フルオロビフェニル−２−イル）−１−メチル−３−トリフルオロメチル−１Ｈ−ピラゾール−４−カルボキサミド、Ｎ−（３’，４’−ジフルオロ−４−フルオロビフェニル−２−イル）−１−メチル−Ｓ−トリフルオロメチル−１Ｈ−ピラゾール−４−カルボキサミド、Ｎ−（３’，４’−ジクロロ−４−フルオロビフェニル−２−イル）−１−メチル−３−ジフルオロメチル−１Ｈ−ピラゾール−４−カルボキサミド、Ｎ−（３’，４’−ジフルオロ−４−フルオロビフェニル−２−イル）−１−メチル−３−ジフルオロメチル−１Ｈ−ピラゾール−４−カルボキサミド、Ｎ−（３’−クロロ−４’−フルオロ−４−フルオロビフェニル−２−イル）−１−メチル−Ｓ−ジフルオロメチル−１Ｈ−ピラゾール−４−カルボキサミド、Ｎ−（３’，４’−ジクロロ−５−フルオロビフェニル−２−イル）−１−メチル−３−トリフルオロメチル−１Ｈ−ピラゾール−４−カルボキサミド、Ｎ−（３’，４’−ジフルオロ−５−フルオロビフェニル−２−イル）−１−メチル−３−トリフルオロメチル−１Ｈ−ピラゾール−４−カルボキサミド、Ｎ−（３’，４’−ジクロロ−５−フルオロビフェニル−２−イル）−１−メチル−Ｓ−ジフルオロメチル−１Ｈ−ピラゾール−４−カルボキサミド、Ｎ−（３’，４−ジフルオロ−５−フルオロビフェニル−２−イル）−１−メチル−３−ジフルオロメチル−１Ｈ−ピラゾール−４−カルボキサミド、Ｎ−（３’，４’−ジクロロ−５−フルオロビフェニル−２−イル）−１，３−ジメチル−１Ｈ−ピラゾール−４−カルボキサミド、Ｎ−（３’−クロロ−４’−フルオロ−５−フルオロビフェニル−２−イル）−１−メチル−３−ジフルオロメチル−１Ｈ−ピラゾール−４−カルボキサミド、Ｎ−（４’−フルオロ−４−フルオロビフェニル−２−イル）−１−メチル−３−トリフルオロメチル−１Ｈ−ピラゾール−４−カルボキサミド、Ｎ−（４’−フルオロ−５−フルオロビフェニル−２−イル）−１−メチル−３−トリフルオロメチル−１Ｈ−ピラゾール−４−カルボキサミド、Ｎ−（４’−クロロ−５−フルオロビフェニル−２−イル）−１−メチル−３−トリフルオロメチル−１Ｈ−ピラゾール−４−カルボキサミド、Ｎ−（４’−メチル−５−フルオロビフェニル−２−イル）−１−メチル−３−トリフルオロメチル−１Ｈ−ピラゾール−４−カルボキサミド、Ｎ−（４’−フルオロ−５−フルオロビフェニル−２−イル）−１，３−ジメチル−１Ｈ−ピラゾール−４−カルボキサミド、Ｎ−（４’−クロロ−５−フルオロビフェニル−２−イル）−１，３−ジメチル−１Ｈ−ピラゾール−４−カルボキサミド、Ｎ−（４’−メチル−５−フルオロビフェニル−２−イル）−１，３−ジメチル−１Ｈ−ピラゾール−４−カルボキサミド、Ｎ−（４’−フルオロ−６−フルオロビフェニル−２−イル）−１−メチル−３−トリフルオロメチル−１Ｈ−ピラゾール−４−カルボキサミド、Ｎ−（４’−クロロ−６−フルオロビフェニル−２−イル）−１−メチル−３−トリフルオロメチル−１Ｈ−ピラゾール−４−カルボキサミド、Ｎ−［２−（１，１，２，３，３，３−ヘキサフルオロプロポキシ）−フェニル］−３−ジフルオロメチル−１−メチル−１Ｈ−ピラゾール−４−カルボキサミド、Ｎ−［４’−（トリフルオロメチルチオ）−ビフェニル−２−イル］−３−ジフルオロメチル−１−メチル−１Ｈ−ピラゾール−４−カルボキサミド及びＮ−［４’−（トリフルオロメチルチオ）−ビフェニル−２−イル］−１−メチル−３−トリフルオロメチル−ｌ−メチル−１Ｈ−ピラゾール−４−カルボキサミドを含むカルボキサミド；フルアジナム、ピリフェノックス、ブピリメート、シプロジニル、フェナリモル、フェリムゾン、メパニピリム、ヌアリモル、ピリメタニル、トリフォリン、フェンピクロニル、フルジオキソニル、アルジモルフ、ドデモルフ、フェンプロピモルフ、トリデモルフ、フェンプロピジン、イプロジオン、プロシミドン、ビンクロゾリン、ファモキサドン、フェンアミドン、オクチリノン、プロベン（ｐｒｏｂｅｎ）−アゾール、５−クロロ−７−（４−メチルピペリジン−１−イル）−６−（２，４，６−トリフルオロフェニル）−［１，２，４］トリアゾロ［１，５−ａ］ピリミジン、アニラジン、ジクロメジン、ピロキロン、プロキナジド、トリシクラゾール、２−ブトキシ−６−ヨード−３−プロピルクロメン−４−オン、アシベンゾラル−Ｓ−メチル、カプタホール、キャプタン、ダゾメット、ホルペット、フェノキサニル、キノキシフェン、Ｎ，Ｎ−ジメチル−３−（３−ブロモ−６−フルオロ−２−メチルインドール−１−スルホニル）−［１，２，４］トリアゾール−１−スルホンアミド、５−エチル−６−オクチル−［１，２，４］トリアゾロ［１，５−ａ］ピリミジン−２，７−ジアミン、２，３，５，６−テトラクロロ−４−メタンスルホニル−ピリジン、３，４，５−トリクロロピリジン−２，６−ジ−カルボニトリル、Ｎ−（１−（５−ブロモ−３−クロロ−ピリジン−２−イル）−エチル）−２，４−ジクロロニコチンアミド、Ｎ−（（５−ブロモ−３−クロロピリジン−２−イル）−メチル）−２，４−ジクロロ−ニコチンアミド、ジフルメトリム、ニトラピリン、ドデモルフアセテート、フルオロイミド、ブラストサイジン−Ｓ、キノメチオネート、デバカルブ、ジフェンゾクワット、ジフェンゾクワット−メチルスルフェート、オキソリン酸及びピペラリンを含む複素環式化合物；マンコゼブ、マネブ、メタム、メタスルホカルブ、メチラム、フェルバム、プロピネブ、チラム、ジネブ、ジラム、ジエトフェンカルブ、イプロバリカルブ、ベンチアバリカルブ、プロパモカルブ、プロパモカルブヒドロクロリド、４−フルオロフェニル−Ｎ−（１−（１−（４−シアノフェニル）−エタンスルホニル）ブト−２−イル）カルバメート、メチル−３−（４−クロロ−フェニル）−３−（２−イソプロキシカルボニルアミノ−３−メチル−ブチリルアミノ）プロパノエートを含むカルバメート；及びグアニジン、ドジン、ドジン遊離塩基、イミノクタジン、グアザチン、抗生物質：カスガマイシン、ストレプトマイシン、ポリオキシン、バリダマイシンＡ、ニトロフェニル誘導体：ビナパクリル、ジノカップ、ジノブトン、硫黄含有複素環式化合物：ジチアノン、イソプロチオラン、有機金属化合物：フェンチン塩、有機リン化合物：エジフェンホス、イプロベンホス、ホセチル、ホセチル−アルミニウム、亜リン酸及びその塩、ピラゾホス、トルクロホス−メチル、有機塩素化合物：ジクロフルアニド、フルスルファミド、ヘキサクロロ−ベンゼン、フタリド、ペンシクロン、キントゼン、チオファネート−メチル、トリルフルアニド、その他：シフルフェナミド、
シモキサニル、ジメチリモール、エチリモール、フララキシル、メトラフェノン及びスピロキサミン、グアザチン−アセテート、イミノクタジン−トリアセテート、イミノクタジン−トリス（アルベシレート）、カスガマイシンヒドロクロリド水和物、ジクロロフェン、ペンタクロロフェノール及びその塩、Ｎ−（４−クロロ−２−ニトロ−フェニル）−Ｎ−エチル−４−メチル−ベンゼンスルホンアミド、ジクロラン、ニトロタール−イソプロピル、テクナゼン、ビフェニル、ブロノポール、ジフェニルアミン、ミルジオマイシン、オキシン銅、プロヘキサジオンカルシウム、Ｎ−（シクロプロピルメトキシイミノ−（６−ジフルオロメトキシ−２，３−ジフルオロ−フェニル）−メチル）−２−フェニルアセトアミド、Ｎ’−（４−（４−クロロ−３−トリフルオロメチル−フェノキシ）−２，５−ジメチル−フェニル）−Ｎ−エチル−Ｎ−メチルホルムアミジン、Ｎ’−（４−（４−フルオロ−３−トリフルオロメチル−フェノキシ）−２，５−ジメチル−フェニル）−Ｎ−エチル−Ｎ−メチルホルムアミジン、Ｎ’−（２−メチル−５−トリフルオロメチル−４−（３−トリメチルシラニル−プロポキシ）−フェニル）−Ｎ−エチル−Ｎ−メチルホルムアミジン、並びに、Ｎ’−（５−ジフルオロメチル−２−メチル−４−（３−トリメチルシラニル−プロポキシ）−フェニル）−Ｎ−エチル−Ｎ−メチルホルムアミジンを含む他の殺真菌剤うちの１つ以上である、付記６８の組成物。
【０３５２】
（付記７０）
前記殺真菌剤が、フルオピラム＋テブコナゾール、クロロタロニル、チオファネート−メチル、プロチオコナゾール、および水酸化銅からなる群から選択される、付記６７の組成物。
【０３５３】
（付記７１）
前記組成物は、液体、粉剤、乾燥水和性粉末剤、展延性顆粒剤、または乾燥水和性顆粒剤の形態である、付記６７の組成物。
【０３５４】
（付記７２）
単離されたフェンギシンＭＡ化合物、単離されたフェンギシンＭＢ化合物、単離されたフェンギシンＭＣ化合物、単離されたデヒドロキシフェンギシンＭＡ化合物、単離されたデヒドロキシフェンギシンＭＢ化合物、単離されたフェンギシンＨ化合物、単離されたフェンギシンＩ化合物、および単離されたデヒドロキシフェンギシンＩ化合物のうちの少なくとも１つを含む、ＡＴＣＣ番号ＰＴＡ−１２１１６６として寄託されたバチルス・アミロリケファシエンスＲＴＩ４７２の生物学的に純粋な培養物の抽出物。
【０３５５】
（付記７３）
３３４１．６Ｄａに等しい分子量を有する単離されたエリシンＳ化合物、または２９８５．４Ｄａに等しい分子量を有する単離されたエリシンＡ化合物のうちの少なくとも１つを含む、バチルス・アミロリケファシエンスの生物学的に純粋な培養物の抽出物。
【０３５６】
（付記７４）
病原体感染から植物または果実を保護または処理するための方法であって、付記６３〜７３のいずれか１つの組成物または抽出物の有効量を前記植物もしくは果実に、もしくは根に、または前記植物の根の周囲の土壌に適用することを含む、方法。
【０３５７】
（付記７５）
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビ、またはテンサイを含む、付記７４の方法。
【０３５８】
（付記７６）
前記病原体感染は、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属種（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、���ンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・マイディス（Helminthosporium maydis）、ヘルミントスポリウム・ソラニ（Helminthosporium solai）またはヘルミントスポリウム・トリチシ−レペンチス（Helminthosporium tritici-repentis）、またはこれらの組み合わせによって引き起こされる、付記７４の方法。
【０３５９】
（付記７７）
第１組成物および第２組成物を変更された時間間隔で別々の適用において感受性植物に送達することであって、前記第１組成物および第２組成物のそれぞれは、前記植物における病原体感染に対する保護を与えるまたは病原体感染を減少させるのに適した量で送達される、当該送達することを含み、
前記第１組成物は、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物を含み、
前記第２組成物は、殺真菌特性または殺菌特性を有する１つ以上の化学活性剤を含み、
前記第１および第２組成物は、時間間隔を変えながら、植物の葉、植物の樹皮、植物の果実、植物の花、植物の種子、植物の根、植物の切断片、植物の移植片、植物のカルス組織、または植物の周囲の土壌もしくは成長培地、の１つまたは組み合わせに送達され、
病原体感染に対する保護および／または病原体感染を軽減するために必要な化学活性剤（１または複数）の総量が低減され、処理に対する耐性の蓄積が最小限に抑えられる、
処理に対する耐性の蓄積を最小限に抑えながら、感受性植物において病原体感染に対する保護を与えるまたは病原体感染を低減することによって、植物成長に利益を与える方法。
【０３６０】
（付記７８）
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、カンベリー（Ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、ブンタン、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）および鞘に入った豆（ｐｅａ））、インゲン豆（またはソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果類、リンゴ、クラブアップル、ナシ、マルメロ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガペ、草（Ｇｒａｓｓ）、芝草（Ｔｕｒｆ  ｇｒａｓｓ）、観葉植物、ポインセチア、広葉樹の伐採片（Ｈａｒｄｗｏｏｄ  ｃｕｔｔｉｎｇｓ）、クリ、オーク、カエデ、サトウキビ、またはテンサイを含む、付記７７の方法。
【０３６１】
（付記７９）
前記病原体感染は、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属種（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、���ンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・マイディス（Helminthosporium maydis）、ヘルミントスポリウム・ソラニ（Helminthosporium solai）またはヘルミントスポリウム・トリチシ−レペンチス（Helminthosporium tritici-repentis）、またはこれらの組み合わせによって引き起こされる、付記７７の方法。
【０３６２】
（付記８０）
前記変更された時間間隔は、５〜７日間隔である、付記７７の方法。
【０３６３】
（付記８１）
前記第１組成物および第２組成物のそれぞれは、植物の葉、植物の果実、または植物の花に送達される、付記７７の方法。
【０３６４】
（付記８２）
前記植物の病原体感染に対する保護を与え、または病原体感染を低減するのに適した量は、約１．０×１０１０ＣＦＵ／ｈａ〜約１．０×１０１４ＣＦＵ／ｈａのバチルス・アミロリケファシエンスＲＴＩ４７２である、付記７７の方法。
【０３６５】
（付記８３）
前記化学活性剤は、ストロビルリン、トリアゾール、フルトリアフォロール、テブコナゾール、プロチアコナゾール、エクスポキシコナゾール、フルオピラム、クロロタロニル、チオファネート−メチル、水酸化銅殺真菌剤、ＥＤＢＣ系殺真菌剤、マンコゼブ、サクシナーゼデヒドロゲナーゼ（ＳＤＨＩ）殺真菌剤、ビキサフェン、イプロジオン、ジメトモルフ、またはバリフェナレートの１つまたは組み合わせを含む、付記７７の方法。
【０３６６】
（付記８４）
前記化学活性剤は、フルオピラム＋テブコナゾールを含み、ＲＴＩ４７２を含む前記第１組成物の送達は、クロロタロニル殺真菌剤の送達を置き換える、付記８３の方法。
【０３６７】
（付記８５）
前記植物はククルビットを含み、前記病原体感染はうどんこ病によって引き起こされる、付記８３の方法。
【０３６８】
（付記８６）
前記化学活性剤は、チオファネート−メチル殺真菌剤を含み、ＲＴＩ４７２を含む前記第１組成物の送達は、プロチオコナゾール殺真菌剤の送達を置き換える、付記８３の方法。
【０３６９】
（付記８７）
前記化学活性剤は、水酸化銅菌剤を含み、ＲＴＩ４７２を含む前記第１組成物の送達は、クロロタロニル殺真菌剤の送達を置き換える、付記８３の方法。
【０３７０】
（付記８８）
前記第１組成物は、担体、界面活性剤、分散剤、または酵母抽出物の１つまたは組合せをさらに含む、付記８３の方法。
【０３７１】
（付記８９）
ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物、およびビフェントリン殺虫剤を含む、植物成長に利益を与える組成物。
【０３７２】
（付記９０）
前記組成物は、液体肥料と相溶性を有する製剤中にある、付記８９の組成物。
【０３７３】
（付記９１）
前記組成物は、水和ケイ酸アルミニウム−マグネシウムおよび少なくとも１つの分散剤をさらに含む、付記８９の組成物。
【０３７４】
（付記９２）
前記ビフェントリン殺虫剤は、０．１ｇ／ｍｌ〜０．２ｇ／ｍｌの範囲の濃度で存在する、付記８９の組成物。
【０３７５】
（付記９３）
前記ビフェントリン殺虫剤は、約０．１７１５ｇ／ｍｌの濃度で存在する、付記８９の組成物。
【０３７６】
（付記９４）
ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物、およびルピナス・アルブス抽出物、ＢＬＡＤポリペプチド、またはＢＬＡＤポリペプチドの断片の１つまたは組合せを含む殺真菌剤を含む、植物成長に利益を与えるための組成物。
【０３７７】
（付記９５）
前記組成物は、約２０％のＢＬＡＤポリペプチドまたはＢＬＡＤポリペプチドの断片を含む、付記９４の組成物。
【０３７８】
（付記９６）
ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物を含む第１成分、
微生物学的、生物学的もしくは化学的な、殺虫剤、殺真菌剤、殺線虫剤、殺細菌剤、除草剤、植物抽出物、植物成長調整剤または肥料の１つまたは組合せを含む第２成分、および、
植物の葉、植物の樹皮、植物の果実、植物の花、植物の種子、植物の根、植物の切断片、植物の移植片、植物のカルス組織、植物の周囲の土壌または成長培地、植物の種子を播種する前の土壌または成長培地、または植物、植物切断片、植物移植片、植物カルス組織を植える前の土壌もしくは生育培地に前記第１および第２組成物の組み合わせを、植物成長に利益を与える量で送達するための指示書を、
含み、
前記第１成分および第２成分は別々に包装され、各成分は、植物成長に利益を与えるまたは感受性植物において病原体感染に対する保護を与えることの１つまたは両方に適した量である、
製品。
【０３７９】
（付記９７）
前記殺虫剤は、ピレスロイド、ビフェントリン、テフルトリン、ゼータ−シペルメトリン、有機フォスフェート、クロレトキシフォス、クロルピリホス、テブピリムフォス、シフルトリン、フィプロール（ｆｉｐｒｏｌｅ）、フィプロニル、ニコチノイド、またはクロチアニジンの１つまたは組み合わせである、付記９６の製品。
【０３８０】
（付記９８）
前記第１組成物は、担体、界面活性剤、分散剤、または酵母抽出物の１つまたは組合せをさらに含む、付記９６の製品。
【０３８１】
（付記９９）
前記第１組成物および第２組成物のそれぞれは、液体、粉剤、展延性顆粒剤、乾燥水和性粉末剤または乾燥水和性顆粒剤の形態である、付記９６の製品。
【０３８２】
（付記１００）
前記第１組成物は液体の形態であり、バチルス・アミロリケファシエンスＲＴＩ４７２は、約１．０×１０８ＣＦＵ／ｍｌ〜約１．０×１０１２ＣＦＵ／ｍｌの濃度で存在する、付記９６の製品。
【０３８３】
（付記１０１）
前記第１組成物は、粉剤、乾燥水和性粉末剤、展延性顆粒剤、または乾燥水和性顆粒剤の形態であり、バチルス・アミロリケファシエンスＲＴＩ４７２は、約１．０×１０８ＣＦＵ／ｇ〜約１．０×１０１２ＣＦＵ／ｇの量で存在する、付記９６の製品。
【０３８４】
（付記１０２）
前記第１組成物は、油分散体の形態であり、バチルス・アミロリケファシエンスＲＴＩ４７２は、約１．０×１０８ＣＦＵ／ｍｌ〜約１．０×１０１２ＣＦＵ／ｍｌの濃度で存在する、付記９６の製品。
【０３８５】
（付記１０３）
植物の成長または植物の健康の１つまたは両方に有益な特性を有する１つ以上の微生物の生物学的に純粋な培養物、および植物成長に利益を与えるまたは感受性植物において病原体感染に対する保護を与えることの１つまたは両方のために植物に適用するための酵母抽出物、を含む組成物。
【０３８６】
（付記１０４）
担体、界面活性剤、または分散剤の１つまたは組合せをさらに含む、付記１０３の組成物。
【０３８７】
（付記１０５）
微生物学的、生物学的もしくは化学的な、殺虫剤、殺真菌剤、殺線虫剤、殺細菌剤、除草剤、植物抽出物、植物成長調整剤または肥料の１つまたは組合せをさらに含む、付記１０３の組成物。
【０３８８】
（付記１０６）
前記微生物は真菌種を含む、付記１０３の組成物。
【０３８９】
（付記１０７）
前記微生物は細菌種を含む、付記１０３の組成物。
【０３９０】
（付記１０８）
前記微生物は、バチルス属種微生物を含む、付記１０３の組成物。
【０３９１】
（付記１０９）
前記微生物は、バチルス・アミロリケファシエンスを含む、付記１０３の組成物。
【図１】
2018508472.tif 000025
【図２Ａ】
2018508472.tif 000026
【図２Ｂ】
2018508472.tif 000027
【図２Ｃ】
2018508472.tif 000028
【図３】
2018508472.tif 000029
【図４】
2018508472.tif 000030
【図５】
2018508472.tif 000031
【図６】
2018508472.tif 000032
【図７】
2018508472.tif 000033
【図８Ａ】
2018508472.tif 000034
【図８Ｂ】
2018508472.tif 000035
【図８Ｃ】
2018508472.tif 000036
【図８Ｄ】
2018508472.tif 000037
【図９Ａ】
2018508472.tif 000038
【図９Ｂ】
2018508472.tif 000039
【図９Ｃ】
2018508472.tif 000040
【図９Ｄ】
2018508472.tif 000041
【図１０Ａ】
2018508472.tif 000042
【図１０Ｂ】
2018508472.tif 000043
【図１０Ｃ】
2018508472.tif 000044
【図１０Ｄ】
2018508472.tif 000045
【図１１Ａ】
2018508472.tif 000046
【図１１Ｂ】
2018508472.tif 000047
【図１１Ｃ】
2018508472.tif 000048
【図１１Ｄ】
2018508472.tif 000049
【図１２Ａ】
2018508472.tif 000050
【図１２Ｂ】
2018508472.tif 000051
【図１２Ｃ】
2018508472.tif 000052
【図１２Ｄ】
2018508472.tif 000053
【図１３】
2018508472.tif 000054
【図１４】
2018508472.tif 000055
【図１５】
2018508472.tif 000056
【図１６Ａ】
2018508472.tif 000057
【図１６Ｂ】
2018508472.tif 000058
【図１６Ｃ】
2018508472.tif 000059
【図１６Ｄ】
2018508472.tif 000060
【配列表】
2018508472000001.app
【国際調査報告】
2018508472.tif 000061
2018508472.tif 000062
2018508472.tif 000063
2018508472.tif 000064